(57)【要約】  本願は、信号送受信方法および通信機器を提供し、信号伝送品質の改善を助ける。当該方法は、端末デバイスが第１ＣＣ上で第１指示情報をネットワークデバイスから受信する段階を含み、第１指示情報はダウンリンク信号を送信するためのＢＷＰ、および、ＢＷＰが属する第２ＣＣを指示するために使用され、端末デバイスおよびネットワークデバイスは、第２ＣＣおよびＢＷＰに基づいて、複数の予め取得されたマッピング関係における第１マッピング関係を別々に決定し、第１マッピング関係は、少なくとも１つのＴＣＩ状態と、少なくとも１つのＴＣＩ値との間の対応関係を指示するために使用され、端末デバイスおよびネットワークデバイスは、第１マッピング関係およびＴＣＩに基づいてＴＣＩ状態を決定し得る。
2021532628.tif 000002
【特許請求の範囲】
【請求項１】
信号受信方法であって、
第１コンポーネントキャリア（第１ＣＣ）上で第１指示情報を受信する段階であって、前記第１指示情報は、ダウンリンク信号を送信するための帯域幅部分（ＢＷＰ）、および、前記ＢＷＰが属する第２ＣＣを指示するために使用される、段階と、
前記第１指示情報を使用することによって指示される前記第２ＣＣおよび前記ＢＷＰに基づいて第１マッピング関係を決定する段階であって、前記第１マッピング関係は、少なくとも１つの伝送構成インジケータ（ＴＣＩ）状態と少なくとも１つのＴＣＩ値との間の対応関係を指示するために使用される、段階と、
前記第１マッピング関係および受信されたＴＣＩに基づいてＴＣＩ状態を決定し、前記ＴＣＩ状態に基づいて、前記ダウンリンク信号を受信するための受信ビームを決定する段階と、
前記受信ビームを使用することによって、前記第２ＣＣ上の前記ＢＷＰにおいて前記ダウンリンク信号を受信する段階と
を備える方法。
【請求項２】
前記第１指示情報を使用することによって指示される前記第２ＣＣおよび前記ＢＷＰに基づいて第１マッピング関係を決定する前記段階は、
複数の媒体アクセス制御（ＭＡＣ）制御要素（ＣＥ）を受信する段階であって、各ＭＡＣ  ＣＥは、マッピング関係および対応するＣＣ上のＢＷＰを指示するために使用される、段階と、
前記第１指示情報を使用することによって指示される前記第２ＣＣおよび前記ＢＷＰに基づいて、複数の前記ＭＡＣ  ＣＥにおける第１ＭＡＣ  ＣＥを使用することによって指示されるマッピング関係を前記第１マッピング関係として決定する段階であって、前記第１ＭＡＣ  ＣＥによって指示されるＣＣの識別子は、前記第１指示情報を使用することによって指示される前記第２ＣＣの識別子と同一であり、前記第１ＭＡＣ  ＣＥによって指示されるＢＷＰの識別子は、前記第１指示情報を使用することによって指示される前記ＢＷＰの識別子と同一である、段階と
を含む、請求項１に記載の方法。
【請求項３】
前記第１指示情報を使用することによって指示される前記第２ＣＣおよび前記ＢＷＰに基づいて第１マッピング関係を決定する前記段階の前に、前記方法は更に、
第２指示情報を受信する段階であって、前記第２指示情報は、前記第２ＣＣおよび前記ＢＷＰに基づいて前記第１マッピング関係を決定することを指示するために使用される、段階
を含む、請求項１または２に記載の方法。
【請求項４】
前記第１指示情報を使用することによって指示される前記第２ＣＣおよび前記ＢＷＰに基づいて第１マッピング関係を決定する前記段階は、
前記第１ＣＣおよび前記第２ＣＣが第１事前設定条件を満たすとき、前記第１指示情報を使用することによって指示される前記第２ＣＣおよび前記ＢＷＰに基づいて前記第１マッピング関係を決定する段階
を含み、前記第１事前設定条件は、
前記第１ＣＣが低周波数帯域にあり、前記第２ＣＣが高周波数帯域にあること、
前記第１ＣＣが属する帯域が、前記第２ＣＣが属する帯域と異なること、または、
前記第１ＣＣおよび前記第２ＣＣが同一の帯域に属するが、前記第１ＣＣおよび前記第２ＣＣは周波数領域において非連続的であること
を含む、請求項１から３のいずれか一項に記載の方法。
【請求項５】
前記ダウンリンク信号は、物理ダウンリンク共有チャネルで伝送され、前記第１指示情報はダウンリンク制御情報（ＤＣＩ）に保持される、請求項１から４のいずれか一項に記載の方法。
【請求項６】
前記ＤＣＩは更に前記ＴＣＩを含み、前記ＴＣＩは選択されたＴＣＩ状態を指示するために使用される、請求項５に記載の方法。
【請求項７】
信号送信方法であって、
第１コンポーネントキャリア（第１ＣＣ）上で第１指示情報を送信する段階であって、前記第１指示情報は、ダウンリンク信号を送信するための帯域幅部分（ＢＷＰ）、および、前記ＢＷＰが属する第２ＣＣを指示するために使用される、段階と、
前記第２ＣＣおよび前記ＢＷＰに基づいて第１マッピング関係を決定する段階であって、前記第１マッピング関係は、少なくとも１つの伝送構成インジケータ（ＴＣＩ）状態と、少なくとも１つＴＣＩ値との間の対応関係を指示するために使用される、段階と、
前記第１マッピング関係およびＴＣＩに基づいてＴＣＩ状態を決定し、前記ＴＣＩ状態に基づいて、前記ダウンリンク信号を送信するための送信ビームを決定する段階と、
前記送信ビームを使用することによって、前記第２ＣＣ上の前記ＢＷＰにおいて前記ダウンリンク信号を送信する段階と
を備える方法。
【請求項８】
前記方法は更に、
複数の媒体アクセス制御（ＭＡＣ）制御要素（ＣＥ）を送信する段階であって、各ＭＡＣ  ＣＥは、マッピング関係および対応するＣＣ上のＢＷＰを指示するために使用され、複数の前記ＭＡＣ  ＣＥは第１ＭＡＣ  ＣＥを含み、前記第１ＭＡＣ  ＣＥによって指示されるＣＣの識別子は、前記第１指示情報を使用することによって指示される前記第２ＣＣの識別子と同一であり、前記第１ＭＡＣ  ＣＥによって指示されるＢＷＰの識別子は、前記第１指示情報を使用することによって指示される前記ＢＷＰの識別子と同一である、段階
を備える、請求項７に記載の方法。
【請求項９】
前記方法は更に、
前記第１マッピング関係を指示するための情報を受信する段階
を備える、請求項７または８に記載の方法。
【請求項１０】
前記方法は更に、
第２指示情報を送信する段階であって、前記第２指示情報は、前記第２ＣＣおよび前記ＢＷＰに基づいて前記第１マッピング関係を決定することを指示するために使用される、段階
を備える、請求項７から９のいずれか一項に記載の方法。
【請求項１１】
前記第２ＣＣおよび前記ＢＷＰに基づいて第１マッピング関係を決定する前記段階は、
前記第１ＣＣおよび前記第２ＣＣが第１事前設定条件を満たすとき、前記第１指示情報を使用することによって指示される前記第２ＣＣおよび前記ＢＷＰに基づいて前記第１マッピング関係を決定する段階
を含み、前記第１事前設定条件は、
前記第１ＣＣが低周波数帯域にあり、前記第２ＣＣが高周波数帯域にあること、
前記第１ＣＣが属する帯域が、前記第２ＣＣが属する帯域と異なること、または、
前記第１ＣＣおよび前記第２ＣＣが同一の帯域に属するが、前記第１ＣＣおよび前記第２ＣＣは周波数領域において非連続的であること
を含む、請求項７から１０のいずれか一項に記載の方法。
【請求項１２】
前記ダウンリンク信号は、物理ダウンリンク共有チャネルで伝送され、前記第１指示情報はダウンリンク制御情報（ＤＣＩ）に保持される、請求項７から１１のいずれか一項に記載の方法。
【請求項１３】
前記ＤＣＩは更に前記ＴＣＩを含み、前記ＴＣＩは選択されたＴＣＩ状態を指示するために使用される、請求項１２に記載の方法。
【請求項１４】
通信機器であって、
第１コンポーネントキャリア（第１ＣＣ）上で第１指示情報を受信するよう構成される通信ユニットであって、前記第１指示情報は、ダウンリンク信号を送信するための帯域幅部分（ＢＷＰ）、および、前記ＢＷＰが属する第２ＣＣを指示するために使用される、通信ユニットと、
前記第１指示情報を使用することによって指示される前記第２ＣＣおよび前記ＢＷＰに基づいて第１マッピング関係を決定するよう構成される処理ユニットであって、前記第１マッピング関係は、少なくとも１つの伝送構成インジケータ（ＴＣＩ）状態と少なくとも１つのＴＣＩ値との間の対応関係を指示するために使用され、前記処理ユニットは更に、前記第１マッピング関係および受信ＴＣＩに基づいてＴＣＩ状態を決定し、前記ＴＣＩ状態に基づいて、前記ダウンリンク信号を受信するための受信ビームを決定するよう構成される処理ユニットと
を備え、前記通信ユニットは更に、前記受信ビームを使用することによって、前記第２ＣＣ上の前記ＢＷＰにおいて前記ダウンリンク信号を受信するよう構成される、通信機器。
【請求項１５】
前記通信ユニットは更に、複数の媒体アクセス制御（ＭＡＣ）制御要素（ＣＥ）を受信するよう構成され、各ＭＡＣ  ＣＥは、マッピング関係および対応するＣＣ上のＢＷＰを指示するために使用され、
前記処理ユニットは具体的には、前記第１指示情報を使用することによって指示される前記第２ＣＣおよび前記ＢＷＰに基づいて、複数の前記ＭＡＣ  ＣＥにおける第１ＭＡＣ  ＣＥを使用することによって指示されるマッピング関係を前記第１マッピング関係として決定するよう構成され、前記第１ＭＡＣ  ＣＥによって指示されるＣＣの識別子は、前記第１指示情報を使用することによって指示される前記第２ＣＣの識別子と同一であり、前記第１ＭＡＣ  ＣＥによって指示されるＢＷＰの識別子は、前記第１指示情報を使用することによって指示される前記ＢＷＰの識別子と同一である、
請求項１４に記載の通信機器。
【請求項１６】
前記通信ユニットは更に、第２指示情報を受信するよう構成され、前記第２指示情報は、前記第２ＣＣおよび前記ＢＷＰに基づいて、前記第１マッピング関係を決定することを指示するために使用される、請求項１４または１５に記載の通信機器。
【請求項１７】
前記処理ユニットは具体的には、前記第１ＣＣおよび前記第２ＣＣが第１事前設定条件を満たすときに、前記第１指示情報を使用することによって指示される前記第２ＣＣおよび前記ＢＷＰに基づいて前記第１マッピング関係を決定するよう構成され、前記第１事前設定条件は、
前記第１ＣＣが低周波数帯域にあること、および、前記第２ＣＣが高周波数帯域にあること、
前記第１ＣＣが属する帯域が、前記第２ＣＣが属する帯域と異なること、または、
前記第１ＣＣおよび前記第２ＣＣが同一の帯域に属するが、前記第１ＣＣおよび前記第２ＣＣは周波数領域において非連続的であること
を含む、請求項１４から１６のいずれか一項に記載の通信機器。
【請求項１８】
前記ダウンリンク信号は物理ダウンリンク共有チャネルで伝送され、前記第１指示情報はダウンリンク制御情報（ＤＣＩ）に保持される、請求項１４から１７のいずれか一項に記載の通信機器。
【請求項１９】
前記ＤＣＩは更に前記ＴＣＩを含み、前記ＴＣＩは、選択されたＴＣＩ状態を指示するために使用される、請求項１８に記載の通信機器。
【請求項２０】
通信機器であって、
第１コンポーネントキャリア（第１ＣＣ）上で第１指示情報を送信するよう構成される通信ユニットであって、前記第１指示情報は、ダウンリンク信号を送信するための帯域幅部分（ＢＷＰ）、および、前記ＢＷＰが属する第２ＣＣを指示するために使用される、通信ユニットと
前記第２ＣＣおよび前記ＢＷＰに基づいて第１マッピング関係を決定するよう構成される処理ユニットであって、前記第１マッピング関係は、少なくとも１つの伝送構成インジケータ（ＴＣＩ）状態と少なくとも１つのＴＣＩ値との間の対応関係を指示するために使用される、処理ユニットと
を備え、前記処理ユニットは更に、前記第１マッピング関係およびＴＣＩに基づいてＴＣＩ状態を決定し、前記ＴＣＩ状態に基づいて、前記ダウンリンク信号を送信するための送信ビームを決定するよう構成され、
前記通信ユニットは更に、前記送信ビームを使用することによって、前記第２ＣＣ上の前記ＢＷＰにおいて前記ダウンリンク信号を送信するよう構成される、
通信機器。
【請求項２１】
前記通信ユニットは更に、複数の媒体アクセス制御（ＭＡＣ）制御要素（ＣＥ）を送信するよう構成され、各ＭＡＣ  ＣＥは、マッピング関係および対応するＣＣ上のＢＷＰを指示するために使用され、複数の前記ＭＡＣ  ＣＥは、第１ＭＡＣ  ＣＥを含み、前記第１ＭＡＣ  ＣＥによって指示されるＣＣの識別子は、前記第１指示情報を使用することによって指示される前記第２ＣＣの識別子と同一であり、前記第１ＭＡＣ  ＣＥによって指示されるＢＷＰの識別子は、前記第１指示情報を使用することによって指示される前記ＢＷＰの識別子と同一である、請求項２０に記載の通信機器。
【請求項２２】
前記通信ユニットは更に、前記第１マッピング関係を指示するための情報を受信するよう構成される、請求項２０または２１に記載の通信機器。
【請求項２３】
前記通信ユニットは更に、第２指示情報を送信するよう構成され、前記第２指示情報は、前記第２ＣＣおよび前記ＢＷＰに基づいて、前記第１マッピング関係を決定することを指示するために使用される、請求項２０から２２のいずれか一項に記載の通信機器。
【請求項２４】
前記処理ユニットは具体的には、前記第１ＣＣおよび前記第２ＣＣが第１事前設定条件を満たすときに、前記第１指示情報を使用することによって指示される前記第２ＣＣおよび前記ＢＷＰに基づいて前記第１マッピング関係を決定するよう構成され、前記第１事前設定条件は、
前記第１ＣＣが低周波数帯域にあること、および、前記第２ＣＣが高周波数帯域にあること、
前記第１ＣＣが属する帯域が、前記第２ＣＣが属する帯域と異なること、または、
前記第１ＣＣおよび前記第２ＣＣが同一の帯域に属するが、前記第１ＣＣおよび前記第２ＣＣは周波数領域において非連続的であること
を含む、請求項２０から２３のいずれか一項に記載の通信機器。
【請求項２５】
前記ダウンリンク信号は物理ダウンリンク共有チャネルで伝送され、前記第１指示情報はダウンリンク制御情報（ＤＣＩ）に保持される、請求項２０から２４のいずれか一項に記載の通信機器。
【請求項２６】
前記ＤＣＩは更に前記ＴＣＩを含み、前記ＴＣＩは、選択されたＴＣＩ状態を指示するために使用される、請求項２５に記載の通信機器。
【請求項２７】
請求項１から６のいずれか一項に記載の方法をコンピュータに実行させるプログラム。
【請求項２８】
請求項７から１３のいずれか一項に記載の方法をコンピュータに実行させるプログラム。
【発明の詳細な説明】
【技術分野】
【０００１】
本願は、２０１８年８月６日に中国特許庁に出願された、「信号送受信方法および通信機器」と題する中国特許出願第２０１８１０８８７２４９．７号の優先権を主張し、その全体は参照によって本明細書に組み込まれる。
【０００２】
本願は無線通信の分野に関し、より具体的には、信号送受信方法および通信機器に関する。
【背景技術】
【０００３】
伝送帯域幅をより大きく増加させるべく、キャリアアグリゲーション（ｃａｒｒｉｅｒ  ａｇｇｒｅｇａｔｉｏｎ、ＣＡ）技術がロングタームエボリューションアドバンスド（Ｌｏｎｇ  Ｔｅｒｍ  Ｅｖｏｌｕｔｉｏｎ−Ａｄｖａｎｃｅｄ、ＬＴＥ−Ａ）に導入される。キャリアアグリゲーションは主に、高速データ伝送をサポートするために、複数のコンポーネントキャリア（ｃｏｍｐｏｎｅｎｔ  ｃａｒｒｉｅｒ、ＣＣ、または、キャリアなどと称される）を、比較的大きい帯域幅を有するキャリアに集約するためのものである。キャリアアグリゲーションでは、ＣＣ上で別のＣＣがデータを送信するようスケジューリングされることが可能になる。例えば、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）および物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）は、同一のＣＣ上、または、異なるＣＣ上にある。
【０００４】
加えて、高周波数シナリオでは、経路損失に対抗するべく、ネットワークデバイスおよび端末デバイスは、ビームフォーミング（ｂｅａｍｆｏｒｍｉｎｇ）を通じて利得を別々取得し得る。ネットワークデバイスおよび端末デバイスは、ビーム（ｂｅａｍ）トレーニングを通じて、送信ビームと受信ビームとの間のペア関係を取得し得る。端末デバイスは、ペア関係と、ネットワークデバイスによって動的に指示される伝送構成インジケータ（ｔｒａｎｓｍｉｓｓｉｏｎ  ｃｏｎｆｉｇｕｒａｔｉｏｎ  ｉｎｄｉｃａｔｏｒ、ＴＣＩ）状態とに基づいて、受信ビームを決定し得る。
【０００５】
しかしながら、いくつかのシナリオにおいて、例えば、クロスキャリアスケジューリング中、ネットワークデバイスがＣＣ上でＰＤＣＣＨを送信し、別のＣＣ上でＰＤＳＣＨを送信するとき、端末デバイスはＴＣＩ状態を２つのＣＣから受信し得る。端末デバイスは、ＣＣを決定することが可能でないことがあり得る。ここで、ＣＣからのＴＣＩ状態は、受信ビームを決定するのに使用される。
【発明の概要】
【０００６】
本願は信号送受信方法および通信機器を提供し、受信側および送信側がペアの受信ビームおよび送信ビームを使用して信号を受信および送信することを助け、それにより、信号伝送品質の改善を助ける。
【０００７】
第１態様によれば、信号受信方法が提供される。第１態様において提供される当該方法は、端末デバイスによって実行され得る、または、端末デバイスに配置されたチップによって実行され得る。本願ではこれに限定されない。
【０００８】
具体的には、当該方法は、第１ＣＣ上で第１指示情報を受信する段階であって、上記第１指示情報は、ダウンリンク信号を送信するための帯域幅部分（ｂａｎｄｗｉｄｔｈ  ｐａｒｔ、ＢＷＰ）、および、上記ＢＷＰが属する第２ＣＣを指示するために使用される、段階と、上記第１指示情報を使用することによって指示される上記第２ＣＣおよび上記ＢＷＰに基づいて第１マッピング関係を決定する段階であって、上記第１マッピング関係は、少なくとも１つのＴＣＩ状態と少なくとも１つのＴＣＩ値との間の対応関係を指示するために使用される、段階と、
上記第１マッピング関係および受信されたＴＣＩに基づいてＴＣＩ状態を決定し、上記ＴＣＩ状態に基づいて、上記ダウンリンク信号を受信するための受信ビームを決定する段階と、上記受信ビームを使用することによって、上記第２ＣＣ上の上記ＢＷＰにおいて上記ダウンリンク信号を受信する段階とを備える。
【０００９】
第２態様によれば、信号送信方法が提供される。第２態様において提供される方法は、ネットワークデバイスによって実行され得る、または、ネットワークデバイスに配置されたチップによって実行され得る。本願ではこれに限定されない。
【００１０】
具体的には、方法は、第１ＣＣ上で第１指示情報を送信する段階であって、第１指示情報は、ダウンリンク信号を送信するためのＢＷＰ、および、ＢＷＰが属する第２ＣＣを指示するために使用される、段階と、第２ＣＣおよびＢＷＰに基づいて第１マッピング関係を決定する段階であって、第１マッピング関係は、少なくとも１つのＴＣＩ状態と少なくとも１つのＴＣＩ値との間の対応関係を指示するために使用される、段階と、第１マッピング関係およびＴＣＩに基づいてＴＣＩ状態を決定し、ＴＣＩ状態に基づいて、ダウンリンク信号を送信するための送信ビームを決定する段階と、送信ビームを使用することによって、第２ＣＣ上のＢＷＰにおいてダウンリンク信号を送信する段階とを含む。
【００１１】
任意選択で、別の実装において、方法は、第１ＣＣ上のネットワークデバイスによって、ダウンリンク信号を送信するためのＢＷＰ、および、ＢＷＰが属する第２ＣＣを決定する段階であって、第２ＣＣおよび第１ＣＣは異なるＣＣである、段階と、第２ＣＣおよびＢＷＰに基づいて第１マッピング関係を決定する段階であって、第１マッピング関係は、少なくとも１つのＴＣＩ状態と少なくとも１つのＴＣＩ値との間の対応関係を指示するために使用される、段階と、第１マッピング関係およびＴＣＩに基づいてＴＣＩ状態を決定し、ＴＣＩ状態に基づいて、ダウンリンク信号を送信するための送信ビームを決定する段階と、送信ビームを使用することによって、第２ＣＣ上のＢＷＰにおいてダウンリンク信号を送信する段階とを備える。
【００１２】
上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。むしろ、ネットワークデバイスおよび端末デバイスが、同一のマッピング関係に基づいてＴＣＩ状態を決定できない場合、複数のマッピング関係があるとき、ネットワークデバイスおよび端末デバイスはそれぞれ、ＴＣＩ状態を決定するために異なるマッピング関係を選択し得る。このように、ネットワークデバイスによって決定されたＴＣＩ状態、および、端末デバイスによって決定されたＴＣＩ状態は異なり得る。異なるＴＣＩ状態に基づいて決定される送信ビームおよび受信ビームは必ずしも、ビームトレーニングにおいて決定されるペアのビームではない。したがって、ビームフォーミング利得をダウンリンク信号伝送中に取得することができないので、ダウンリンク信号伝送品質が劣悪である。
【００１３】
第１態様に関連して、第１態様のいくつかの実装において、第１指示情報を使用することによって指示される第２ＣＣおよびＢＷＰに基づいて第１マッピング関係を決定する段階は、複数の媒体アクセス制御（ｍｅｄｉａ  ａｃｃｅｓｓ  ｃｏｎｔｒｏｌ、ＭＡＣ）ＭＡＣ制御要素（ｃｏｎｔｒｏｌ  ｅｌｅｍｅｎｔ、ＣＥ）を受信する段階であって、各ＭＡＣ  ＣＥは、マッピング関係、および、対応するＣＣ上のＢＷＰを指示するために使用される、段階と、第１指示情報を使用することによって指示される第２ＣＣおよびＢＷＰに基づいて、複数のＭＡＣ  ＣＥにおける第１ＭＡＣ  ＣＥを使用することによって指示されるマッピング関係を第１マッピング関係として決定する段階であって、第１ＭＡＣ  ＣＥを使用することによって指示されるＣＣの識別子は、第１指示情報を使用することによって指示される第２ＣＣの識別子と同一であり、第１ＭＡＣ  ＣＥを使用することによって指示されるＢＷＰの識別子は、第１指示情報を使用することによって指示されるＢＷＰの識別子と同一である、段階とを含む。
【００１４】
端末デバイスが第２ＣＣおよびＢＷＰに基づいて第１マッピング関係を決定するとき、端末デバイスは、受信されたＭＡＣ  ＣＥに基づいて第１マッピング関係を決定し得る。第１マッピング関係を決定するために使用されるＭＡＣ  ＣＥを使用することによって指示されるＣＣの識別子は、第１指示情報を使用することによって指示される第２ＣＣの識別子である。第１マッピング関係を決定するために使用されるＭＡＣ  ＣＥを使用することによって指示されるＢＷＰの識別子は、第１指示情報を使用することによって指示されるＢＷＰの識別子である。
【００１５】
第２態様に関連して、第２態様のいくつかの実装において、方法は更に、複数のＭＡＣ  ＣＥを送信する段階であって、各ＭＡＣ  ＣＥは、１つのＣＣ上の１つのＢＷＰのマッピング関係を指示するために使用され、複数のＭＡＣ  ＣＥは、第１ＭＡＣ  ＣＥを含み、第１ＭＡＣ  ＣＥを使用することによって指示されるＣＣの識別子は、第１指示情報を使用することによって指示される第２ＣＣの識別子と同一であり、第１ＭＡＣ  ＣＥを使用することによって指示されるＢＷＰの識別子は、第１指示情報を使用することによって指示されるＢＷＰの識別子と同一である、段階を含む。
【００１６】
任意選択で、方法は更に、第１マッピング関係を示するための情報を受信する段階を含む。
【００１７】
複数のＭＡＣ  ＣＥは、同一のネットワークデバイスによって端末デバイスへ送信され得る。例えば、複数のＭＡＣ  ＣＥを使用することによって指示されるＣＣは共通サイトである、または、複数のＭＡＣ  ＣＥを使用することによって指示されるＣＣは異なるサイトであるが、異なるＣＣ上のネットワークデバイスは、Ｘ２インタフェースを通じてマッピング関係の関連情報を取得する。例えば、第１ＣＣ上のネットワークデバイスは、Ｘ２インタフェースを通じて第１マッピング関係を取得し得る。
【００１８】
代替的に、複数のＭＡＣ  ＣＥは、異なるネットワークデバイスによって端末デバイスへ送信され得る。例えば、複数のＭＡＣ  ＣＥを使用することによって指示されるＣＣは、異なるサイトであり、ＣＣ上のネットワークデバイスはそれぞれ、セルに構成されたマッピング関係を端末デバイスへ送信し得る。例えば、第１ＣＣ上のネットワークデバイスは、第１ＣＣ上のＢＷＰのマッピング関係を端末デバイスへ送信し得る、または、第２ＣＣ上のネットワークデバイスは、第２ＣＣ上のＢＷＰのマッピング関係を端末デバイスへ送信し得る。本願ではこれに限定されない。
【００１９】
第１態様に関連して、第１態様のいくつかの実装において、第１指示情報を使用することによって指示される第２ＣＣおよびＢＷＰに基づいて第１マッピング関係を決定する前に、方法は更に、第２指示情報を受信する段階であって、第２指示情報は、第２ＣＣおよびＢＷＰに基づいて第１マッピング関係を決定することを指示するために使用される、段階を含む。
【００２０】
これに対応して、第２態様に関連して、第２態様のいくつかの実装において、方法は更に、第２指示情報を送信する段階であって、第２指示情報は、第２ＣＣおよびＢＷＰに基づいて第１マッピング関係を決定することを指示するために使用される、段階を含む。
【００２１】
具体的には、ネットワークデバイスは、どの第１マッピング関係が決定されるかに基づいて、ＣＣおよびＢＷＰを端末デバイスに予め指示し得、その結果、ネットワークデバイスおよび端末デバイスは、同一のマッピング関係に基づいてＴＣＩ状態を決定する。
【００２２】
第１態様または第２態様に関連して、第１指示情報を使用することによって指示される第２ＣＣおよびＢＷＰに基づいて第１マッピング関係を決定する段階は、第１ＣＣおよび第２ＣＣが第１事前設定条件を満たすとき、第１指示情報を使用することによって指示される第２ＣＣおよびＢＷＰに基づいて第１マッピング関係を決定する段階を含む。
【００２３】
第１事前設定条件は、第１ＣＣが低周波数帯域にあり、かつ、第２ＣＣが高周波数帯域にあること、第１ＣＣが属する帯域が、第２ＣＣが属する帯域と異なること、または、第１ＣＣおよび第２ＣＣが同一の帯域に属するが、第１ＣＣおよび第２ＣＣは周波数領域において非連続的であることを含む。
【００２４】
第１指示情報が物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）上で伝送され、ダウンリンク信号が物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）上で伝送されるとき、第１指示情報は低周波数伝送に適切であり、ダウンリンク信号は高周波数伝送に適切である。理由は以下の通りである。信号が低周波数で送信されるとき、経路損失は比較的小さく、信号強度は比較的高く、ネットワークデバイスは通常、低周波数帯域におけるＣＣにワイドビームを構成し、ワイドビームは、角度領域カバレッジを改善するために使用できる。したがって、伝送ロバスト性が高く、ＰＤＣＣＨなどの制御チャネルは送信に適切である。信号が高周波数で送信されるとき、帯域幅は比較的大きく、伝送速度が比較的高く、ネットワークデバイスは通常、高周波数帯域におけるＣＣにナロービームを構成し、受信中の信号対ノイズ比または信号対干渉＋ノイズ比は、ナロービームを使用することによって改善できる。したがって、スループットを強化でき、ＰＤＳＣＨなどのデータチャネルは送信に適切である。通常、低周波数帯域のためにネットワークデバイスによって構成されるＴＣＩ状態は、ワイドビームを用いた、または、ビームフォーミングを用いない伝送に対応し得、高周波数帯域のためにネットワークデバイスによって構成されるＴＣＩ状態は、ナロービームを用いる伝送に対応し得る。したがって、第１ＣＣが低周波数帯域にあり、かつ、第２ＣＣが高周波数帯域にあるとき、第１マッピング関係は、高周波数帯域における第２ＣＣ、および、ＢＷＰに基づいて決定され得る。
【００２５】
上に列挙された事前設定条件は単に、第１ＣＣが低周波数帯域にあるかどうか、および、第２ＣＣが高周波数帯域にあるかどうかを決定するための可能な実装であり、本願に対していかなる限定も構成しないものとする。本願のこの実施形態は事前設定条件を含むが、これに限定されない。
【００２６】
第３態様によれば、信号受信方法が提供される。第３態様において提供される方法は、端末デバイスによって実行され得る、または、端末デバイスに配置されるチップによって実行され得る。本願ではこれに限定されない。
【００２７】
具体的には、方法は、第１ＣＣ上の第１ＢＷＰにおいて第１指示情報を受信する段階であって、第１指示情報は、ダウンリンク信号を送信するための第２ＢＷＰ、および、第２ＢＷＰが属する第２ＣＣを指示するために使用される、段階と、第１ＣＣおよび第１ＢＷＰに基づいて第１マッピング関係を決定する段階であって、第１マッピング関係は、少なくとも１つのアクティブ化ＴＣＩ状態と少なくとも１つＴＣＩ値との間の対応関係を指示するために使用される、段階と、第１マッピング関係および受信されたＴＣＩに基づいてＴＣＩ状態を決定し、ＴＣＩ状態に基づいて、ダウンリンク信号を受信するための受信ビームを決定する段階と、受信ビームを使用することによって、第２ＣＣ上の第２ＢＷＰにおいてダウンリンク信号を受信する段階とを含む。
【００２８】
第４態様によれば、信号送信方法が提供される。第４態様において提供される方法は、ネットワークデバイスによって実行され得る、または、ネットワークデバイスに配置されたチップによって実行され得る。本願ではこれに限定されない。
【００２９】
具体的には、方法は、第１ＣＣ上の第１ＢＷＰにおいて第１指示情報を送信する段階であって、第１指示情報は、ダウンリンク信号を送信するための第２ＢＷＰと、第２ＢＷＰが属する第２ＣＣを指示するために使用される、段階と、第１ＣＣおよび第１ＢＷＰに基づいて第１マッピング関係を決定する段階であって、第１マッピング関係は、少なくとも１つのアクティブ化ＴＣＩ状態および少なくとも１つのＴＣＩ値の間の対応関係を指示するために使用される、段階と、第１マッピング関係およびＴＣＩに基づいてＴＣＩ状態を決定し、ＴＣＩ状態に基づいて、ダウンリンク信号を送信するための送信ビームを決定する段階と、送信ビームを使用することによって、第２ＣＣ上の第１ＢＷＰにおいてダウンリンク信号を送信する段階とを含む。
【００３０】
任意選択で、別の実装において、方法は、第１ＣＣ上のネットワークデバイスによって、ダウンリンク信号を送信するためのＢＷＰ、および、ＢＷＰが属する第２ＣＣを決定する段階であって、第２ＣＣおよび第１ＣＣは異なるＣＣである、段階と、第１ＣＣに基づいて、第１マッピング関係を決定する段階であって、第１マッピング関係は、少なくとも１つのＴＣＩ状態と少なくとも１つのＴＣＩ値との間の対応関係を指示するために使用される、段階と、第１マッピング関係およびＴＣＩに基づいて、ＴＣＩ状態を決定し、ＴＣＩ状態に基づいて、ダウンリンク信号を送信するための送信ビームを決定する段階と、送信ビームを使用することによって、第２ＣＣ上のＢＷＰにおいてダウンリンク信号を送信する段階とを含む。
【００３１】
方法の上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。むしろ、ネットワークデバイスおよび端末デバイスが、同一のマッピング関係に基づいてＴＣＩ状態を決定できない場合、複数のマッピング関係があるとき、ネットワークデバイスおよび端末デバイスはそれぞれ、ＴＣＩ状態を決定するために異なるマッピング関係を選択し得る。このように、ネットワークデバイスによって決定されたＴＣＩ状態、および、端末デバイスによって決定されたＴＣＩ状態は異なり得る。異なるＴＣＩ状態に基づいて決定される送信ビームおよび受信ビームは必ずしも、ビームトレーニングにおいて決定されるペアのビームではない。したがって、ビームフォーミング利得をダウンリンク信号伝送中に取得することができないので、ダウンリンク信号伝送品質が劣悪である。
【００３２】
第３態様に関連して、第３態様のいくつかの実装において、第１ＣＣおよび第１ＢＷＰに基づいて第１マッピング関係を決定する段階は、複数のＭＡＣ  ＣＥを受信する段階であって、各ＭＡＣ  ＣＥは、マッピング関係、および、対応するＣＣ上のＢＷＰを指示するために使用される、段階と、第１ＣＣおよび第１ＢＷＰに基づいて、複数のＭＡＣ  ＣＥにおける第２ＭＡＣ  ＣＥを使用することによって指示されるマッピング関係を第１マッピング関係として決定する段階であって、第２ＭＡＣ  ＣＥを使用することによって指示されるＣＣの識別子は、第１ＣＣの識別子と同一であり、第２ＭＡＣ  ＣＥを使用することによって指示されるＢＷＰの識別子は、第１ＢＷＰの識別子と同一である、段階を含む。
【００３３】
端末デバイスが第１ＣＣおよび第１ＢＷＰに基づいて第１マッピング関係を決定するとき、端末デバイスは、受信されたＭＡＣ  ＣＥに基づいて第１マッピング関係を決定し得る。第１マッピング関係を決定するために使用されるＭＡＣ  ＣＥを使用することによって指示される第１ＣＣの識別子は、第１指示情報を使用することによって指示されるＣＣの識別子である。第１マッピング関係を決定するために使用されるＭＡＣ  ＣＥを使用することによって指示される第１ＢＷＰの識別子は、第１指示情報を使用することによって指示されるＢＷＰの識別子である。
【００３４】
第４態様に関連して、第４態様のいくつかの実装において、方法は更に、複数のＭＡＣ  ＣＥを送信する段階であって、各ＭＡＣ  ＣＥは、１つのＣＣ上の１つのＢＷＰのマッピング関係を指示するために使用され、複数のＭＡＣ  ＣＥは、第１ＭＡＣ  ＣＥを含み、第１ＭＡＣ  ＣＥを使用することによって指示されるＣＣの識別子は、第１指示情報を使用することによって指示される第２ＣＣの識別子と同一であり、第１ＭＡＣ  ＣＥを使用することによって指示されるＢＷＰの識別子は、第１指示情報を使用することによって指示されるＢＷＰの識別子と同一である、段階を含む。
【００３５】
上で説明されるように、複数のＭＡＣ  ＣＥは、同一のネットワークデバイスによって端末デバイスへ送信され得る、または、異なるネットワークデバイスによって端末デバイスへ送信され得る。第１マッピング関係は第１ＣＣおよび第１ＢＷＰに基づいて決定されるので、第１マッピング関係を決定するために使用される第１ＭＡＣ  ＣＥは、第１指示情報を送信するネットワークデバイスによって送信され得る。すなわち、第１ＭＡＣ  ＣＥを送信するネットワークデバイス、および、第１指示情報を送信するネットワークデバイスは、同一のネットワークデバイス、すなわち、第１ＣＣ上のネットワークデバイスであり得る。
【００３６】
第３態様に関連して、第３態様のいくつかの実装において、第１ＣＣおよび第１ＢＷＰに基づいて第１マッピング関係を決定する前に、方法は更に、第３指示情報を受信する段階であって、第３指示情報は、第１ＣＣおよび第１ＢＷＰに基づいて第１マッピング関係を決定することを指示するために使用される、段階を含む。
【００３７】
これに対応して、第４態様に関連して、第４態様のいくつかの実装において、方法は更に、第３指示情報を送信する段階であって、第３指示情報は、第１ＣＣおよび第１ＢＷＰに基づいて第１マッピング関係を決定することを指示するために使用される、段階を含む。
【００３８】
具体的には、ネットワークデバイスは、どの第１マッピング関係が決定されるかに基づいて、ＣＣおよびＢＷＰを端末デバイスに予め指示し得、その結果、ネットワークデバイスおよび端末デバイスは、同一のマッピング関係に基づいてＴＣＩ状態を決定する。
【００３９】
第３態様または第４態様に関連して、いくつかの実装において、第１ＣＣおよび第１ＢＷＰに基づいて第１マッピング関係を決定する段階は、第１ＣＣおよび第２ＣＣが第２事前設定条件を満たすとき、第１ＣＣおよび第１ＢＷＰに基づいて第１マッピング関係を決定する段階を含む。
【００４０】
第２事前設定条件は、第１ＣＣおよび第２ＣＣの両方が低周波数帯域にあること、第１ＣＣおよび第２ＣＣの両方が高周波数帯域にあること、第１ＣＣが属する帯域が、第２ＣＣが属する帯域と同一であること、または、第１ＣＣが属する帯域が、第２ＣＣが属する帯域と同一であり、かつ、第１ＣＣおよび第２ＣＣが周波数領域において連続的であることを含む。
【００４１】
上で説明されたように、第１指示情報がＰＤＣＣＨ上で伝送され、ダウンリンク信号がＰＤＳＣＨ上で伝送されるとき、第１指示情報は、低周波数伝送に適切であり、ダウンリンク信号は、高周波数伝送に適切である。第２ＣＣおよび第１ＣＣの両方が低周波数帯域にあるとき、利用可能な高周波数リソースが無い。代替的に、第２ＣＣおよび第１ＣＣの両方が高周波数帯域にあるとき、利用可能な低周波数リソースが無い。したがって、第１マッピング関係は、第１ＣＣおよび第１ＢＷＰに基づいて直接決定され得る。
【００４２】
第５態様によれば、信号受信方法が提供される。第５態様において提供される方法は、端末デバイスによって実行され得る、または、端末デバイスに配置されるチップによって実行され得る。本願ではこれに限定されない。
【００４３】
具体的には、方法は、第１ＣＣ上の第１ＢＷＰにおいて第１指示情報を受信する段階であって、第１指示情報は、ダウンリンク信号を送信するための第２ＢＷＰ、および、第２ＢＷＰが属する第２ＣＣを指示するために使用される、段階と、第１マッピング関係を決定する段階であって、第１マッピング関係は、少なくとも１つのＴＣＩ状態と少なくとも１つのＴＣＩ状態値との間の対応関係を指示するために使用され、第１マッピング関係は、第１ＣＣおよび第１ＢＷＰに基づ決定されるマッピング関係、または、第２ＣＣおよび第２ＢＷＰに基づいて決定されるマッピング関係である、段階と、受信されたＴＣＩおよび第１マッピング関係に基づいてＴＣＩ状態を決定し、ＴＣＩ状態に基づいて、ダウンリンク信号を受信するための受信ビームを決定する段階と、受信ビームを使用することによって、第２ＣＣ上の第２ＢＷＰにおいてダウンリンク信号を受信する段階とを含む。
【００４４】
第６態様によれば、信号送信方法が提供される。第６態様において提供される方法は、ネットワークデバイスによって実行され得る、または、ネットワークデバイスに配置されたチップによって実行され得る。本願ではこれに限定されない。
【００４５】
具体的には、方法は、第１ＣＣ上の第１ＢＷＰにおいて第１指示情報を送信する段階であって、第１指示情報は、ダウンリンク信号を送信するための第２ＢＷＰ、および、第２ＢＷＰが属する第２ＣＣを指示するために使用される、段階と、第１マッピング関係を決定する段階であって、第１マッピング関係は、少なくとも１つのＴＣＩ状態と、少なくとも１つのＴＣＩ状態値との間の対応関係を指示するために使用され、第１マッピング関係は、第１ＣＣおよび第１ＢＷＰに基づいて決定されるマッピング関係、または、第２ＣＣおよび第２ＢＷＰに基づいて決定されるマッピング関係である、段階と、ＴＣＩおよび第１マッピング関係に基づいて、ダウンリンク信号を送信するための送信ビームを決定する段階と、送信ビームを使用することによって、第２ＣＣ上の第２ＢＷＰにおいてダウンリンク信号を送信する段階とを含む。
【００４６】
任意選択で、別の実装において、方法は、第１ＣＣ上のネットワークデバイスによって、ダウンリンク信号を送信するために使用されるＢＷＰ、および、ＢＷＰが属する第２ＣＣを決定する段階であって、第２ＣＣおよび第１ＣＣは異なるＣＣである、段階と、第１マッピング関係を決定する段階であって、第１マッピング関係は、少なくとも１つのＴＣＩ状態と、少なくとも１つのＴＣＩ状態値との間の対応関係を指示するために使用され、第１マッピング関係は、第１ＣＣに基づいて決定されるマッピング関係、または、第２ＣＣに基づいて決定されるマッピング関係である、段階と、ＴＣＩおよび第１マッピング関係に基づいて、ダウンリンク信号を送信するための送信ビームを決定する段階と、送信ビームを使用することによって、第２ＣＣ上の第２ＢＷＰにおいてダウンリンク信号を送信する段階とを含む。
【００４７】
上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。加えて、ネットワークデバイスおよび端末デバイスは、周波数領域における第１ＣＣおよび第２ＣＣの位置に基づいて、ＴＣＩ状態を柔軟に選択し、可能な限り、高周波数上でデータチャネルを送信し得、それにより、データ伝送効率を改善すること、および、スループットを増加することを助ける。
【００４８】
第５態様に関連して第５態様のいくつかの実装において、方法は更に、複数のＭＡＣ  ＣＥを受信する段階であって、複数のＭＡＣ  ＣＥは少なくとも第１ＭＡＣ  ＣＥおよび第２ＭＡＣ  ＣＥを含み、第１ＭＡＣ  ＣＥは、第１ＣＣ上の第１ＢＷＰに構成されたマッピング関係を指示するために使用され、第２ＭＡＣ  ＣＥは、第２ＣＣ上の第２ＢＷＰに構成されたマッピング関係を指示するために使用される、段階を含む。
【００４９】
これに対応して、第６態様に関連して、第６態様のいくつかの実装において、方法は更に、複数の媒体アクセス制御（ＭＡＣ）制御要素（ＣＥ）を送信する段階であって、複数のＭＡＣ  ＣＥは、少なくとも第１ＭＡＣ  ＣＥおよび第２ＭＡＣ  ＣＥを含み、第１ＭＡＣ  ＣＥは、第１ＣＣ上の第１ＢＷＰに構成されたマッピング関係を指示するために使用され、第２ＭＡＣ  ＣＥは、第２ＣＣ上の第２ＢＷＰに構成されたマッピング関係を指示するために使用される、段階を含む。
【００５０】
任意選択で、方法は更に、第２ＣＣ上の第２ＢＷＰのマッピング関係を指示するための情報を受信する段階を含む。
【００５１】
上で説明されるように、複数のＭＡＣ  ＣＥは、同一のネットワークデバイスによって端末デバイスへ送信され得る、または、異なるネットワークデバイスによって端末デバイスへ送信され得る。例えば、第２ＣＣ上の第２ＢＷＰのマッピング関係は、第２ＣＣ上のネットワークデバイスによって第１ＣＣ上のネットワークデバイスへ送信され得る。
【００５２】
第５態様に関連して、第５態様のいくつかの実装において、方法は更に、第４指示情報を受信する段階であって、第４指示情報は、第１マッピング関係が第１ＣＣおよび第１ＢＷＰに基づいて決定されるかどうかを指示するために使用される、または、第１マッピング関係は、第２ＣＣおよび第２ＢＷＰに基づいて決定される、段階を含む。
【００５３】
これに対応して、第６態様に関連して、第６態様のいくつかの実装において、方法は更に、第４指示情報を送信する段階であって、第４指示情報は、第１マッピング関係が第１ＣＣおよび第１ＢＷＰに基づいて決定されるか、または、第１マッピング関係が第２ＣＣおよび第２ＢＷＰに基づいて決定されるかを指示するために使用される、段階を含む。
【００５４】
具体的には、ネットワークデバイスは、どの第１マッピング関係が決定されるかに基づいて、ＣＣおよびＢＷＰを端末デバイスに予め指示し得、その結果、ネットワークデバイスおよび端末デバイスは、同一のマッピング関係に基づいてＴＣＩ状態を決定する。
【００５５】
第５態様または第６態様に関連して、いくつかの実装において、方法は更に、第１ＣＣおよび第２ＣＣの周波数領域位置に基づいて第１マッピング関係を決定する段階を含む。
【００５６】
任意選択で、第１ＣＣおよび第２ＣＣの周波数領域位置に基づいて第１マッピング関係を決定する段階は、第１ＣＣおよび第２ＣＣが第１事前設定条件を満たすとき、第１マッピング関係は、第２ＣＣ上の第２ＢＷＰに構成されるマッピング関係であると決定する段階を含む。
【００５７】
第１事前設定条件は、第１ＣＣが低周波数帯域にあり、かつ、第２ＣＣが高周波数帯域にあること、第１ＣＣが属する帯域が、第２ＣＣが属する帯域と異なること、または、第１ＣＣおよび第２ＣＣが同一の帯域に属するが、第１ＣＣおよび第２ＣＣは周波数領域において非連続的であることを含む。
【００５８】
任意選択で、第１ＣＣおよび第２ＣＣの周波数領域位置に基づいて第１マッピング関係を決定する段階は、第１ＣＣおよび第２ＣＣが第２事前設定条件を満たすとき、第１マッピング関係は、第２ＣＣ上の第２ＢＷＰに構成されるマッピング関係であると決定する段階を含む。
【００５９】
第２事前設定条件は、第１ＣＣおよび第２ＣＣの両方が低周波数帯域にあること、第１ＣＣおよび第２ＣＣの両方が高周波数帯域にあること、第１ＣＣが属する帯域が、第２ＣＣが属する帯域と同一であること、または、第１ＣＣが属する帯域が、第２ＣＣが属する帯域と同一であり、かつ、第１ＣＣおよび第２ＣＣが周波数領域において連続的であることを含む。
【００６０】
上で説明されたように、第１指示情報が物理ダウンリンク制御チャネルＰＤＣＣＨ上で伝送され、ダウンリンク信号がＰＤＳＣＨ上で伝送されるとき、第１指示情報は、低周波数伝送に適切であり、ダウンリンク信号は、高周波数伝送に適切である。したがって、第１ＣＣおよび第２ＣＣが第１事前設定条件のいずれか１つを満たすとき、第１マッピング関係は、第２ＣＣに基づいて決定され得る。第１ＣＣおよび第２ＣＣが第２事前設定条件のいずれか１つを満たすとき、第１マッピング関係は、第１ＣＣに基づいて決定され得る。
【００６１】
第１事前設定条件は第２事前設定条件に対応することが理解されるべきである。例えば、事前設定条件ａは事前設定条件ｉに対応し、事前設定条件ｂは事前設定条件ｉｉに対応し、事前設定条件ｃは事前設定条件ｉｉｉに対応し、事前設定条件ｄは事前設定条件ｉｖに対応し、事前設定条件ｅは事前設定条件ｖに対応し、事前設定条件ｆは事前設定条件ｖｉに対応し、事前設定条件ｇは事前設定条件ｖｉｉに対応する。ネットワークデバイスおよび端末デバイスは、決定が対応する事前設定条件に基づいて実行されることを事前合意し得る、または、ネットワークデバイスおよび端末デバイスは、決定が同一の事前設定条件に基づいて実行されることを事前合意し得る。この方式によってのみ、決定された結果が一貫することを確実にできる。
【００６２】
第１態様から第６態様に関連して、いくつかの実装において、ダウンリンク信号は物理ダウンリンク共有チャネルで伝送され、第１指示情報はダウンリンク制御情報（ＤＣＩ）に保持される。
【００６３】
第１態様から第６態様に関連して、いくつかの実装において、ＤＣＩは更にＴＣＩを含み、ＴＣＩは、選択されたＴＣＩ状態を指示するために使用される。
【００６４】
第７態様によれば、通信機器が提供され、第１態様、第３態様、第５態様、または、第１態様、第３態様、もしくは第５態様の可能な実装のいずれか１つによる方法を実行するよう構成されるモジュールまたはユニットを含む。
【００６５】
第８態様によれば、通信機器が提供され、プロセッサを含む。プロセッサはメモリに連結され、第１態様、第３態様、または第５態様の可能な実装のいずれか１つによる方法を実装するために、メモリにおける命令を実行するよう構成され得る。任意選択で、通信機器は更にメモリを含む。任意選択で、通信機器は更に、通信インタフェースを含み、プロセッサは通信インタフェースに連結される。
【００６６】
実装において、通信機器は端末デバイスである。通信機器が端末デバイスであるとき、通信インタフェースは送受信機または入力／出力インタフェースであり得る。
【００６７】
別の実装において、通信機器は、端末デバイス上に配置されたチップである。通信機器が端末デバイス上に配置されたチップであるとき、通信インタフェースは入力／出力インタフェースであり得る。
【００６８】
任意選択で、送受信機は送受信回路であり得る。任意選択で、入力／出力インタフェースは入出力回路であり得る。
【００６９】
第９態様によれば、通信機器が提供され、第２態様、第４態様、第６態様、または、第２態様、第４態様、もしくは第６態様の可能な実装のいずれか１つによる方法を実行するよう構成されるモジュールまたはユニットを含む。
【００７０】
第１０態様によれば、通信機器が提供され、プロセッサを含む。プロセッサはメモリに連結され、第２態様、第４態様、または第６態様の可能な実装のいずれか１つによる方法を実装するために、メモリにおける命令を実行するよう構成され得る。任意選択で、通信機器は更にメモリを含む。任意選択で、通信機器は更に通信インタフェースを含み、プロセッサは通信インタフェースに連結される。
【００７１】
実装において、通信機器はネットワークデバイスである。通信機器がネットワークデバイスであるとき、通信インタフェースは送受信機または入力／出力インタフェースであり得る。
【００７２】
別の実装において、通信機器は、ネットワークデバイスに配置されたチップである。通信機器がネットワークデバイス上に配置されたチップであるとき、通信インタフェースは入力／出力インタフェースであり得る。
【００７３】
任意選択で、送受信機は送受信回路であり得る。任意選択で、入力／出力インタフェースは入出力回路であり得る。
【００７４】
第１１態様によれば、プロセッサが提供され、入力回路、出力回路、および処理回路を含む。処理回路は、入力回路を使用することによって信号を受信し、出力回路を使用することによって信号を送信するよう構成され、プロセッサは、第１態様から第６態様、または、第１態様から第６態様の可能な実装のいずれか１つによる方法を実行する。
【００７５】
具体的な実装プロセスにおいて、プロセッサはチップであり得、入力回路は入力ピンであり得、出力回路は出力ピンであり得、処理回路はトランジスタ、ゲート回路、トリガ、または様々な論理回路などであり得る。入力回路を使用することによって受信された入力信号は、例えば、これに限定されないが、受信機を使用することによって受信および入力され得、出力回路を使用することによって出力される信号は、例えば、これに限定されないが、送信機を使用することによって送信機へ出力されて送信され得、入力回路および出力回路は同一の回路であり得、回路は異なる瞬間において入力回路および出力回路として使用される。プロセッサの具体的な実装、および、様々な回路は、本願のこの実施形態に限定されない。
【００７６】
第１２態様によれば処理機器が提供され、プロセッサおよびメモリを含む。プロセッサは、メモリに格納された命令を読み取るよう構成され、第１態様から第６態様、または、第１態様から第６態様の可能な実装のいずれか１つによる方法を実行するために、受信機を使用することによって信号を受信し、送信機を使用することによって信号を送信し得る。
【００７７】
任意選択で、１または複数のプロセッサおよび１または複数のメモリがある。
【００７８】
任意選択で、メモリおよびプロセッサは共に統合され得る、または、メモリおよびプロセッサは別々に配置され得る。
【００７９】
具体的な実装プロセスにおいて、メモリは、リードオンリメモリ（ｒｅａｄ−ｏｎｌｙ  ｍｅｍｏｒｙ、ＲＯＭ）などの非一時的（ｎｏｎ−ｔｒａｎｓｉｔｏｒｙ）メモリであり得る。メモリおよびプロセッサは同一のチップ上に統合され得る、または、異なるチップ上に別々に配置され得る。メモリの種類、ならびに、メモリおよびプロセッサを配置する方式は、本願のこの実施形態に限定されない。
【００８０】
指示情報送信などの関連するデータ交換プロセスは、指示情報をプロセッサから出力するプロセスであり得、機能情報受信は、プロセッサによって入力機能情報を受信するプロセスであり得ることが理解されるべきである。具体的には、プロセッサによって出力されるデータは、送信機へ出力され得、プロセッサによって受信される入力データは受信機からのものであり得る。送信機および受信機は送受信機と総称され得る。
【００８１】
第１２態様における処理機器はチップであり得る。プロセッサは、ハードウェアを使用することによって実装され得る、または、ソフトウェアを使用することによって実装され得る。プロセッサがハードウェアを使用することによって実装されるとき、プロセッサは論理回路または集積回路などであり得、または、プロセッサがソフトウェアを使用することによって実装されるとき、プロセッサは汎用プロセッサであり得、メモリに格納されたソフトウェアコードを読み取ることによって実装される。メモリはプロセッサに統合され得、プロセッサの外に位置し得、独立に存在し得る。
【００８２】
第１３態様によれば、コンピュータプログラムプロダクトが提供される。コンピュータプログラムプロダクトは、コンピュータプログラム（コードまたは命令とも称される）を含み、コンピュータプログラムが動作するとき、コンピュータは、第１態様から第６態様、または、第１態様から第６態様の可能な実装のいずれか１つによる方法を実行することが可能となる。
【００８３】
第１４態様によれば、コンピュータ可読媒体が提供される。コンピュータ可読媒体は、コンピュータプログラム（コードまたは命令とも称される）を格納し、コンピュータプログラムがコンピュータ上で動作するとき、コンピュータは、第１態様から第６態様、または、第１態様から第６態様の可能な実装のいずれか１つによる方法を実行することが可能となる。
【００８４】
第１５態様によれば、通信システムが提供され、上述のネットワークデバイスおよび上述の端末デバイスを含む。
【図面の簡単な説明】
【００８５】
【図１】本願の実施形態による信号送受信方法が適用可能な通信システムの概略図である。
【００８６】
【図２】本願の実施形態による信号送受信方法が適用可能な通信システムの別の概略図である。
【００８７】
【図３】従来技術におけるＭＡＣ  ＣＥのフォーマットの概略図である。
【００８８】
【図４】本願の実施形態によるキャリアアグリゲーションの概略図である。
【００８９】
【図５】本願の実施形態による信号送受信方法の概略フローチャートである。
【００９０】
【図６】本出願の別の実施形態による信号送受信方法の概略フローチャートである。
【００９１】
【図７】本願のなお別の実施形態による信号送受信方法の概略フローチャートである。
【００９２】
【図８】本出願の別の実施形態による信号送受信方法の概略フローチャートである。
【００９３】
【図９】本願のなお別の実施形態による信号送受信方法の概略フローチャートである。
【００９４】
【図１０】本願のなお別の実施形態による信号送受信方法の概略フローチャートである。
【００９５】
【図１１】本願の実施形態によるＴＣＩ状態決定方法の概略フローチャートである。
【００９６】
【図１２】本願の実施形態によるＭＡＣ  ＣＥのフォーマットの概略図である。
【００９７】
【図１３】本願の実施形態による通信機器の概略ブロック図である。
【００９８】
【図１４】本願の実施形態による端末デバイスの概略構造図である。
【００９９】
【図１５】本願の実施形態によるネットワークデバイスの概略構造図である。
【発明を実施するための形態】
【０１００】
以下では、添付の図面を参照して本願の技術的解決手段を説明する。
【０１０１】
本願の実施形態における技術的解決手段は、モバイルコミュニケーションのためのグローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）システム、マイクロ波アクセスのためのワールドワイドインターオペラビリティ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、および、第５世代（５ｔｈ  ｇｅｎｅｒａｔｉｏｎ、５Ｇ）システム、または新無線（ｎｅｗ  ｒａｄｉｏ、ＮＲ）システムなど様々な通信システムにおいて使用され得る。
【０１０２】
本願の実施形態の理解を容易にするために、本願の実施形態に適用可能な通信システムは、図１および図２を参照して詳細に説明される。
【０１０３】
図１は、本願の実施形態による信号の送信および受信方法ならびに機器に適用可能な通信システム１００の概略図である。図に示されるように、通信システム１００は、図１に示されるようなネットワークデバイス１１０などの少なくとも１つのネットワークデバイスを含み得る。通信システム１００は、図１に示される端末デバイス１２０などの少なくとも１つの端末デバイスを更に含み得る。ネットワークデバイス１１０および端末デバイス１２０は無線リンクを通じて互いに通信し得る。
【０１０４】
図２は、本願の実施形態による、信号の送信および受信方法ならびに機器に適用可能な通信システム２００の別の概略図である。図に示されるように、通信システム２００は、図２に示されるネットワークデバイス２１０および２２０などの少なくとも２つのネットワークデバイスを含み得る。通信システム２００は更に、図２に示される端末デバイス２３０などの少なくとも１つの端末デバイスを含み得る。端末デバイス２３０は、デュアルコネクティビティ（ｄｕａｌ  ｃｏｎｎｅｃｔｉｖｉｔｙ、ＤＣ）技術またはマルチコネクティビティ技術を使用することによって、ネットワークデバイス２１０およびネットワークデバイス２２０との無線リンクを確立し得る。ネットワークデバイス２１０は、例えば、プライマリ基地局であり得、ネットワークデバイス２２０は、例えば、セカンダリ基地局であり得る。この場合、ネットワークデバイス２１０は、端末デバイス２３０が初回アクセスを実行するときに使用されるネットワークデバイスであり、端末デバイス２３０との無線リソース制御（ｒａｄｉｏ  ｒｅｓｏｕｒｃｅ  ｃｏｎｔｒｏｌ、ＲＲＣ）通信を担う。ネットワークデバイス２２０は、ＲＲＣ再設定中に追加され得、追加の無線リソースを提供するよう構成される。
【０１０５】
当然、ネットワークデバイス２２０は代替的に、プライマリ基地局であり得、ネットワークデバイス２１０は代替的に、セカンダリ基地局であり得る。本願ではこれに限定されない。加えて、単に理解を容易にするために、図は、２つのネットワークデバイスが無線方式で端末デバイスに接続される場合を示す。しかしながら、これは、本願が適用可能なシナリオに対して、いかなる限定も構成しないものとする。端末デバイスは更に、より多くのネットワークデバイスと無線リンクを確立し得る。
【０１０６】
複数のアンテナは、図１におけるネットワークデバイス１１０もしくは端末デバイス１２０、または、図２におけるネットワークデバイス２１０、ネットワークデバイス２２０、もしくは端末デバイス２３０などの通信デバイスごとに構成され得る。複数のアンテナは、信号を送信するために使用される少なくとも１つの送信アンテナ、および、信号を受信するために使用される少なくとも１つの受信アンテナを含み得る。加えて、通信デバイスは追加的に、送信機チェーンおよび受信機チェーンを含み得る。当業者であれば、送信機チェーンおよび受信機チェーンの各々が、信号の送信および受信に関連する複数のコンポーネント（例えば、プロセッサ、モジュレータ、マルチプレクサ、デモジュレータ、デマルチプレクサ、またはアンテナ）を含み得ることを理解し得る。したがって、ネットワークデバイスおよび端末デバイスは、マルチアンテナ技術を使用することによって互いと通信し得る。
【０１０７】
無線通信システムにおけるネットワークデバイスは、無線送受信機機能を有する任意のデバイスであり得ることが理解されるべきである。デバイスは、これらに限定されないが、進化型ＮｏｄｅＢ（ｅｖｏｌｖｅｄ  ＮｏｄｅＢ、ｅＮＢ）、無線ネットワークコントローラ（Ｒａｄｉｏ  Ｎｅｔｗｏｒｋ  Ｃｏｎｔｒｏｌｌｅｒ、ＲＮＣ）、ノードＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、ベーストランシーバ基地局（Ｂａｓｅ  Ｔｒａｎｓｃｅｉｖｅｒ  Ｓｔａｔｉｏｎ、ＢＴＳ）、ホーム基地局（例えば、ホーム進化型ＮｏｄｅＢまたはホームノードＢ、ＨＮＢ）、ベースバンドユニット（ＢａｓｅＢａｎｄ  Ｕｎｉｔ、ＢＢＵ）、ワイヤレス・フィディリティ（Ｗｉｒｅｌｅｓｓ  Ｆｉｄｅｌｉｔｙ、Ｗｉ−Ｆｉ（登録商標））システムにおけるアクセスポイント（Ａｃｃｅｓｓ  Ｐｏｉｎｔ、ＡＰ）、無線リレーノード、無線バックホールノード、伝送ポイント（ｔｒａｎｓｍｉｓｓｉｏｎ  ｐｏｉｎｔ、ＴＰ）、送受信ポイント（ｔｒａｎｓｍｉｓｓｉｏｎ  ｒｅｃｅｐｔｉｏｎ  ｐｏｉｎｔ、ＴＲＰ）などを含み、ＮＲシステムなどの５ＧシステムにおけるｇＮＢまたは伝送ポイント（ＴＲＰまたはＴＰ）、もしくは、５Ｇシステムにおける基地局の１つのアンテナパネルまたはアンテナパネルの１つのグループ（複数のアンテナパネルを含む）であり得る、または、ｇＮＢもしくは伝送ポイントに含まれるネットワークノード、例えば、ベースバンドユニット（ＢＢＵ）または分散型ユニット（ｄｉｓｔｒｉｂｕｔｅｄ  ｕｎｉｔ、ＤＵ）であり得る。
【０１０８】
いくつかのデプロイメントにおいて、ｇＮＢは、集中型ユニット（ｃｅｎｔｒａｌｉｚｅｄ  ｕｎｉｔ、ＣＵ）およびＤＵを含み得る。ｇＮＢは更に、無線ユニット（ｒａｄｉｏ  ｕｎｉｔ、ＲＵ）を含み得る。ＣＵは、ｇＮＢのいくつかの機能を実装し、ＤＵは、ｇＮＢのいくつかの機能を実装する。例えば、ＣＵは、無線リソース制御（ｒａｄｉｏ  ｒｅｓｏｕｒｃｅ  ｃｏｎｔｒｏｌ、ＲＲＣ）層およびパケットデータコンバーゼンスプロトコル（ｐａｃｋｅｔ  ｄａｔａ  ｃｏｎｖｅｒｇｅｎｃｅ  ｐｒｏｔｏｃｏｌ、ＰＤＣＰ）層の機能を実装し、ＤＵは、無線リンク制御（ｒａｄｉｏ  ｌｉｎｋ  ｃｏｎｔｒｏｌ、ＲＬＣ）層、媒体アクセス制御（ｍｅｄｉａ  ａｃｃｅｓｓ  ｃｏｎｔｒｏｌ、ＭＡＣ）層、物理（ｐｈｙｓｉｃａｌ、ＰＨＹ）層の機能を実装する。ＲＲＣ層における情報は最終的に、ＰＨＹ層の情報になる、または、ＰＨＹ層における情報から変換される。したがって、このアーキテクチャにおいて、ＲＲＣ層シグナリングなどの上位層シグナリングはまた、ＤＵによって、または、ＤＵおよびＣＵによって送信されるとみなされ得る。ネットワークデバイスは、ＣＵノード、ＤＵノード、またはＣＵノードおよびＤＵノードを含むデバイスであり得ることが理解され得る。加えて、ＣＵは、無線アクセスネットワーク（ｒａｄｉｏ  ａｃｃｅｓｓ  ｎｅｔｗｏｒｋ、ＲＡＮ）においてネットワークデバイスとして分類され得る、または、コアネットワーク（ｃｏｒｅ  ｎｅｔｗｏｒｋ、ＣＮ）においてネットワークデバイスとして分類され得る。本願ではこれに限定されない。
【０１０９】
無線通信システムにおける端末デバイスはまた、ユーザ装置（ｕｓｅｒ  ｅｑｕｉｐｍｅｎｔ、ＵＥ）、アクセス端末、加入者ユニット、加入者局、移動局、リモート局、リモート端末、モバイルデバイス、ユーザ端末、端末、無線通信デバイス、ユーザエージェント、またはユーザ機器と称され得ることを更に理解すべきである。本願の実施形態における端末デバイスは、携帯電話（ｍｏｂｉｌｅ  ｐｈｏｎｅ）、タブレット（ｐａｄ）、無線送受信機機能を有するコンピュータ、仮想現実（ｖｉｒｔｕａｌ  ｒｅａｌｉｔｙ、ＶＲ）端末デバイス、拡張現実（ａｕｇｍｅｎｔｅｄ  ｒｅａｌｉｔｙ、ＡＲ）端末デバイス、産業用制御（ｉｎｄｕｓｔｒｉａｌ  ｃｏｎｔｒｏｌ）における無線端末、自動運転（ｓｅｌｆ  ｄｒｉｖｉｎｇ）における無線端末、遠隔医療（ｒｅｍｏｔｅ  ｍｅｄｉｃａｌ）における無線端末、スマートグリッド（ｓｍａｒｔ  ｇｒｉｄ）における無線端末、交通安全（ｔｒａｎｓｐｏｒｔａｔｉｏｎ  ｓａｆｅｔｙ）における無線端末、スマートシティ（ｓｍａｒｔ  ｃｉｔｙ）における無線端末、スマートホーム（ｓｍａｒｔ  ｈｏｍｅ）における無線端末などであり得る。適用シナリオについては、本願の実施形態では限定されない。
【０１１０】
本願の実施形態の理解を容易にするために、以下では最初に、本願における複数の用語を簡潔に説明する。
【０１１１】
１．ビーム：ＮＲプロトコルにおけるビームは、空間フィルタ（ｓｐａｔｉａｌ  ｆｉｌｔｅｒ）または空間パラメータ（ｓｐａｔｉａｌ  ｐａｒａｍｅｔｅｒ）とも称される空間領域フィルタ（ｓｐａｔｉａｌ  ｄｏｍａｉｎ  ｆｉｌｔｅｒ）として具現化され得る。信号を送信するために使用されるビームは、送信ビーム（ｔｒａｎｓｍｉｔ  ｂｅａｍ、Ｔｘ  ｂｅａｍ）と称され得る、または、空間領域送信フィルタ（ｓｐａｔｉａｌ  ｄｏｍａｉｎ  ｔｒａｎｓｍｉｔ  ｆｉｌｔｅｒ）もしくは空間領域送信パラメータ（ｓｐａｔｉａｌ  ｄｏｍａｉｎ  ｔｒａｎｓｍｉｔ  ｐａｒａｍｅｔｅｒ）と称され得る。信号を受信するために使用されるビームは、受信ビーム（ｒｅｃｅｉｖｅ  ｂｅａｍ、Ｒｘ  ｂｅａｍ）と称され得る、または、空間領域受信フィルタ（ｓｐａｔｉａｌ  ｄｏｍａｉｎ  ｒｅｃｅｉｖｅ  ｆｉｌｔｅｒ）もしくは空間領域受信パラメータ（ｓｐａｔｉａｌ  ｄｏｍａｉｎ  ｒｅｃｅｉｖｅ  ｐａｒａｍｅｔｅｒ）と称され得る。
【０１１２】
送信ビームは、アンテナを使用することによって信号が送信された後に空間における異なる方向において形成される信号強度の分布を指し得る。受信ビームは、アンテナから受信された無線信号の、空間において異なる方向である信号強度の分布を指し得る。
【０１１３】
ＮＲプロトコルにおける、上述の列挙されたビームの具現化は単に例であり、本願に対していかなる限定も構成しないものとすることが理解されるべきである。本願は、同一または類似の意味を表す別の用語が将来のプロトコルにおいて定義される可能性を除外しない。
【０１１４】
加えて、ビームは、ワイドビームおよびナロービーム、または、別の種類のビームであり得る。ビームを形成する技術は、ビームフォーミング技術または別の技術であり得る。ビームフォーミング技術は具体的には、デジタルビームフォーミング技術、アナログビームフォーミング技術、ハイブリッドデジタル／アナログビームフォーミング技術などであり得る。異なるビームは異なるリソースとみなされ得る。同一の情報または異なる情報が異なるビーム上で送信され得る。
【０１１５】
任意選択で、同一または類似の通信の特徴を有する複数のビームは１本のビームとみなされ得る。１本のビームは、１または複数のアンテナポートを含み得、データチャネル、制御チャネル、サウンディング信号などを送信するために使用される。１本のビームを形成する１または複数のアンテナポートはまた、１個のアンテナポートセットとみなされ得る。
【０１１６】
２．ビームペア関係
ビームペア関係は、送信ビームと受信ビームとの間のペア関係、すなわち、空間領域送信フィルタと空間領域受信フィルタとの間のペア関係である。比較的大きいビームフォーミング利得が、ビームペア関係を有する送信ビームと受信ビームとの間で信号を送信することによって取得できる。
【０１１７】
実装において、送信側および受信側は、ビームトレーニングを通じてビームペア関係を取得し得る。具体的には、送信側は、ビームスイープ方式で参照信号を送信し得、受信側はまた、ビームスイープ方式で参照信号を受信し得る。具体的には、送信側は、ビームフォーミング方式で空間において異なる指向性ビームを形成し得、複数の異なる指向性ビームに対してポーリングを実行し得、異なる指向性ビームを使用することによって参照信号を送信し、その結果、送信ビームを使用することによって、参照信号を送信する電力が、向けられた方向において最大値に達することができる。受信側はまた、ビームフォーミング方式で、空間において異なる指向性のビームを形成し得、複数の異なる指向性ビームに対してポーリングを実行し得、異なる指向性ビームを使用することによって参照信号を受信し、その結果、受信ビームを使用することによって、受信側によって参照信号を受信する電力が、向けられた方向において最大値に達することができる。
【０１１８】
各送信ビームおよび各受信ビームをトラバースすることによって、受信側は、受信された参照信号に基づいてチャネル測定を実行し、ＣＳＩを使用することによって、測定結果を送信側へ報告し得る。例えば、受信側は、送信側に対して、比較的大きい参照信号受信電力（ｒｅｆｅｒｅｎｃｅ  ｓｉｇｎａｌ  ｒｅｃｅｉｖｅｄ  ｐｏｗｅｒ、ＲＳＲＰ）で参照信号リソースの一部を報告し得、例えば、参照信号リソースの識別子を報告し、その結果、送信側は、データまたはシグナリング伝送中に、比較的良好なチャネル品質を有するビームペア関係を使用することによって、信号を送信および受信する。
【０１１９】
３．参照信号および参照信号リソース：
参照信号は、チャネル測定、チャネル推定などに使用され得る。参照信号リソースは、参照信号の伝送属性、例えば、時間周波数リソース位置、ポートマッピング関係、電力係数、およびスクランブリング符号を構成するために使用され得る。詳細については、現在の技術を参照されたい。送信側デバイスは、参照信号リソースに基づいて参照信号を送信し得、受信側デバイスは、参照信号リソースに基づいて参照信号を受信し得る。
【０１２０】
本願におけるチャネル測定はまた、ビーム測定を含む。具体的には、ビーム品質情報は、参照信号を測定することによって取得される。ビーム品質を測定するために使用されるパラメータは、ＲＳＲＰを含むが、これに限定されない。例えば、ビーム品質はまた、参照信号受信品質（ｒｅｆｅｒｅｎｃｅ  ｓｉｇｎａｌ  ｒｅｃｅｉｖｅｄ  ｑｕａｌｉｔｙ、ＲＳＲＱ）、信号対ノイズ比（ｓｉｇｎａｌ−  ｔｏ−ｎｏｉｓｅ  ｒａｔｉｏ、ＳＮＲ）、および、信号対干渉＋ノイズ比（ｓｉｇｎａｌ  ｔｏ  ｉｎｔｅｒｆｅｒｅｎｃｅ  ｐｌｕｓ  ｎｏｉｓｅ  ｒａｔｉｏ、ＳＩＮＲ）などのパラメータを使用することによって測定され得る。本願の実施形態において、説明を容易にするために、別段の指定が無い限り、チャネル測定はビーム測定とみなされ得る。
【０１２１】
参照信号は、例えば、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）、同期信号ブロック（ｓｙｎｃｈｒｏｎｉｚａｔｉｏｎ  ｓｉｇｎａｌ  ｂｌｏｃｋ、ＳＳＢ）、および、サウンディング参照信号（ｓｏｕｎｄｉｎｇ  ｒｅｆｅｒｅｎｃｅ  ｓｉｇｎａｌ、ＳＲＳ）を含み得る。これに対応して、参照信号リソースは、ＣＳＩ−ＲＳリソース（ＣＳＩ−ＲＳ  ｒｅｓｏｕｒｃｅ）、ＳＳＢリソース、またはＳＲＳリソース（ＳＲＳ  ｒｅｓｏｕｒｃｅ）を含み得る。
【０１２２】
上述のＳＳＢはまた、同期信号／物理ブロードキャストチャネルブロック（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ  ｂｌｏｃｋ、ＳＳ／ＰＢＣＨ  ｂｌｏｃｋ）と称され得、対応するＳＳＢリソースはまた、同期信号／物理ブロードキャストチャネルブロックリソース（ＳＳ／ＰＢＣＨ  ｂｌｏｃｋ  ｒｅｓｏｕｒｃｅ）（略してＳＳＢリソースと称され得る）と称され得ることに留意されたい。
【０１２３】
異なる参照信号リソースの間で区別するために、各参照信号リソースは、参照信号リソース識別子、例えば、ＣＳＩ−ＲＳリソースインジケータ（ＣＳＩ−ＲＳ  ｒｅｓｏｕｒｃｅ  ｉｎｄｉｃａｔｏｒ、ＣＲＩ）、ＳＳＢリソースインジケータ（ＳＳＢ  ｒｅｓｏｕｒｃｅ  ｉｎｄｉｃａｔｏｒ、ＳＳＢＲＩ）、または、ＳＲＳリソースインデックス（ＳＲＳ  ｒｅｓｏｕｒｃｅ  ｉｎｄｅｘ、ＳＲＩ）に対応し得る。
【０１２４】
ＳＳＢリソース識別子はまた、ＳＳＢインデックス（ＳＳＢ  ｉｎｄｅｘ）と称され得る。
【０１２５】
上で列挙された参照信号および対応する参照信号リソースは単に説明のための例であり、本願に対していかなる限定も構成しないものとすることが理解されるべきである。本願は、将来のプロトコルにおいて、同一または類似機能を実装する別の参照信号を定義する可能性を排除しない。
【０１２６】
４．アンテナポート（ａｎｔｅｎｎａ  ｐｏｒｔ）：
アンテナポートは略してポートと称される。ポートは、受信側デバイスによって識別される送信アンテナ、または、空間において区別できる送信アンテナである。１個のアンテナポートは、仮想アンテナごとに構成され得、仮想アンテナは、複数の物理的アンテナの加重組み合わせであり得、各アンテナポートは１つの参照信号ポートに対応し得る。
【０１２７】
５．疑似コロケーション（ｑｕａｓｉ−ｃｏ−ｌｏｃａｔｉｏｎ、ＱＣＬ）：
疑似コロケーションはまた、疑似コロケーションと称される。ＱＣＬ関係を有するアンテナポートに対応する信号は、同一パラメータを有し、１個のアンテナポートのパラメータは、アンテナポートとＱＣＬ関係を有する別のアンテナポートのパラメータを決定するために使用され得、２つのアンテナポートは同一パラメータを有し、または、２つのアンテナポートの間のパラメータ差は閾値未満である。パラメータは、遅延スプレッド（ｄｅｌａｙ  ｓｐｒｅａｄ）、ドップラースプレッド（Ｄｏｐｐｌｅｒ  ｓｐｒｅａｄ）、ドップラーシフト（Ｄｏｐｐｌｅｒ  ｓｈｉｆｔ）、平均遅延（ａｖｅｒａｇｅ  ｄｅｌａｙ）、平均利得、および、空間受信パラメータ（ｓｐａｔｉａｌ  Ｒｘ  ｐａｒａｍｅｔｅｒ）のうち１または複数を含み得る。空間受信パラメータは、到来角（ａｎｇｌｅ  ｏｆ  ａｒｒｉｖａｌ、ＡＯＡ）、平均ＡＯＡ、ＡＯＡスプレッド、発射角（ａｎｇｌｅ  ｏｆ  ｄｅｐａｒｔｕｒｅ、ＡＯＤ）、平均発射角ＡＯＤ、ＡＯＤスプレッド、受信アンテナ空間相関パラメータ、送信アンテナ空間相関パラメータ、送信ビーム、受信ビーム、およびリソース識別子のうち１または複数を含み得る。
【０１２８】
上述の角度は、異なる次元の分解値、または、異なる次元の分解値の組み合わせであり得る。アンテナポートは、異なるアンテナポート番号を有するアンテナポート、同一のアンテナポート番号を有し、異なる時間で、異なる周波数、および／または、異なる符号領域リソース上で情報を送信または受信するために使用されるアンテナポート、および／または、異なるアンテナポート番号を有し、異なる時間で、異なる周波数、および／または、異なる符号領域リソース上で情報を送信または受信するために使用されるアンテナポートである。リソース識別子は、ＣＳＩ−ＲＳリソース識別子、ＳＲＳリソース識別子、ＳＳＢリソース識別子、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）上で送信されるプリアンブル配列のリソース識別子、または、復調参照信号（ｄｅｍｏｄｕｌａｔｉｏｎ  ｒｅｆｅｒｅｎｃｅ  ｓｉｇｎａｌ、ＤＭＲＳ）のリソース識別子を含み得、リソース上のビームを指示するために使用される。
【０１２９】
ＮＲプロトコルにおいて、ＱＣＬ関係は、異なるパラメータに基づいて、以下の４つの種類に分類され得る。
タイプＡ（ｔｙｐｅ  Ａ）：ドップラーシフト、ドップラースプレッド、平均遅延、および遅延スプレッド、
タイプＢ（ｔｙｐｅ  Ｂ）：ドップラーシフトおよびドップラースプレッド、
タイプＣ（ｔｙｐｅ  Ｃ）：ドップラーシフトおよび平均遅延、
タイプＤ（ｔｙｐｅ  Ｄ）：空間受信パラメータ。
【０１３０】
本願の実施形態におけるＱＣＬはタイプＤのＱＣＬである。以下において別段の指定が無い限り、ＱＣＬは、タイプＤのＱＣＬ、すなわち、空間受信パラメータに基づいて定義されるＱＣＬとして理解され得る。
【０１３１】
ＱＣＬ関係がタイプＤのＱＣＬ関係であるとき、ＱＣＬ関係は空間ＱＣＬとみなされ得る。アンテナポートが空間ＱＣＬ関係を満たすとき、ダウンリンク信号のポートとダウンリンク信号のポートとの間、または、アップリンク信号のポートとアップリンク信号のポートとの間のＱＣＬ関係は、２つの信号が同一のＡＯＡまたはＡＯＤを有することであり得、２つの信号が同一の受信ビームまたは送信ビームを有することを指示するために使用される。別の例として、ダウンリンク信号とアップリンク信号との間、または、アップリンク信号のポートとダウンリンク信号のポートとの間のＱＣＬ関係は、２つの信号のＡＯＡとＡＯＤとの間に対応関係があること、または、２つの信号のＡＯＤとＡＯＡとの間に対応関係があることであり得る。具体的には、ダウンリンク受信ビームに基づいてアップリンク送信ビームを決定するために、または、アップリンク送信ビームに基づいてダウンリンク受信ビームを決定するために、ビームレシプロシティが使用され得る。
【０１３２】
送信側の観点からは、２つのアンテナポートが空間ＱＣＬである場合、それは、２つのアンテナポートの対応するビーム方向が空間において一致することを意味し得る。受信側の観点からは、２つのアンテナポートが空間ＱＣＬである場合、それは、２つのアンテナポートを使用することによって送信された信号を受信側が同一のビーム方向において受信できることを意味し得る。
【０１３３】
空間ＱＣＬ関係を有するポート上で送信される信号は更に、対応するビームを有し得る。対応するビームは、同一の受信ビーム、同一の送信ビーム、受信ビームに対応する（レシプロシティシナリオに対応する）送信ビーム、送信ビームに対応する（レシプロシティシナリオに対応する）受信ビームのうち少なくとも１つを含む。
【０１３４】
空間ＱＣＬ関係を有するポート上で送信される信号は、同一の空間フィルタ（ｓｐａｔｉａｌ  ｆｉｌｔｅｒ）を使用することによって受信または送信される信号として代替的に理解され得る。空間フィルタは、プリコーディング、アンテナポートの加重、アンテナポートの位相偏向、およびアンテナポートの振幅利得のうち少なくとも１つであり得る。
【０１３５】
空間ＱＣＬ関係を有するポート上で送信される信号は、対応するビームペアリンク（ｂｅａｍ  ｐａｉｒ  ｌｉｎｋ、ＢＰＬ）を有するものとして代替的に理解され得る。対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【０１３６】
したがって、空間受信パラメータ（すなわち、タイプＤのＱＣＬ）は、受信ビームの方向情報を指示するために使用されるパラメータとして理解され得る。
【０１３７】
６．伝送構成インジケータ（ｔｒａｎｓｍｉｓｓｉｏｎ  ｃｏｎｆｉｇｕｒａｔｉｏｎ  ｉｎｄｉｃａｔｏｒ、ＴＣＩ）ステータス：
ＴＣＩ状態は、２つの種類の参照信号の間のＱＣＬ関係を指示するために使用され得る。各ＴＣＩ状態は、サービングセルインデックス（ＳｅｒｖｉｎｇＣｅｌｌＩｎｄｅｘ）、帯域幅部分（ｂａｎｄｗｉｄｔｈ  ｐａｒｔ、ＢＷＰ）識別子（ｉｄｅｎｔｉｆｉｅｒ、ＩＤ）、および参照信号リソース識別子を含み得る。参照信号リソース識別子は、例えば、非ゼロ電力（ｎｏｎ−ｚｅｒｏ−ｐｏｗｅｒ、ＮＺＰ）ＣＳＩ−ＲＳリソース識別子（ＮＺＰ−ＣＳＩ−ＲＳ−ＲｅｓｏｕｒｃｅＩｄ）、非ゼロ電力ＣＳＩ−ＲＳリソースセット識別子（ＮＺＰ−ＣＳＩ−ＲＳ−ＲｅｓｏｕｒｃｅＳｅｔＩｄ）、または、ＳＳＢインデックス（ＳＳＢ−Ｉｎｄｅｘ）のうち少なくとも１つであり得る。
【０１３８】
サービングセルインデックス、ＢＷＰ  ＩＤ、および参照信号リソース識別子は、ビームトレーニングプロセスにおいて使用される参照信号リソース、対応するサービングセル、および対応するＢＷＰを指示するために使用される。ビームトレーニングプロセスにおいて、ネットワークデバイスは、異なる送信ビームを使用することによって、異なる参照信号リソースに基づいて参照信号を送信し、したがって、異なる送信ビームを使用することによって送信される参照信号は、異なる参照信号リソースに関連し得、端末デバイスは、異なる受信ビームを使用することによって、異なる参照信号リソースに基づいて参照信号を受信し、したがって、異なる受信ビームを使用することによって受信された参照信号はまた、異なる参照信号リソースと関連付けられ得る。したがって、ビームトレーニングプロセスにおいて、端末デバイスは、サービングセルインデックス、ＢＷＰ  ＩＤ、参照信号リソース識別子、および受信ビームの間の対応関係を維持し得、ネットワークデバイスは、サービングセルインデックス、ＢＷＰ  ＩＤ、参照信号リソース識別子、および送信ビームの間の対応関係を維持し得る。受信ビームと送信ビームとの間のペア関係は、参照信号リソース識別子を使用することによって確立され得る。
【０１３９】
後続の通信プロセスにおいて、端末デバイスは、ネットワークデバイスによって指示されるＴＣＩ状態に基づいて受信ビームを決定し得、ネットワークデバイスは同一のＴＣＩ状態に基づいて送信ビームを決定し得る。
【０１４０】
加えて、ＴＣＩ状態はグローバルに構成され得る。異なるセルおよび異なるＢＷＰについて構成されたＴＣＩ状態において、ＴＣＩ状態のインデックスが同一である場合、対応するＴＣＩ状態の構成も同一である。例えば、以下に示される表１および表２におけるＴＣＩ状態０の構成は同一であり得る。
【０１４１】
７．ＴＣＩ：
ＴＣＩはＴＣＩ状態を指示するために使用され得る。
【０１４２】
実装において、ネットワークデバイスは、上位層シグナリング（例えばＲＲＣメッセージ）を使用することによって、端末デバイスについてＴＣＩ状態（ＴＣＩ  ｓｔａｔｅ）リストを構成し得る。例えば、ネットワークデバイスは、ＲＲＣメッセージにおけるＴＣＩ状態増加モデルリスト（ｔｃｉ−ＳｔａｔｅｓＴｏＡｄｄＭｏｄＬｉｓｔ）を使用することによって、端末デバイスについてＴＣＩ状態リストを構成し得る。ＴＣＩ状態リストは複数のＴＣＩ状態を含み得る。例えば、ネットワークデバイスは、各セルにおけるＢＷＰごとに最大６４のＴＣＩ状態を構成し得る。
【０１４３】
その後、ネットワークデバイスは、上位層シグナリング（例えばＭＡＣ  ＣＥ）を使用することによって１または複数のＴＣＩ状態をアクティブ化し得る。アクティブ化ＴＣＩ状態は、ＲＲＣメッセージを使用することによって構成されるＴＣＩ状態リストのサブセットである。例えば、ネットワークデバイスは、各セルにおけるＢＷＰごとに最大８のＴＣＩ状態をアクティブ化し得る。
【０１４４】
図３は、従来技術におけるＭＡＣ  ＣＥのフォーマットの概略図である。図に示されるように、図におけるオクテット（Ｏｃｔ、ｏｃｔｅｔ）は、８ビット（ｂｉｔｓ）を含むバイト（ｂｙｔｅ）を表す。ＭＡＣ  ＣＥは、指示されたサービングセルにおいて示されるＰＤＳＣＨ、ＰＵＳＣＨ、ＰＤＣＣＨなどについてＴＣＩ状態を構成するために使用される。具体的には、ＭＡＣ  ＣＥは、サービングセル（ｓｅｒｖｉｎｇ  ｃｅｌｌ）の識別子（ｉｄｅｎｔｉｆｉｅｒ、ＩＤ）、ＢＷＰのＩＤ、ＴＣＩ状態がアクティブ化されるかどうかを指示するために使用される指示ビットを含む。ＭＡＣ  ＣＥを使用することによって指示されるアクティブ化ＴＣＩ状態は、ＭＡＣ  ＣＥを使用することによって指示されるサービングセルおよびＢＷＰについて構成されるＴＣＩ状態として理解され得る。言い換えれば、ＰＤＳＣＨ、ＰＵＳＣＨ、またはＰＤＣＣＨがサービングセルにおけるＢＷＰにおいて送信されるとき、送信ビームおよび受信ビームは、ＴＣＩ状態を使用することによって指示される情報に基づいて決定され得る。
【０１４５】
具体的には、ＭＡＣ  ＣＥにおけるＴｉは、各ＴＣＩ状態がアクティブ化されているかどうかを指示するために使用される。各Ｔｉは１ビットを占有し得、ｉは、ＲＲＣメッセージにおけるｔｃｉ−ＳｔａｔｅｓＴｏＡｄｄＭｏｄＬｉｓｔを使用することによって構成されるＴＣＩ状態リストにおける第ｉのＴＣＩ状態に対応する。例えば、ｉはＴＣＩ状態ＩＤ（ＴＣＩ−ＳｔａｔｅＩｄ）の値に等しい。Ｔｉの値は１または０であり得る。１は、ＴＣＩ状態がアクティブ化に選択されていることを指示し得、０は、ＴＣＩ状態がアクティブ化に選択されていないことを指示し得る。値が１である最大で８のＴｉがあり得る場合、それぞれのＴｉは、ＤＣＩにおける３ビットＴＣＩフィールドの値に対応し得る。言い換えれば、ＴＣＩとＴＣＩ状態との間には１対１の対応関係がある。例えば、ＴＣＩ状態がＴＣＩ値に対応することを可能にする方法は、Ｔｉがｉの昇順に０００、００１、０１０、０１１、１００、１０１、１１０および１１１に対応することを可能にし得る、または、Ｔｉがｉの降順に０００、００１、０１０、０１１、１００、１０１、１１０および１１１に対応することを可能にし得る。本願ではこれに限定されない。ｉの昇順で対応関係が実行される方法が例として使用される。Ｔ０、Ｔ１、...、およびＴ７の８個の値が１であることが、ＭＡＣ  ＣＥを使用することによって指示される場合、ＤＣＩにおける３ビットＴＣＩフィールドのすべての値と、ＴＣＩ状態との間の対応関係は以下の通りであり得る。０００がＴ０、すなわち、ＴＣＩ状態０に対応し、００１がＴ１、すなわち、ＴＣＩ状態１に対応し、残りは同様に推定され得る。マッピング関係は具体的には、以下の表１において示され得る。
【表１】
2021532628.tif 000003
【０１４６】
単に理解を容易にするために、上記は、複数のＴＣＩ値と複数のＴＣＩ状態との間の１対１の対応関係を示すことが理解されるべきである。しかしながら、これは本願に対していかなる限定も構成しないものとする。加えて、単に理解を容易にするために、上記は、複数のＴＣＩフィールド値と、複数のＴＣＩ状態との間の１対１の対応関係を、表の形式で提示する。しかしながら、これは本願に対していかなる限定も構成しないものとする。このマッピング関係は、代替的に別の方式で提示され得る。本願ではこれに限定されない。加えて、マッピング関係は、複数のＴＣＩ値と複数のＴＣＩ状態との間の１対１の対応関係に限定されない。１つのアクティブ化ＴＣＩ状態のみがあるとき、マッピング関係は、１つのＴＣＩ値と１つのＴＣＩ状態との間の対応関係である。この場合、ＴＣＩ状態は直接決定され得る。ネットワークデバイスは更に、以下で説明されたＴＣＩを使用することによって、選択されたＴＣＩ状態を指示し得る、または、ＴＣＩを使用することによって、選択されたＴＣＩ状態を追加的に指示しないことがあり得る。本願ではこれに限定されない。
【０１４７】
説明を容易にするために、ＭＡＣ  ＣＥを使用することによって指示される、少なくとも１つのＴＣＩ値と少なくとも１つのＴＣＩ状態との間の１対１の対応関係は、以下では略してマッピング関係と称される。マッピング関係は各ＣＣ上のＢＷＰごとに構成される。
【０１４８】
次に、ネットワークデバイスは更に、物理層シグナリング（例えば、ダウンリンク制御情報（ｄｏｗｎｌｉｎｋ  ｃｏｎｔｒｏｌ  ｉｎｆｏｒｍａｔｉｏｎ、ＤＣＩ））におけるＴＣＩフィールドを使用することによって、選択されたＴＣＩ状態を指示し得る。ＤＣＩは例えば、物理ダウンリンクリソースをスケジューリングするためにＤＣＩに適用可能であり得る。
【０１４９】
１つのＴＣＩ状態の構成情報は、１または２つの参照信号リソース識別子、および、参照信号リソース識別子に関連するＱＣＬタイプを含み得る。ＱＣＬ関係がタイプＡ、タイプＢ、またはタイプＣのうち１つになるように構成されるとき、端末デバイスは、ＴＣＩ状態の指示に基づいて、ＰＤＣＣＨまたはＰＤＳＣＨを復調し得る。ＱＣＬ関係がタイプＤになるように構成されるとき、端末デバイスは、信号を送信するためにネットワークデバイスによって使用される送信ビームを知り得、更に、チャネル測定を通じて決定されたビームペア関係に基づいて、信号を受信するために使用される受信ビームを決定し得る。端末デバイスは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）上のＤＣＩにおけるＴＣＩフィールドに基づいて、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信するための受信ビームを決定し得る。
【０１５０】
ＴＣＩ状態を使用することによって指示されるサービングセルと、ダウンリンク信号を端末デバイスへ送信するようスケジューリングされたサービングセルとが同一のサービングセルでないとき、例えば、ＴＣＩ状態を使用することによって指示されるサービングセルがセル♯０であり、ダウンリンク信号を端末デバイスへ送信するようスケジューリングされたサービングセルがセル♯１であるとき、端末デバイスはまた、ＴＣＩ状態に基づいて受信ビームを決定し得ることに留意されたい。ＴＣＩ状態を使用することによって指示される送信ビームは、セル♯０におけるネットワークデバイスの送信ビームであり、例えば、送信ビーム＃０として表される。セル♯０およびセル♯１が共通サイト（ｃｏ−ｓｉｔｅｄ）である場合、セル♯１におけるネットワークデバイスは、送信ビーム＃０を直接使用してダウンリンク信号を送信し得る。セル♯０およびセル♯１が異なるサイト（ｉｎｔｅｒ−ｓｉｔｅｄ）である場合、セル♯１のネットワークデバイスは、送信ビーム＃０の方向に基づいて、ネットワークデバイスによって送信されるビームの方向を決定し得る。例えば、方向は、送信ビーム＃０と同一または同様の角度を有する方向であり得る、または、無指向性送信ビームが選択され得る。ネットワークデバイスによって送信されるビームの方向を、送信ビーム＃０に基づいてネットワークデバイスによって選択するための具体的な方法が、アルゴリズムを使用することによって実装され得る。本願ではこれに限定されない。
【０１５１】
８．空間関係（ｓｐａｔｉａｌ  ｒｅｌａｔｉｏｎ、ＳＲ）：
空間関係はまた、アップリンクＴＣＩ（ｕｐｌｉｎｋ  ＴＣＩ、ＵＬ  ＴＣＩ）と称され得る。上で説明されたＴＣＩと同様に、空間関係は、アップリンク信号を送信するためのビームを決定するために使用され得る。空間関係は、ビームトレーニングを通じて決定され得る。ビームトレーニングに使用される参照信号は、例えば、サウンディング参照信号（ｓｏｕｎｄｉｎｇ  ｒｅｆｅｒｅｎｃｅ  ｓｉｇｎａｌ、ＳＲＳ）などのアップリンク参照信号であり得る、または、上で列挙されたＳＳＢもしくはＣＳＩ−ＲＳなどのダウンリンク参照信号であり得る。
【０１５２】
各空間関係は、サービングセルインデックス（ＳｅｒｖｉｎｇＣｅｌｌＩｎｄｅｘ）および参照信号リソース識別子を含み得る。参照信号リソース識別子は例えば、ダウンリンクＢＷＰ  ＩＤ（ｄｏｗｎｌｉｎｋ  ＢＷＰ  ＩＤ）およびＳＳＢインデックス（ＳＳＢ−Ｉｎｄｅｘ）、ダウンリンクＢＷＰ  ＩＤおよび非ゼロ電力ＣＳＩ−ＲＳ参照信号リソース識別子（ＮＺＰ−ＣＳＩ−ＲＳ−Ｒｅｓｏｕｒｃｅ  Ｉｄ）、または、アップリンクＢＷＰ  ＩＤおよびＳＲＳリソース識別子（ＳＲＳ−Ｒｅｓｏｕｒｃｅ  Ｉｄ）のうちいずれか１つであり得る。
【０１５３】
サービングセルインデックス、ＢＷＰ  ＩＤ、および参照信号リソース識別子は、ビームトレーニングプロセスに使用される参照信号リソース、対応するサービングセル、および、対応するＢＷＰを指示する。１つの空間関係は、１つの送信ビームを決定するために使用される。具体的には、１つのサービングセルインデックス、１つのＢＷＰ  ＩＤ、および、１つの参照信号リソース識別子が、１つの送信ビームを決定するために使用され得る。端末デバイスは、ビームトレーニングプロセスにおいて、サービングセルインデックス、ＢＷＰ  ＩＤ、および参照信号リソース識別子のすべてと送信ビームとの間の対応関係を維持し得る。ネットワークデバイスは、ビームトレーニングプロセスにおいて、サービングセルインデックス、ＢＷＰ  ＩＤ、および参照信号リソース識別子のすべてと受信ビームとの間の対応関係を維持し得る。送信ビームと受信ビームとの間のペア関係は、参照信号リソース識別子を使用することによって確立され得る。
【０１５４】
後続の通信プロセスにおいて、端末デバイスは、ネットワークデバイスによって指示される空間関係に基づいて、送信ビームを決定し得、ネットワークデバイスは、同一お空間関係に基づいて受信ビームを決定し得る。
【０１５５】
加えて、各空間関係は更に、電力制御情報を含み得る。電力制御情報は、例えば、予測された受信電力、経路損失参照信号、および、経路損失補償パラメータαのうち少なくとも１つを含み得る。端末デバイスは、電力制御情報に基づいて、アップリンク信号を送信するために使用される送信電力を決定し得る。
【０１５６】
加えて、空間関係はグローバルに構成され得る。異なるセルおよび異なるＢＷＰに構成される空間関係において、空間関係の識別子が同一である場合、対応する空間関係の構成も同一である。
【０１５７】
９．空間関係インジケータ（ｓｐａｔｉａｌ  ｒｅｌａｔｉｏｎ  ｉｎｄｉｃａｔｏｒ、ＳＲＩ）：
空間関係インジケータは空間関係を指示するために使用され得る。
【０１５８】
実装において、ネットワークデバイスは、上位層シグナリング（例えばＲＲＣメッセージ）を使用することによって、端末デバイスについて空間関係リストを構成し得る。空間関係リストは、複数の空間関係を含み得る。例えば、ネットワークデバイスは、各セルにおけるＢＷＰごとに最大６４の空間関係を構成し得る。
【０１５９】
そして、ネットワークデバイスは、上位層シグナリング（例えばＭＡＣ  ＣＥ）を使用することによって、１または複数の空間関係をアクティブ化し得る。アクティブ化された空間関係は、ＲＲＣメッセージを使用することによって構成される空間関係リストのサブセットである。例えば、ネットワークデバイスは、各セルにおけるＢＷＰごとに最大８個のＴＣＩ状態をアクティブ化し得る。ＭＡＣ  ＣＥを使用することによってネットワークデバイスが空間関係をアクティブ化する特定の方式は、ＴＣＩ状態をアクティブ化する特定の方式と同一である。ＭＡＣ  ＣＥを使用することによってＴＣＩ状態をアクティブ化する特定の方式を上で詳細に説明した。簡潔にするため、ここでは詳細について改めて説明しない。ＭＡＣ  ＣＥを使用することによって実行されるアクティブ化に基づいて、端末デバイスは、少なくとも１つのＳＲＩと少なくとも１つの空間関係との間のマッピング関係を決定し得る。マッピング関係の特定の形式は、例えば、上の表１に示されるものと同様であり得る。簡潔にするために、ここでは例を使用することによって説明を記載しない。
【０１６０】
そして、ネットワークデバイスは、物理層シグナリング（例えばＤＣＩ）におけるＳＲＩフィールドを使用することによって、選択された空間関係を指示し得る。ＤＣＩは例えば、アップリンクグラント（ｕｐｌｉｎｋ  ｇｒａｎｔ、ＵＬ  ｇｒａｎｔ）リソースをスケジューリングするために使用されるＤＣＩであり得る。端末デバイスは、少なくとも１つのＳＲＩと少なくとも１つの空間関係との間のマッピング関係、および、受信ＳＲＩに基づいて、選択された空間関係を決定し得る。
【０１６１】
ダウンリンクＴＣＩと同様に、１つの空間関係の構成情報は、１または２つの参照信号リソース識別子、および関連するＱＣＬタイプを含み得る。ＱＣＬ関係がタイプＡ、タイプＢ、またはタイプＣのうち１つとなるように構成されるとき、端末デバイスは、ＴＣＩ状態の指示に基づいて、ＰＤＣＣＨまたはＰＤＳＣＨを復調し得る。ＱＣＬ関係がタイプＤとなるように構成されているとき、端末デバイスは、信号を受信するためにネットワークデバイスによって使用される受信ビームを知り得、更に、チャネル測定を通じて決定されたビームペア関係に基づいて、信号を送信するために使用される送信ビームを決定し得る。
【０１６２】
加えて、１つの空間関係の構成情報は、１または２つの参照信号リソース識別子、および、関連する空間フィルタを含み得る。例えば、ＳＳＢインデックスが空間関係において構成されているとき、端末デバイスは、ＳＳＢインデックスに対応する空間フィルタを使用することによって信号を送信し得る。ＳＳＢインデックスに対応する空間フィルタは、ビームトレーニングプロセスにおいて、ＳＳＢインデックスを使用することによって識別されるＳＳＢを受信するために使用される空間フィルタであり得る。
【０１６３】
端末デバイスは、ＰＤＣＣＨ上のＤＣＩにおけるＳＲＩフィールドに基づいて、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を送信するための送信ビームを決定し得る。
【０１６４】
空間関係を使用することによって指示されるサービングセルと、アップリンク信号を端末デバイスへ送信するためにスケジューリングされるサービングセルとが同一のサービングセルでないとき、例えば、空間関係を使用することによって指示されるサービングセルがセル♯０であり、アップリンク信号を端末デバイスへ送信するためにスケジューリングされるサービングセルがセル♯１であるとき、端末デバイスはまた、空間関係に基づいて送信ビームを決定し得ることに留意されたい。空間関係を使用することによって指示される受信ビームは、例えば、セル♯０におけるネットワークデバイスの受信ビームであり、受信ビーム＃０として表される。セル♯０およびセル♯１が共通サイト（ｃｏ−ｓｉｔｅｄ）である場合、セル♯１におけるネットワークデバイスは、受信ビーム＃０を直接使用してアップリンク信号を受信し得る。セル♯０およびセル♯１が異なるサイト（ｉｎｔｅｒ−ｓｉｔｅｄ）である場合、セル♯１のネットワークデバイスは、受信ビーム＃０の方向に基づいて、ネットワークデバイスの受信ビームの方向を決定し得る。例えば、方向は、受信ビーム＃０と同一または同様の角度を有する方向であり得る、または、無指向性受信ビームが選択され得る。ネットワークデバイスの受信ビームの方向を、受信ビーム＃０に基づいてネットワークデバイスによって選択するための具体的な方法が、アルゴリズムを使用することによって実装され得る。本願ではこれに限定されない。
【０１６５】
１０．セル（ｃｅｌｌ）：
セルは、基地局識別コードまたはセルグローバル識別子によって識別される無線カバレッジエリアである。各ネットワークデバイスのカバレッジは１または複数のサービングセルに分割され得、サービングセルは周波数領域リソースを含むものとみなされ得る。本願の実施形態において、セルはサービングセルまたはＣＣと置き換えられ得る。本願の実施形態において、「セル」、「サービングセル」および「ＣＣ」という用語が交互に使用されているが、用語の間の違い強調されないとき、それらの用語によって表現される意味は一貫している。同様に、「サービングセルインデックス」、「サービングセル識別子（ＩＤ）」、「セル識別子（セルＩＤ）」、「ＣＣ識別子（ＣＣ  ＩＤ）」という用語が交互に使用されるが、用語の間の違いが強調されないとき、それらの用語によって表現される意味は一貫している。
【０１６６】
セルは、ネットワークデバイスの無線ネットワークのカバレッジ内のエリアであり得ることに留意されたい。本願の実施形態において、異なるセルは異なるネットワークデバイスに対応し得る。例えば、セル♯１におけるネットワークデバイスおよびセル♯２におけるネットワークデバイスは、基地局などの異なるネットワークデバイスであり得る。すなわち、セル♯１およびセル♯２は異なる基地局によって管理され得る。この場合、言い換えれば、セル♯１およびセル♯２は、共通サイトでも異なるサイトでもよい。セル♯１におけるネットワークデバイスおよびセル♯２におけるネットワークデバイスは、代替的に、同一の基地局の異なる無線周波数処理ユニット、例えば、無線遠隔ユニット（ｒａｄｉｏ  ｒｅｍｏｔｅ  ｕｎｉｔ、ＲＲＵ）であり得る。言い換えれば、セル♯１およびセル♯２は、同一の基地局によって管理され、同一のベースバンド処理ユニットおよび同一の中間周波数処理ユニットを有するが、異なる無線周波数処理ユニットを有し得る。これは、本願において特に限定されない。
【０１６７】
１１．キャリアアグリゲーション（ｃａｒｒｉｅｒ  ａｇｇｒｅｇａｔｉｏｎ、ＣＡ）：
断片化されたスペクトルを効率的に使用するべく、システムは、異なるコンポーネントキャリアの間の集約をサポートする。より大きい伝送帯域幅をサポートするために２以上のキャリアが集約される技術は、キャリアアグリゲーションと称され得る。図４は、本願の実施形態によるキャリアアグリゲーションの概略図である。図に示されるように、図４のＡは、同一の帯域における２つの連続的ＣＣがスケジューリングされることを示す。これは、省略して帯域内連続的である称され得る。図４のＢは、同一の帯域における２つの非連続的ＣＣがスケジューリングされることを示す。これは、省略して帯域内非連続的であると称され得る。図４におけるＣは、異なる帯域における２つのＣＣがスケジューリングされることを示す。これは、省略して帯域間非連続的であると称され得る。
【０１６８】
キャリアアグリゲーションは端末デバイスに固有である。異なるＣＣが異なる端末デバイスに構成され得る。各ＣＣが独立のセルに対応し得る。本願の本実施形態において、１つのＣＣは、１つのセルと同等であり得る。例えば、プライマリセル（ｐｒｉｍａｒｙ  ｃｅｌｌ、ＰＣｅｌｌ）は、プライマリＣＣに対応し、端末のために最初の接続を確立するセル、ＲＲＣ接続を再確立するセル、または、ハンドオーバー（ｈａｎｄｏｖｅｒ）プロセスにおいて指定されるプライマリセルであり得る。セカンダリセル（ｓｅｃｏｎｄａｒｙ  ｃｅｌｌ、ＳＣｅｌｌ）はセカンダリＣＣ（またはセカンダリコンポーネントキャリアと称される）に対応し、ＲＲＣ再設定中に追加される、かつ、追加の無線リソースを提供するために使用されるセルであり得る。
【０１６９】
接続された状態にある端末デバイスについては、キャリアアグリゲーションが構成されない場合、端末デバイスは１つのサービングセルを有し、または、キャリアアグリゲーションが構成される場合、端末デバイスは、サービングセルセットと称され得る複数のサービングセル（ｓｅｒｖｉｎｇ  ｃｅｌｌ）を有し得る。例えば、端末デバイスのサービングセル（ｓｅｒｖｉｎｇ  ｃｅｌｌ）セットはプライマリセルおよびセカンダリセルを含む。言い換えれば、サービングセルセットは、少なくとも１つのプライマリセルおよび少なくとも１つのセカンダリセルを含む。言い換えれば、キャリアアグリゲーションが構成される端末は１つのＰＣｅｌｌおよび複数のＳＣｅｌｌに接続され得る。
【０１７０】
例えば、図１に示されるネットワークデバイス１１０は、端末デバイス１２０にキャリアアグリゲーションを構成し得る。図２に示されるネットワークデバイス２１０およびネットワークデバイス２２０の両方は、端末デバイス２３０にキャリアアグリゲーションを構成し得る。
【０１７１】
１２．クロスキャリアスケジューリング（ｃｒｏｓｓ−ｃａｒｒｉｅｒ  ｓｃｈｅｄｕｌｉｎｇ）：
ネットワークデバイスがＣＣ上で物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を送信し、別のＣＣ上のデータ伝送をスケジューリングする。具体的には、ネットワークデバイスは、別のＣＣ上で物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を送信する、または、別のＣＣ上で物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を送信する。より具体的には、ネットワークデバイスは、ＣＣ上のＢＷＰにおいてＰＤＣＣＨを送信し、別のＣＣ上のＢＷＰにおけるＰＤＳＣＨまたはＰＵＳＣＨの伝送をスケジューリングし得る。すなわち、制御チャネルがＣＣ上で送信され、対応するデータチャネルが別のＣＣ上で送信される。
【０１７２】
ＰＤＣＣＨ上のダウンリンク制御情報（ｄｏｗｎｌｉｎｋ  ｃｏｎｔｒｏｌ  ｉｎｆｏｒｍａｔｉｏｎ、ＤＣＩ）は、キャリアインジケータフィールド（ｃａｒｒｉｅｒ  ｉｎｄｉｃａｔｏｒ  ｆｉｅｌｄ、ＣＩＦ）を使用することによって、スケジューリングされたＣＣを指示するために使用され得る。すなわち、ＣＩＦは、セルを指定するために使用され得、ここで、ＰＤＣＣＨは、セルにおけるＰＤＳＣＨ／ＰＵＳＣＨリソースに対応する。
【０１７３】
１３．帯域幅部分（ＢＷＰ）：
ＮＲにおいて、同一セルにおける異なる端末デバイスの送信または受信機能は異なり得る。したがって、システムは、端末デバイスごとに対応する帯域幅を構成し得る。端末デバイスに構成された帯域幅のこの部分はＢＷＰと称され、端末デバイスは、端末デバイスのＢＷＰにおける伝送を実行する。ＢＷＰは、キャリア上の連続する周波数領域リソースのグループであり得る。異なるＢＷＰは、部分的に重複する周波数領域リソースを占有し得る、または、重複しない周波数領域リソースを占有し得る。異なるＢＷＰは、同一の帯域幅または異なる帯域幅における周波数領域リソースを占有し得る。本願ではこれに限定されない。
【０１７４】
異なるＢＷＰがシステムにおける異なる端末デバイスに構成され得る。異なるサービスをサポートするべく、異なるＢＷＰは異なる構成パラメータ（ヌメロロジー）をサポートし得る。ヌメロロジーとはＮＲに新たに導入された概念であり、具体的には、通信システムにおいて使用されるパラメータのセットとして理解され得る。例えば、ヌメロロジーは、サブキャリア間隔（ｓｕｂｃａｒｒｉｅｒ  ｓｐａｃｉｎｇ、ＳＣＳ）、シンボル長、巡回プレフィックス（ｃｙｃｌｉｃ  ｐｒｅｆｉｘ、ＣＰ）長、リソースブロック（ｒｅｓｏｕｒｃｅ  ｂｌｏｃｋ、ＲＢ）の量、スロット長、フレームフォーマットなどを含み得る。１つのセルは、１または複数のヌメロロジーをサポートし得、１つのＢＷＰは１つのヌメロロジーをサポートし得る。本明細書におけるヌメロロジーに含まれる、列挙された特定の内容は単に、説明のための例として使用され、本願に対していかなる限定も構成しないものとすることが理解されるべきである。例えば、ヌメロロジーは更に、ＮＲにおいてサポートできる別の粒度のパラメータを含み得る。
【０１７５】
結論として、異なる伝送帯域幅（例えば、ＢＷＰに含まれる異なる量のＲＢ）、異なるサブキャリア間隔、異なる巡回プレフィックス（ｃｙｃｌｉｃ  ｐｒｅｆｉｘ、ＣＰ）などが異なるＢＷＰに構成され得る。
【０１７６】
データを端末デバイスへ送信する前に、ネットワークデバイスは、端末デバイスのために物理的リソースを事前にスケジューリングし得る。ネットワークデバイスは、例えばＰＤＣＣＨを使用することによって、端末デバイスのために物理ダウンリンク共有チャネルＰＤＳＣＨまたはＰＵＳＣＨをスケジューリングし得る。ネットワークデバイスが端末デバイスにキャリアアグリゲーションを構成する場合、ネットワークデバイスがＰＤＣＣＨを送信するＣＣは、ＰＤＳＣＨまたはＰＵＳＣＨが送信されるＣＣと異なり得る。例えば、ＰＤＣＣＨはＣＣ♯０上で送信され、ＰＤＳＣＨまたはＰＵＳＣＨはＣＣ♯１上で送信される。これは上で説明されたクロスキャリアスケジューリングである。代替的に、ＰＤＣＣＨを送信するためにネットワークデバイスによって使用されるＢＷＰは、ＰＤＳＣＨまたはＰＵＳＣＨを送信するために使用されるＢＷＰと異なる。例えば、ＰＤＣＣＨは、ＣＣ♯０上のＢＷＰ♯０において送信され、ＰＤＳＣＨまたはＰＵＳＣＨはＣＣ♯０上のＢＷＰ♯２において送信される。代替的に、ＰＤＣＣＨを送信するためにネットワークデバイスによって使用されるＣＣおよびＢＷＰの両方は、ＰＤＳＣＨまたはＰＵＳＣＨを送信するために使用されるＣＣおよびＢＷＰと異なる。例えば、ＰＤＣＣＨは、ＣＣ♯０上のＢＷＰ♯０において送信され、ＰＤＳＣＨまたはＰＵＳＣＨはＣＣ♯１上のＢＷＰ♯１において送信される。
【０１７７】
ダウンリンク伝送が例として使用される。ネットワークデバイスは、各ＣＣ上の各ＢＷＰに基づいて、端末デバイスアクティブ化ＴＣＩ状態を構成する。例えば、ネットワークデバイスは、ＣＣ♯０上のＢＷＰ♯０においてＰＤＣＣＨを送信し、ＣＣ♯１上のＢＷＰ♯１においてＰＤＳＣＨを送信する。この場合、端末デバイスは、ＣＣ♯０上のＢＷＰ♯０に基づいて構成されたアクティブ化ＴＣＩ状態、および、ＣＣ♯１上のＢＷＰ♯１に構成されたアクティブ化ＴＣＩ状態を事前受信し得る。
【０１７８】
例えば、ＣＣ♯０上のＢＷＰ♯０に構成されたアクティブ化ＴＣＩ状態は、ＴＣＩ状態０〜７を含み、ＣＣ♯１上のＢＷＰ♯２に構成されたアクティブ化ＴＣＩ状態は、ＴＣＩ状態０およびＴＣＩ状態４〜６を含む。この場合、表１および表２におけるマッピング関係が取得され得る。表１は、ＣＣ♯０上のＢＷＰ♯０に構成されるマッピング関係を示す。表１が上で示されているので、ここでは改めて表１を繰り返さない。表２は、ＣＣ♯１上のＢＷＰ♯１に構成されるマッピング関係を示す。詳細は以下の通りである。
【表２】
2021532628.tif 000004
【０１７９】
異なるマッピング関係が使用されるとき、ＴＣＩフィールドを使用することによって指示されるＴＣＩ状態は異なり得ることが分かる。例えば、ＴＣＩフィールドが「０１０」であるとき、ＴＣＩフィールドは表１のＴＣＩ状態２に対応し、表２のＴＣＩ状態５に対応する。ＴＣＩ状態２およびＴＣＩ状態５は、異なる送信ビームおよび／または受信ビームに基づいて、トレーニングを通じて取得され、ＴＣＩ状態２およびＴＣＩ状態５に基づいて決定される送信ビームおよび受信ビームの両方は異なり得ることが理解され得る。
【０１８０】
端末デバイスは、ネットワークデバイスが、ＣＣ♯０上のＢＷＰ♯０に構成されたＴＣＩ状態に基づいてＰＤＳＣＨを送信するか、または、ＣＣ♯１上のＢＷＰ♯１に構成されたＴＣＩ状態に基づいてＰＤＳＣＨを送信するかを知らないことがあり得るので、端末デバイスは、ＰＤＳＣＨを受信するために使用される受信ビームを決定できない。端末デバイスによって選択された受信ビームが、ＰＤＳＣＨを送信するためにネットワークデバイスによって使用される送信ビームに対応しない場合、端末デバイスによって受信されたＰＤＳＣＨの品質は、あまり良くないことがあり得る。したがって、信号受信品質が影響を受け、ユーザエクスペリエンスが低減する。
【０１８１】
これに鑑みて、本願は信号送受信方法を提供し、受信側および送信側が正確な受信ビームおよび正確な送信ビームを使用して信号を受信および送信することを助け、それにより、信号受信品質を改善し、ユーザエクスペリエンスを改善する。
【０１８２】
以下では、添付の図面を参照して本願の実施形態について詳しく説明する。
【０１８３】
以下に示される実施形態において、「第１」、「第２」、「第３」、「第４」および様々な数値は単に、説明を容易にするための区別に使用され、本願の実施形態の範囲を限定するために使用されるものではないことが理解され得る。例えば、「第１」、「第２」、「第３」、「第４」および様々な数値は、異なるコンポーネントキャリア、異なるセル、異なるＢＷＰ、異なる指示情報などを区別するために使用される。
【０１８４】
以下に示される実施形態において、「事前に取得」は、ネットワークデバイスシグナリングを使用することによって指示されること、または、事前定義されること、例えば、プロトコルにおいて定義されることを含み得ることが更に理解されるべきである。「事前定義される」ことは、対応するコードまたは対応する表をデバイス（例えば、端末デバイスおよびネットワークデバイスを含む）に事前に格納することによって、または、関連情報を指示するために使用され得る別の方式で実装され得る。「事前定義される」の具体的な実装は本願において限定されない。
【０１８５】
本願の実施形態における「格納」は、１または複数のメモリへの格納であり得ることが更に理解されるべきである。１または複数のメモリは、別々に配置され得る、または、エンコーダもしくはデコーダ、プロセッサまたは通信機器に統合され得る。代替的に、１または複数のメモリの一部は、別々に配置され得、１または複数のメモリの一部はデコーダ、プロセッサまたは通信機器に統合される。メモリの種類は任意の形式の記憶媒体であり得る。本願ではこれに限定されない。
【０１８６】
本願の実施形態における「プロトコル」は、通信分野における標準プロトコルであり得、例えばＬＴＥプロトコル、ＮＲプロトコル、および、将来の通信システムに使用される関連プロトコルを含み得ることが更に理解されるべきである。本願ではこれに限定されない。
【０１８７】
本願における技術的解決手段は、無線通信システム、例えば、図１に示される通信システム１００、または、図２に示される通信システム２００において使用され得る。無線通信システムに配置される２つの通信機器の間には無線通信接続関係があり得る。２つの通信機器のうち１つは、例えば、図１に示されるネットワークデバイス１１０に対応し得、例えば、ネットワークデバイス１１０、またはネットワークデバイス１１０に配置されるチップであり得る。２つの通信機器のうちの他方は，例えば、図１における端末デバイス１２０に対応し得、例えば、端末デバイス１２０、または、端末デバイス１２０に配置されるチップであり得る。別の例として、２つの通信機器のうち１つは、図２に示されるネットワークデバイス２１０に対応し得、例えば、ネットワークデバイス２１０、または、ネットワークデバイス２１０に配置されるチップであり得る。別の例として、２つの通信機器のうち他方は、図２に示される端末デバイス２３０に対応し得、例えば、端末デバイス２３０、または端末デバイス２３０に配置されるチップであり得る。なお別の例として、２つの通信機器のうち１つは、図２に示されるネットワークデバイス２２０に対応し得、例えば、ネットワークデバイス２２０、または、ネットワークデバイス２２０に配置されるチップであり得る。なお別の例として、２つの通信機器のうち他方は、図２に示される端末デバイス２３０に対応し得、例えば、端末デバイス２３０、または端末デバイス２３０に配置されるチップであり得る。
【０１８８】
一般性を失うことなく、以下では最初に、１つの端末デバイスと１つのネットワークデバイスとの間のダウンリンク伝送プロセスを例とって使用することによって、本願の実施形態を詳細に説明する。無線通信システム、または端末デバイスに配置されるチップにおける任意の端末デバイスは、同一の方法に基づいてダウンリンク信号を受信し得、無線通信システム、またはネットワークデバイスに配置されるチップにおける任意のネットワークデバイスは、同一の方法に基づいてダウンリンク信号を送信し得ることが理解され得る。本願ではこれに限定されない。
【０１８９】
図５は、装置インタラクションの観点からの信号送受信方法３００の概略フローチャートである。図に示されるように、図５に示される方法３００は、段階３０１から段階３１１を含み得る。以下では、図５を参照して、方法３００における段階を詳細に説明する。
【０１９０】
段階３０１において、ネットワークデバイスは、第１ＣＣ上の第１ＢＷＰにおいて第１指示情報を送信し、第１指示情報は、ダウンリンク信号を送信するための第２ＢＷＰ、および／または、第２ＢＷＰが属する第２ＣＣを指示するために使用される。これに対応して、段階３０１において端末デバイスは、第１ＣＣ上の第１ＢＷＰにおいて第１指示情報を受信する。
【０１９１】
区別および説明を容易にするために、本実施形態において、ネットワークデバイスが第１指示情報を送信するＢＷＰは、第１ＢＷＰと表され、第１ＢＷＰは第１ＣＣに属する。ネットワークデバイスがダウンリンク信号を送信するＢＷＰは第２ＢＷＰと表され、第２ＢＷＰは第２ＣＣに属する。ＢＷＰは異なる識別子を使用することによって区別され得る。すなわち、異なるＢＷＰは異なるＢＷＰ  ＩＤに対応する。ＣＣはまた、異なる識別子を使用することによって区別され得る。すなわち、異なるＣＣは異なるＣＣ  ＩＤに対応する。
【０１９２】
例えば、第１ＣＣは上で説明されるＣＣ♯０であり得、第１ＢＷＰは上で説明されるＢＷＰ♯０であり得、第２ＣＣは上で説明されるＣＣ♯１であり得、第２ＢＷＰは上で説明されるＢＷＰ♯１であり得る。
【０１９３】
上で列挙された第１ＣＣ、第１ＢＷＰ、第２ＣＣおよび第２ＢＷＰは、単に例であり、本願に対していかなる限定も構成しないものとすることが理解されるべきである。第１ＣＣおよび第２ＣＣは同一のＣＣであり得る、または、異なるＣＣであり得る。第１ＣＣおよび第２ＣＣが同一のＣＣであるかどうかに関係なく、第１ＢＷＰおよび第２ＢＷＰは異なるＢＷＰである。言い換えれば、第１指示情報を送信するのに使用される周波数領域リソースと、ダウンリンク信号を送信するのに使用される周波数領域リソースとは、異なるＢＷＰに属する。
【０１９４】
第１指示情報における指示フィールドは、ＣＣの指示フィールド、および／または、ＢＷＰの指示フィールドを含み得る。したがって、第１指示情報は、第２ＣＣのみを指示するために使用され得る、または、第２ＢＷＰのみを指示するために使用され得る、または、第２ＣＣおよび第２ＢＷＰを指示し得る。具体的には、第１ＣＣおよび第２ＣＣが同一のＣＣであるとき、第１指示情報は、第２ＢＷＰの指示フィールドのみを含み得る、または、第２ＣＣの指示フィールドおよび第２ＢＷＰの指示フィールドを含み得る。第１ＣＣおよび第２ＣＣが異なるＣＣであり、第２ＣＣが１つのＢＷＰ、すなわち第２ＢＷＰのみを含むとき、第１指示情報は、第２ＣＣの指示フィールドのみを含み得る、または、第２ＣＣの指示フィールドおよび第２ＢＷＰの指示フィールドを含み得る。第１ＣＣおよび第２ＣＣが異なるＣＣであり、第２ＣＣが複数のＢＷＰを含むとき、第１指示情報は、第２ＣＣの指示フィールド、および、第２ＢＷＰの指示フィールドを含み得る。
【０１９５】
ＣＣが１つのＢＷＰのみを含むとき、ＣＣはＢＷＰとして理解され得ることに留意されたい。この場合、ＣＣおよびＢＷＰは同等とみなされ得る。同一のサブキャリア間隔は、全体のＣＣ上のリソースに構成され得る。ＢＷＰのサブキャリア間隔は、ＣＣのサブキャリア間隔とみなされ得る。
【０１９６】
可能なケースにおいて、第１指示情報はＤＣＩ、ＲＲＣメッセージ、またはＭＡＣ  ＣＥにおいて伝送され得る。ダウンリンク信号はＰＤＳＣＨ上で伝送され得る。
【０１９７】
第１指示情報がＤＣＩにおいて伝送されるとき、ネットワークデバイスは、ＰＤＣＣＨを使用することによって第１指示情報を端末デバイスへ送信し得、ダウンリンク信号はＰＤＳＣＨ上で伝送され得る。言い換えれば、第１ＢＷＰは、ＰＤＣＣＨを送信するのに使用されるＢＷＰであり得、第２ＢＷＰは、ＰＤＳＣＨを送信するのに使用されるＢＷＰであり得る。
【０１９８】
別の可能なケースにおいて、第１指示情報はＲＲＣメッセージにおいて伝送され得、ダウンリンク信号はＰＤＣＣＨであり得る。
【０１９９】
言い換えれば、第１ＢＷＰは、ＲＲＣメッセージを送信するために使用されるＢＷＰであり得、第２ＢＷＰは、ＰＤＣＣＨを送信するために使用されるＢＷＰであり得る。
【０２００】
第１指示情報を受信した後に、端末デバイスは、第２ＣＣ上の第２ＢＷＰにおいてダウンリンク信号を受信することを決定し得る。ダウンリンク信号を受信する前に、端末デバイスは更に、受信されたＴＣＩを使用することによって指示されるＴＣＩ状態に基づいて、受信ビームを決定し得る。
【０２０１】
上で説明されたように、ネットワークデバイスは、ＲＲＣメッセージを使用することによって、端末デバイスにＴＣＩ状態リストを指示し得、ＴＣＩ状態リストは複数のＴＣＩ状態を含み得る。任意選択で、方法３００は更に、段階３０２を含む。ネットワークデバイスはＲＲＣメッセージを送信し、ＲＲＣメッセージはＴＣＩ状態リストを含み、ＴＣＩ状態リストは複数のＴＣＩ状態を含む。これに対応して、段階３０２において、端末デバイスはＲＲＣメッセージを受信する。
【０２０２】
そして、ネットワークデバイスは、ＭＡＣ  ＣＥを使用することによって、アクティブ化ＴＣＩ状態を端末デバイスに指示し得る。任意選択で、方法３００は更に段階３０３を含む。端末デバイスは複数のＭＡＣ  ＣＥを受信し、複数のＭＡＣ  ＣＥの各々は、少なくとも１つのマッピング関係、ならびに、対応するＣＣおよびＢＷＰを指示するために使用される。
【０２０３】
複数のＭＡＣ  ＣＥは、同一のネットワークデバイスによって端末デバイスへ送信され得る。例えば、複数のＭＡＣ  ＣＥを使用することによって指示されるＣＣは共通サイトである、または、複数のＭＡＣ  ＣＥを使用することによって指示されるＣＣは異なるサイトであるが、異なるＣＣ上のネットワークデバイスは、Ｘ２インタフェースを通じてマッピング関係の関連情報を取得する。例えば、第１ＣＣ上のネットワークデバイスは、Ｘ２インタフェースを通じて、第２ＣＣ上の各ＢＷＰのマッピング関係、すなわち、以下で説明される第１マッピング関係を取得し得る、または、Ｘ２インタフェースを通じて、第２ＣＣ上の第２ＢＷＰのマッピング関係、すなわち、以下で説明される第１マッピング関係を取得し得る。
【０２０４】
代替的に、複数のＭＡＣ  ＣＥは、異なるネットワークデバイスによって端末デバイスへ送信され得る。例えば、複数のＭＡＣ  ＣＥを使用することによって指示されるＣＣは、異なるサイトであり、ＣＣ上のネットワークデバイスはそれぞれ、セルに構成されたマッピング関係を端末デバイスへ送信し得る。例えば、第１ＣＣ上のネットワークデバイスは、第１ＣＣ上のＢＷＰ（第１ＢＷＰを含む）のマッピング関係を端末デバイスへ送信し得る、または、第１ＣＣ上の第１ＢＷＰのマッピング関係を端末デバイスへ送信し得る。第２ＣＣ上のネットワークデバイスは、第２ＣＣ上のＢＷＰ（第２ＢＷＰを含む）のマッピング関係を端末デバイスへ送信し得る、または、第２ＣＣ上の第２ＢＷＰのマッピング関係を端末デバイスへ送信し得る。
【０２０５】
図は単に例であり、同一のネットワークデバイスが複数のＭＡＣ  ＣＥを端末デバイスへ送信する場合を示す。しかしながら、これは、本願に対していかなる限定も構成しないものとする。
【０２０６】
端末デバイスは、複数のＭＡＣ  ＣＥを受信した後に、上で説明された方法に基づいて、各ＣＣ上の各ＢＷＰのマッピング関係を決定し得る。したがって、端末デバイスは複数のマッピング関係を決定し得る。各マッピング関係は、少なくとも１つのＴＣＩ値と少なくとも１つのＴＣＩ状態との間の１対１の対応関係を指示するために使用され得る。マッピング関係、および、マッピング関係を使用することによって指示される内容の特定の指示方式が上で詳細に説明される。簡潔にするため、ここでは詳細について改めて説明しない。
【０２０７】
この実施形態において、端末デバイスおよびネットワークデバイスは、第１指示情報を使用することによって指示される第２ＣＣおよび第２ＢＷＰに基づいて、ＴＣＩ状態を決定するために複数のマッピング関係からどのマッピング関係が選択されるかを決定し得る。区別および説明を容易にするために、ＴＣＩ状態を決定するために使用されるマッピング関係は、ここでは第１マッピング関係として表される。
【０２０８】
段階３０４において、端末デバイスは、第１指示情報を使用することによって指示される第２ＣＣおよび／または第２ＢＷＰに基づいて第１マッピング関係を決定する。
【０２０９】
具体的には、端末デバイスは、第２ＣＣおよび／または第２ＢＷＰに基づいて複数のマッピング関係における第１マッピング関係を決定し得る。
【０２１０】
第１ＣＣおよび第２ＣＣが同一のＣＣであるとき、ある実装において、第１指示情報は、第２ＢＷＰのみを指示するために使用され得る。プロトコルはデフォルトで、ＢＷＰのみを指示するために第１指示情報が使用されるとき、第１指示情報を送信するためのＣＣ、および、ダウンリンク信号を送信するためにスケジューリングされるＣＣは、同一のＣＣであることを指定し得る。第１指示情報を受信するとき、端末デバイスは、第１指示情報を使用することによって指示される第２ＢＷＰに基づいて、第１指示情報を送信するための第２ＢＷＰおよび第１ＢＷＰは同一のＣＣに属すると決定し得る。加えて、端末デバイスは、第１指示情報を受信するためのＣＣ、および、第１指示情報を使用することによって指示されるＢＷＰに基づいて、第１マッピング関係を決定し得る。別の実装において、第１指示情報は代替的に、第２ＣＣおよび第２ＢＷＰを指示するために使用され得、端末デバイスは、第１指示情報を使用することによって指示される第２ＣＣおよび第２ＢＷＰに基づいて第１マッピング関係を決定し得る。この場合、第２ＣＣおよび第１ＣＣは同一のＣＣである。
【０２１１】
第１ＣＣおよび第２ＣＣが異なるＣＣであり、第２ＣＣが１つのＢＷＰのみを含むとき、ある実装において、第１指示情報は、第２ＣＣのみを指示するために使用され得る。プロトコルはデフォルトで、ＣＣのみを指示するために第１指示情報が使用されるとき、指示されたＣＣは１つのＢＷＰのみを含むことを指定し得る。端末デバイスは、第１指示情報を受信するとき、第１指示情報を使用することによって指示される第２ＣＣに基づいて、第１マッピング関係を決定し得る。この場合、ＴＣＩ状態をアクティブ化するために使用されるＭＡＣ  ＣＥにおけるＢＷＰ  ＩＤはすべて「０」であり得る。上で説明されたように、１つのＣＣが１つのＢＷＰのみを含むとき、ＣＣおよびＢＷＰは同等とみなされ得る。端末デバイスは、第２ＣＣに基づいて第１マッピング関係を決定する、または、端末デバイスが第２ＢＷＰに基づいて第１マッピング関係を決定するとみなされ得る。別の実装において、第１指示情報は代替的に、第２ＣＣおよび第２ＢＷＰを指示するために使用され得、端末デバイスは、第１指示情報を使用することによって指示される第２ＣＣおよび第２ＢＷＰに基づいて第１マッピング関係を決定し得る。
【０２１２】
第１ＣＣおよび第２ＣＣが異なるＣＣであり、第２ＣＣが複数のＢＷＰを含むとき、第１指示情報は、第２ＣＣおよび第２ＢＷＰを指示するために使用され得る。端末デバイスは、第１指示情報を使用することによって指示される第２ＣＣおよび第２ＢＷＰに基づいて第１マッピング関係を決定し得る。
【０２１３】
以下では、第２ＣＣおよび／または第２ＢＷＰに基づいて第１マッピング関係を決定するプロセスを説明するために、図３に示されるＭＡＣ  ＣＥのフォーマットを例として使用する。
【０２１４】
第２ＣＣおよび第２ＢＷＰに基づいて第１マッピング関係を決定するとき、端末デバイスは、第２ＣＣのＩＤおよび第２ＢＷＰのＩＤに基づいて、第１マッピング関係を決定するために使用できるＭＡＣ  ＣＥを検索し得る。第１マッピング関係を決定するために使用されるＭＡＣ  ＣＥにおいて、サービングセルのＩＤは第２ＣＣのＩＤであり、ＢＷＰのＩＤは第２ＢＷＰのＩＤであり、指示ビットが「１」であるＴｉはアクティブ化ＴＣＩ状態を指示する。例えば、第２ＣＣが、上で説明されるＣＣ♯１であり、第２ＢＷＰが、上で説明されるＢＷＰ♯１であるとき、ＴＣＩ状態０およびＴＣＩ状態４〜６がアクティブ化され、その結果、表２に示されるマッピング関係が取得され得る。表２に示されるマッピング関係は、第１マッピング関係の例である。
【０２１５】
第２ＣＣのＩＤのみに基づいて第１マッピング関係を決定するとき、端末デバイスは、第２ＣＣのＩＤに基づいて、第１マッピング関係を決定するために使用できるＭＡＣ  ＣＥを検索し得る。第１マッピング関係を決定するために使用されるＭＡＣ  ＣＥにおいて、サービングセルのＩＤは第２ＣＣのＩＤであり、ＢＷＰのＩＤはすべて「０」であり、指示ビットが「１」であるＴｉはアクティブ化ＴＣＩ状態を指示する。
【０２１６】
段階３０５、ネットワークデバイスは、第２ＣＣおよび／または第２ＢＷＰに基づいて第１マッピング関係を決定する。
【０２１７】
ネットワークデバイスが第２ＣＣおよび／または第２ＢＷＰに基づいて第１マッピング関係を決定する具体的なプロセスは、端末デバイスが第２ＣＣおよび／または第２ＢＷＰに基づいて第１マッピング関係を決定する具体的なプロセスと同様である。簡潔にするため、ここでは詳細について改めて説明しない。
【０２１８】
上記では、異なる場合において、第１マッピング関係が第２ＣＣおよび／または第２ＢＷＰに基づいて決定されることを詳細に説明した。
【０２１９】
この実施形態において、ネットワークデバイスは、第２ＣＣおよび／または第２ＢＷＰに基づいて第１マッピング関係を決定することを決定し得、シグナリングを使用することによって、第２ＣＣおよび／または第２ＢＷＰに基づいて第１マッピング関係を決定することを端末デバイスに指示し得る。
【０２２０】
任意選択で、段階３０４および段階３０５の前に、方法３００は更に、以下を含む。ネットワークデバイスは、第２指示情報を送信し、第２指示情報は、第２ＣＣおよび／または第２ＢＷＰに基づいて第１マッピング関係を決定することを指示するために使用される。これに対応して、端末デバイスは第２指示情報を受信する。
【０２２１】
第２指示情報は、第２ＣＣおよび／または第２ＢＷＰに基づいて第１マッピング関係を決定することを明示的に指示するために使用されると理解され得る。
【０２２２】
可能な設計において、第２指示情報は、ＲＲＣメッセージにおいて伝送され得る。例えば、情報要素（ｉｎｆｏｒｍａｔｉｏｎ  ｅｌｅｍｅｎｔ、ＩＥ）がＲＲＣメッセージに追加され、第２ＣＣおよび／または第２ＢＷＰに基づいて第１マッピング関係を決定するかどうかを決定することを指示するために使用される。例えば、ＩＥは１ビットを占有し得る。ビットが「１」に設定されているとき、ＩＥは、第２ＣＣおよび／または第２ＢＷＰに基づいて第１マッピング関係を決定することを指示するために使用され得る。ＩＥが「０」に設定されているとき、ＩＥは、第２ＣＣおよび／または第２ＢＷＰに基づいて第１マッピング関係を決定しないことを指示するために使用され得る。代替的に、ビットが「０」に設定されているとき、ＩＥは、第２ＣＣおよび／または第２ＢＷＰに基づいて第１マッピング関係を決定することを指示するために使用され得る。ＩＥが「１」に設定されているとき、ＩＥは、第２ＣＣおよび／または第２ＢＷＰに基づいて第１マッピング関係を決定しないことを指示するために使用され得る。ネットワークデバイスが、第２ＣＣおよび／または第２ＢＷＰに基づいて第１マッピング関係を決定しないことを端末デバイスに指示するとき、ネットワークデバイスおよび端末デバイスは、第１マッピング関係を決定するために使用される別の方式、例えば、第１ＣＣおよび／または第１ＢＷＰに基づいて第１マッピング関係を決定する方式について事前合意し得る。
【０２２３】
ＲＲＣメッセージにおけるＩＥを使用することによって、第２ＣＣおよび／または第２ＢＷＰに基づいて第１マッピング関係を決定するかどうかの列挙された指示は、第２指示情報の可能な実装に過ぎず、本願に対していかなる限定も構成しないものとすることが理解されるべきである。第２指示情報を使用することによって、第１マッピング関係を決定するために使用される具体的な方法を指示するための方法は本願において限定されない。
【０２２４】
この実施形態において、ネットワークデバイスおよび端末デバイスは代替的に、事前設定条件に基づいて、第２ＣＣおよび／または第２ＢＷＰに基づいて第１マッピング関係を決定するかどうかを決定し得る。
【０２２５】
第１指示情報がＤＣＩであり、ダウンリンク信号がＰＤＳＣＨ上で伝送されるとき、第１指示情報はＤＣＩを通じてＰＤＣＣＨ上で送信されるので、ＰＤＣＣＨを送信するためのＣＣ（すなわち第１ＣＣ）またはＢＷＰ（すなわち第１ＢＷＰ）は、低周波数送信に適切であり、ＰＤＳＣＨを送信するためのＣＣ（すなわち第２ＣＣ）またはＢＷＰ（すなわち第２ＢＷＰ）は、高周波数送信に適切である。理由は以下の通りである。信号が低周波数で送信されるとき、経路損失は比較的小さく、信号強度は比較的高く、ネットワークデバイスは通常、低周波数帯域におけるＣＣにワイドビームを構成し、ワイドビームは、角度領域カバレッジを改善するために使用できる。したがって、伝送ロバスト性が高く、ＰＤＣＣＨなどの制御チャネルは送信に適切である。信号が高周波数で送信されるとき、帯域幅は比較的大きく、伝送速度が比較的高く、ネットワークデバイスは通常、高周波数帯域におけるＣＣにナロービームを構成し、受信中の信号対ノイズ比または信号対干渉＋ノイズ比は、ナロービームを使用することによって改善できる。したがって、スループットを強化でき、ＰＤＳＣＨなどのデータチャネルは送信に適切である。通常、低周波数帯域のためにネットワークデバイスによって構成されるＴＣＩ状態は、ワイドビームを用いた、または、ビームフォーミングを用いない伝送に対応し得、高周波数帯域のためにネットワークデバイスによって構成されるＴＣＩ状態は、ナロービームを用いる伝送に対応し得る。したがって、第１ＣＣまたは第１ＢＷＰが低周波数帯域にあり、かつ、第２ＣＣまたは第２ＢＷＰが高周波数帯域にあるとき、第１マッピング関係は、高周波数帯域における第２ＣＣおよび／または第２ＢＷＰに基づいて決定され得る。
【０２２６】
任意選択で、段階３０４は具体的には、第１ＣＣおよび第２ＣＣ、または、第１ＢＷＰおよび第２ＢＷＰが第１事前設定条件を満たすとき、端末デバイスによって、第２ＣＣおよび／または第２ＢＷＰに基づいて第１マッピング関係を決定する段階を含む。
【０２２７】
これに対応して、段階３０５は具体的には、第１ＣＣおよび第２ＣＣ、または、第１ＢＷＰおよび第２ＢＷＰが第１事前設定条件を満たすとき、ネットワークデバイスによって、第２ＣＣおよび／または第２ＢＷＰに基づいて第１マッピング関係を決定する段階を含む。
【０２２８】
第１事前設定条件は以下のいずれか１つを含む。
ａ．第１ＣＣは低周波数帯域にあり第２ＣＣは高周波数帯域にある。
ｂ．第１ＣＣが属する帯域（ｂａｎｄ）が、第２ＣＣが属する帯域と異なる。
ｃ．第１ＣＣおよび第２ＣＣが同一の帯域に属するが、第１ＣＣおよび第２ＣＣが周波数領域において非連続的である。
ｄ．第１ＢＷＰが低周波数帯域にあり、第２ＢＷＰが高周波数帯域にある。
ｅ．第１ＢＷＰが属する帯域が、第２ＢＷＰが属する帯域と異なる。
ｆ．第１ＢＷＰおよび第２ＢＷＰが同一の帯域に属するが、第１ＢＷＰおよび第２ＢＷＰは周波数領域において非連続的である。または、
ｇ．第１ＢＷＰのサブキャリア間隔は第２ＢＷＰのサブキャリア間隔と異なる。
言い換えれば、ネットワークデバイスおよび端末デバイスは、上述の列挙された事前設定条件ａ、ｂ、ｃ、ｄ、ｅ、ｆ、またはｇのいずれか１つに基づいて、第２ＣＣに基づいて第１マッピング関係を決定するかどうかを決定し得る。上で列挙された事前設定条件がプロトコルにおいてデフォルトで使用されるとき、ネットワークデバイスおよび端末デバイスは、同一の事前設定条件に基づいて、第２ＣＣおよび／または第２ＢＷＰに基づいて第１マッピング関係を決定するかどうかを決定し得る。
【０２２９】
以下では、上で列挙された事前設定条件を詳細にに説明する。
【０２３０】
ａ．第１ＣＣが低周波数帯域にあり、第２ＣＣが高周波数帯域にある。
【０２３１】
可能な実装において、ネットワークデバイスは、シグナリングを使用することによって、第１ＣＣおよび第２ＣＣの動作帯域を端末デバイスに指示し得る。第１ＣＣの動作帯域が６ＧＨｚなどの予め定められた閾値より低いとき、第１ＣＣは低周波数帯域にあるとみなされ得る。第１ＣＣの動作帯域が６ＧＨｚなどの予め定められた閾値以上であるとき、第１ＣＣは高周波数帯域にあるとみなされ得る。同様に、第２ＣＣの動作帯域が６ＧＨｚなどの事前設定閾値より低いとき、第２ＣＣは低周波数帯域にあるとみなされ得る。第２ＣＣの動作帯域が６ＧＨｚなどの事前設定閾値以上であるとき、第２ＣＣは高周波数帯域にあるとみなされ得る。
【０２３２】
具体的には、ネットワークデバイスは、以下に列挙された構成情報のうち少なくとも１つを使用することによって、第１ＣＣおよび第２ＣＣの帯域を端末デバイスに指示し得る。
（１）実際に送信または測定されたＳＳＢを指示するために使用されるパラメータ、例えば、ＳＳＢ送信（ＳＳＢ−ｔｒａｎｓｍｉｔｔｅｄ）またはＳＳＢ測定（ＳＳＢ−ｍｅａｓｕｒｅｄ）；
（２）サブキャリア間隔（ｓｕｂｃａｒｒｉｅｒ  ｓｐａｃｉｎｇ、ＳＣＳ）を指示するために使用される関連パラメータ、例えば、残りのシステム情報（ｒｅｍａｉｎｉｎｇ  ｓｙｓｔｅｍ  ｉｎｆｏｒｍａｔｉｏｎ、ＲＭＳＩ）‐ｓｃｓまたはＳＳＢ‐ｓｃｓ；および
（３）ヌメロロジー関連パラメータとも称される物理層パラメータセットを指示するために使用される関連パラメータ、例えば、ＤＬ‐ＢＷＰ‐μ（ダウンリンク帯域幅部分‐μ）
【０２３３】
ネットワークデバイスは、ＲＲＣメッセージ、または、システムメッセージもしくはブロードキャストメッセージなどの別のメッセージを使用することによって構成情報を配信し得る。加えて、ネットワークデバイスは代替的に、上述のパラメータを端末デバイスへ直接配信し得る。ネットワークデバイスが構成情報を配信する特定の方式は、本願に限定されない。
【０２３４】
理解を容易にするために、以下では、上述の構成情報と、上述の構成情報に基づいて動作帯域を決定する複数の例とを列挙する。
【０２３５】
表３は、ＳＳＢ送信の指示ビット長と動作帯域との間の対応関係を示す。
表３
【表３】
2021532628.tif 000005
【０２３６】
表４は、ＲＭＳＩ‐ｓｃｓと動作帯域との間の対応関係を示す。
表４
【表４】
2021532628.tif 000006
【０２３７】
表５は、ＳＳＢ‐ｓｃｓと動作帯域との間の対応関係を示す。
表５
【表５】
2021532628.tif 000007
【０２３８】
表６は、ＤＬ‐ＢＷＰ‐μと動作帯域との間の対応関係を示す。
表６
【表６】
2021532628.tif 000008
【０２３９】
ｂ．第１ＣＣが属する帯域は、第２ＣＣが属する帯域と異なる。
【０２４０】
ここでは、帯域は、オペレータに割り当てられた動作帯域として理解され得る。ＣＣが属する帯域は事前定義され得る、例えば、プロトコルにおいて定義される。同一のオペレータの帯域については、例えば帯域♯１として表される、第１ＣＣが属する帯域、および、例えば帯域♯２として表される、第２ＣＣが属する帯域が異なる帯域である場合、帯域♯１および帯域♯２は、周波数領域において互いから比較的遠く離れた２つの帯域であり得る。例えば、１つの帯域が低周波数帯域にあり、他方の帯域が高周波数帯域にある。通常、ネットワークデバイスは、制御シグナリングを送信するために高周波数帯域を選択する。具体的には、帯域♯１は低周波数帯域にあり得、帯域♯１から比較的遠く離れた帯域♯２は高周波数帯域にあり得る。
【０２４１】
ｃ．第１ＣＣおよび第２ＣＣは同一の帯域に属するが、第１ＣＣおよび第２ＣＣは周波数領域において非連続的である。
【０２４２】
上に説明されるように、ＣＣが属する帯域は事前定義され得る、例えば、プロトコルにおいて定義される。第１ＣＣおよび第２ＣＣが同一の帯域に属するとき、２つのＣＣが周波数領域において非連続的である場合、２つのＣＣは、周波数領域において互いから比較的遠く離れ得る。例えば、１つのＣＣは低周波数帯域にあり、他方のＣＣは高周波数帯域にある。通常、ネットワークデバイスは、制御シグナリングを送信するために低周波数領域リソースを選択する。この場合、第１ＣＣは低周波数帯域にあり得、第２ＣＣは、第１ＣＣから比較的遠く離れた高周波数帯域にあり得る。
【０２４３】
ｄ．第１ＢＷＰは低周波数帯域にあり、第２ＢＷＰは高周波数帯域にある。
【０２４４】
第１ＢＷＰおよび第２ＢＷＰが異なるＣＣに属するとき、第１ＣＣが低周波数帯域にあり、かつ、第２ＣＣが高周波数帯域にある場合、第１ＢＷＰは低周波数帯域にあり、第２ＢＷＰは高周波数帯域にある。すなわち、第１ＣＣおよび第２ＣＣが条件ａを満たすとき、第１ＢＷＰおよび第２ＢＷＰは条件ｄを満たす。端末デバイスは、第２ＣＣおよび／または第２ＢＷＰに基づいて第１マッピング関係を決定し得る。
【０２４５】
第１ＢＷＰおよび第２ＢＷＰが同一のＣＣに属するとき、第１ＢＷＰおよび第２ＢＷＰは同一の帯域に属する。
【０２４６】
可能な実装において、端末デバイスは、第１ＢＷＰおよび第２ＢＷＰがそれぞれ属するＣＣに基づいて、第１ＢＷＰおよび第２ＢＷＰの動作帯域を決定し得る。例えば、第１ＣＣが高周波数帯域にあるとき、第１ＢＷＰも高周波数帯域にある。第２ＣＣが低周波数帯域にあるとき、第２ＢＷＰも低周波数帯域にある。ネットワークデバイスは、シグナリングを使用することによって、ＣＣの動作帯域を指示し得る。上記では、ネットワークデバイスがシグナリングを使用することによってＣＣの動作帯域を指示する具体的なプロセスを詳細に説明した。簡潔にするため、ここでは詳細について改めて説明しない。
【０２４７】
第１ＢＷＰの動作帯域が、６ＧＨｚなどの予め定められた閾値より低いとき、第１ＢＷＰは低周波数帯域にあるとみなされ得る。第１ＢＷＰの動作帯域が６ＧＨｚなどの予め定められた閾値以上であるとき、第１ＢＷＰは高周波数帯域にあるとみなされ得る。同様に、第２ＢＷＰの動作帯域が６ＧＨｚなどの事前設定閾値より低いとき、第２ＢＷＰは低周波数帯域にあるとみなされ得る。第２ＢＷＰの動作帯域が６ＧＨｚなどの事前設定閾値以上であるとき、第２ＢＷＰは高周波数帯域にあるとみなされ得る。
【０２４８】
ｅ．第１ＢＷＰが属する帯域は、第２ＢＷＰが属する帯域とは異なる。
【０２４９】
第１ＢＷＰおよび第２ＢＷＰが異なるＣＣに属するとき、第１ＣＣが属する帯域が、第２ＣＣが属する帯域と異なる場合、第１ＢＷＰが属する帯域は、第２ＢＷＰが属する帯域とは確実に異なる。すなわち、第１ＣＣおよび第２ＣＣが条件ｂを満たすとき、第１ＢＷＰおよび第２ＢＷＰは条件ｅを満たす。
【０２５０】
第１ＢＷＰおよび第２ＢＷＰが同一のＣＣに属するとき、第１ＢＷＰおよび第２ＢＷＰは同一の帯域に属する。
【０２５１】
ｆ．第１ＢＷＰおよび第２ＢＷＰが同一の帯域に属するが、第１ＢＷＰおよび第２ＢＷＰが周波数領域において非連続的である。
【０２５２】
第１ＢＷＰおよび第２ＢＷＰが異なるＣＣに属するとき、第１ＣＣが属する帯域と、第２ＣＣが属する帯域とが同一の帯域であり、かつ、第１ＣＣおよび第２ＣＣが周波数領域において非連続的である場合、第１ＢＷＰが属する帯域と、第２ＢＷＰが属する帯域も同一の帯域であり、第１ＢＷＰおよび第２ＢＷＰは周波数領域において非連続的である。すなわち、第１ＣＣおよび第２ＣＣが条件ｃを満たすとき、第１ＢＷＰおよび第２ＢＷＰは条件ｆを満たす。
【０２５３】
第１ＢＷＰおよび第２ＢＷＰが同一のＣＣを属たすとき、第１ＢＷＰおよび第２ＢＷＰは周波数領域において非連続的であり得る。第１ＢＷＰおよび第２ＢＷＰが同一の帯域に属するが、第１ＢＷＰおよび第２ＢＷＰは、周波数領域において互いから比較的遠く離れている、例えば、１つのＢＷＰが低周波数帯域に位置し、かつ、他方のＢＷＰが高周波数帯域にあるとき、通常、ネットワークデバイスは、制御シグナリングを送信するために低周波数領域リソースを選択する。この場合、第１ＢＷＰは低周波数帯域にあり得、第１ＢＷＰから比較的遠く離れた第２ＢＷＰは高周波数帯域にあり得る。
【０２５４】
ｇ．第１ＢＷＰのサブキャリア間隔が第２ＢＷＰのサブキャリア間隔と異なる。
【０２５５】
第１ＢＷＰのサブキャリア間隔が第２ＢＷＰのサブキャリア間隔と異なるとき、第１ＢＷＰおよび第２ＢＷＰは異なるＢＷＰである。加えて、２つのＢＷＰが異なるＢＷＰであるとき、周波数領域における位置は異なる。例えば、低周波数帯域におけるサブキャリア間隔は小さく、例えば、１５ｋＨｚまたは３０ｋＨｚであり、高周波数帯域におけるサブキャリア間隔は大きく、例えば６０ｋＨｚまたは１２０ｋＨｚである。第１ＢＷＰのサブキャリア間隔が第２ＢＷＰのサブキャリア間隔と異なるとき、１つのサブキャリア間隔は低周波数帯域にあり得、他方のサブキャリア間隔は高周波数帯域にあり得る。通常、ネットワークデバイスは、制御シグナリングを送信するために低周波数領域リソースを選択する。この場合、第１ＢＷＰは低周波数帯域にあり得、第２ＢＷＰは高周波数帯域にあり得る。
【０２５６】
第１ＣＣが１つのＢＷＰのみを含み、第２ＣＣが１つのＢＷＰのみを含むとき、ＣＣはＢＷＰと同等なので、第１ＢＷＰのサブキャリア間隔が第２ＢＷＰのサブキャリア間隔と異なることは、第１ＣＣのサブキャリア間隔が第２ＣＣのサブキャリア間隔と異なることである理解され得ることに留意されたい。
【０２５７】
上述の事前設定条件ｂおよびｃは、事前設定条件ａの複数の可能なケースとして理解され得る、または、事前設定条件ａが満たされるかどうかを決定する可能な実装として理解され得、事前設定条件ｅ、ｆ、およびｇは、事前設定条件ｄの複数の可能なケースとして理解され得る。しかしながら、事前設定条件は第１マッピング関係が第２ＣＣおよび／または第２ＢＷＰに基づいて決定されるかどうかを決定するために使用されることは、上述の列挙された条件に限定されないことが理解されるべきである。可能な限り高周波数でデータチャネルを送信するべく、第１マッピング関係が第２ＣＣおよび／または第２ＢＷＰに基づいて決定されるかどうかを決定するために使用されるすべて方法は、本願の保護範囲に含まれるものとする。
【０２５８】
任意選択で、方法３００は更に段階３０６を含む。ネットワークデバイスはＴＣＩを送信し、ＴＣＩは、選択されたＴＣＩ状態を指示するために使用される。これに対応して、段階３０６において、端末デバイスはＴＣＩを受信する。
【０２５９】
具体的には、ＴＣＩは、第１マッピング関係から選択されたＴＣＩ状態を指示するために使用され得る。
【０２６０】
任意選択で、ＴＣＩは、ＤＣＩにおいて伝送され得る。すなわち、段階３０６は具体的には、ネットワークデバイスがＤＣＩを送信し、ＤＣＩはＴＣＩを含み、ＴＣＩは選択されたＴＣＩ状態を指示するために使用されることを含む。これに対応して、端末デバイスはＤＣＩを受信し、ＤＣＩはＴＣＩを含み、ＴＣＩは、選択されたＴＣＩ状態を指示するために使用される。
【０２６１】
上で説明されるように、可能なケースにおいて、第１指示情報は、ＤＣＩにおいて伝送され得る。第１指示情報を搬送するために使用されるＤＣＩ、および、ＴＣＩを搬送するために使用されるＤＣＩは同一のＤＣＩであり得る、または、異なるＤＣＩであり得る。本願ではこれに限定されない。
【０２６２】
任意選択で、ＴＣＩは事前構成され得る。例えば、端末デバイスおよびネットワークデバイスは、ＴＣＩについて合意し、事前にＴＣＩをローカルに格納する。
【０２６３】
段階３０７において、端末デバイスは、第１マッピング関係およびＴＣＩに基づいてＴＣＩ状態を決定する。
【０２６４】
具体的には、端末デバイスは、ＴＣＩフィールドにおける値、および、上で説明された（例えば上の表２の）第１マッピング関係に基づいてＴＣＩ状態を決定し得る。例えば、ＴＣＩフィールドにおける値が「０１０」であるとき、ＴＣＩ状態５は第１マッピング関係に基づいて決定され得る。言い換えれば、端末デバイスは、ＴＣＩ状態５における構成に基づいて受信ビームを決定し得る。
【０２６５】
これに対応して、段階３０８において、ネットワークデバイスは、第１マッピング関係およびＴＣＩに基づいてＴＣＩ状態を決定する。
【０２６６】
具体的には、ネットワークデバイスが第１マッピング関係およびＴＣＩに基づいてＴＣＩ状態を決定する具体的なプロセスは、端末デバイスが第１マッピング関係およびＴＣＩに基づいてＴＣＩ状態を決定する具体的なプロセスと同一であり得る。簡潔にするため、ここでは詳細について改めて説明しない。
【０２６７】
加えて、ＴＣＩを使用することによってネットワークデバイスがＴＣＩ状態を指示するための具体的な方法は、上で詳細に説明される。簡潔にするため、ここでは詳細について改めて説明しない。
【０２６８】
段階３０９において、端末デバイスは、ダウンリンク信号を受信するために使用される受信ビームをＴＣＩ状態に基づいて決定する。
【０２６９】
上に説明されるように、端末デバイスは、ビームトレーニングプロセスにおいて、参照信号リソース識別子と受信ビームとの間のペア関係を格納した。ＴＣＩ状態が決定された後に、受信ビームは、ＴＣＩ状態を使用することによって指示される参照信号リソース識別子に基づいて決定され得る。
【０２７０】
段階３１０において、ネットワークデバイスは、ＴＣＩ状態に基づいて、ダウンリンク信号を送信するために使用される送信ビームを決定する。
【０２７１】
端末デバイスに対応して、ネットワークデバイスは、ビームトレーニングプロセスにおいて、参照信号リソース識別子と送信ビームとの間のペア関係を格納した。ＴＣＩ状態が決定された後に、送信ビームは、ＴＣＩ状態を使用することによって指示される参照信号リソース識別子に基づいて決定され得る。
【０２７２】
段階３１１において、ネットワークデバイスは、送信ビームを使用することによってダウンリンク信号を送信する。これに対応して、段階３１１において、端末デバイスは、受信ビームを使用することによってダウンリンク信号を受信する。
【０２７３】
ネットワークデバイスが送信ビームを使用することによってダウンリンク信号を送信する具体的なプロセス、および、端末デバイスが受信ビームを使用することによってダウンリンク信号を受信する具体的なプロセスは、従来技術と同一であり得る。簡潔にするために、具体的なプロセスの詳細な説明はここでは省略される。
【０２７４】
上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。
【０２７５】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階３０５は、必ずしも段階３０３の後に実行されず、段階３０５は段階３０３の前に実行され得る。段階３０７は、必ずしも段階３０６の後に実行されず、段階３０７は代替的に段階３０６の前に実行され得る。
【０２７６】
ネットワークデバイスおよび端末デバイスによって第１マッピング関係を決定するための方法は、段階３０４および段階３０５における上述の説明に限定されないことが更に理解されるべきである。本願は更に、第１マッピング関係を決定するためにネットワークデバイスおよび端末デバイスによっても使用され得る方法を提供する。
【０２７７】
図６は、装置インタラクションの観点からの、本出願の別の実施形態による信号送信および受信方法４００の概略フローチャートである。図に示されるように、図６に示される方法４００は段階４０１〜段階４１１を含み得る。以下では、図６を参照して方法４００における段階を詳細に説明する。
【０２７８】
段階４０１において、ネットワークデバイスは、第１ＣＣ上の第１ＢＷＰにおいて第１指示情報を送信し、第１指示情報は、ダウンリンク信号を送信するための第２ＢＷＰ、および／または、第２ＢＷＰが属する第２ＣＣを指示するために使用される。これに対応して、段階４０１において、端末デバイスは、第１ＣＣ上の第１ＢＷＰにおいて第１指示情報を受信する。
【０２７９】
区別および説明を容易にするために、本実施形態において、ネットワークデバイスが第１指示情報を送信するＢＷＰは、第１ＢＷＰと表され、第１ＢＷＰは第１ＣＣに属する。ネットワークデバイスがダウンリンク信号を送信するＢＷＰは第２ＢＷＰと表され、第２ＢＷＰは第２ＣＣに属する。ＢＷＰは異なる識別子を使用することによって区別され得る。すなわち、異なるＢＷＰは異なるＢＷＰ  ＩＤに対応する。ＣＣはまた、異なる識別子を使用することによって区別され得る。すなわち、異なるＣＣは異なるＣＣ  ＩＤに対応する。
【０２８０】
例えば、第１ＣＣは上で説明されるＣＣ♯０であり得、第１ＢＷＰは上で説明されるＢＷＰ♯０であり得、第２ＣＣは上で説明されるＣＣ♯１であり得、第２ＢＷＰは上で説明されるＢＷＰ♯１であり得る。
【０２８１】
上で列挙された第１ＣＣ、第１ＢＷＰ、第２ＣＣおよび第２ＢＷＰは、単に例であり、本願に対していかなる限定も構成しないものとすることが理解されるべきである。第１ＣＣおよび第２ＣＣは同一のＣＣであり得る、または、異なるＣＣであり得る。第１ＣＣおよび第２ＣＣが同一のＣＣであるかどうかに関係なく、第１ＢＷＰおよび第２ＢＷＰは異なるＢＷＰである。言い換えれば、第１指示情報を送信するのに使用される周波数領域リソースと、ダウンリンク信号を送信するのに使用される周波数領域リソースとは、異なるＢＷＰに属する。
【０２８２】
第１指示情報における指示フィールドは、ＣＣの指示フィールド、および／または、ＢＷＰの指示フィールドを含み得る。したがって、第１指示情報は、第２ＣＣのみを指示するために使用され得る、または、第２ＢＷＰのみを指示するために使用され得る、または、第２ＣＣおよび第２ＢＷＰを指示し得る。具体的には、第１ＣＣおよび第２ＣＣが同一のＣＣであるとき、第１指示情報は、第２ＢＷＰの指示フィールドのみを含み得る、または、第２ＣＣの指示フィールドおよび第２ＢＷＰの指示フィールドを含み得る。第１ＣＣおよび第２ＣＣが異なるＣＣであり、第２ＣＣが１つのＢＷＰ、すなわち第２ＢＷＰのみを含むとき、第１指示情報は、第２ＣＣの指示フィールドのみを含み得る、または、第２ＣＣの指示フィールドおよび第２ＢＷＰの指示フィールドを含み得る。第１ＣＣおよび第２ＣＣが異なるＣＣであり、第２ＣＣが複数のＢＷＰを含むとき、第１指示情報は、第２ＣＣの指示フィールド、および、第２ＢＷＰの指示フィールドを含み得る。
【０２８３】
段階４０１の具体的なプロセスは、方法３００における段階３０１と同様であり、段階３０１は上で詳細に説明したので、簡潔にするため、ここでは詳細について改めて説明しない。
【０２８４】
任意選択で、方法４００は更に、段階４０２を含む。ネットワークデバイスはＲＲＣメッセージを送信し、ＲＲＣメッセージはＴＣＩ状態リストを含み、ＴＣＩ状態リストは複数のＴＣＩ状態を含む。これに対応して、段階４０２において、端末デバイスはＲＲＣメッセージを受信する。
【０２８５】
任意選択で、方法４００は更に段階４０３を含む。端末デバイスは複数のＭＡＣ  ＣＥを受信し、複数のＭＡＣ  ＣＥの各々は、少なくとも１つのマッピング関係、ならびに、対応するＣＣおよびＢＷＰを指示するために使用される。複数のＭＡＣ  ＣＥは、同一のネットワークデバイスによって端末デバイスへ送信され得る、または、複数のネットワークデバイスによって端末デバイスへ送信され得る。本願ではこれに限定されない。
【０２８６】
段階４０２および段階４０３の具体的なプロセスは、方法３００における段階３０２および段階３０３と同様であることが理解されるべきである。段階３０２および段階３０３は上述の方法３００において詳細に説明したので、簡潔にするため、ここでは詳細について改めて説明しない。
【０２８７】
段階４０４において、端末デバイスは、第１ＣＣおよび／または第１ＢＷＰに基づいて第１マッピング関係を決定する。
【０２８８】
具体的には、端末デバイスは、第１指示情報を受信するための第１ＣＣおよび第１ＢＷＰを事前に知り得るので、第１ＣＣが複数のＢＷＰを含むとき、端末デバイスは、第１ＣＣおよび第１ＢＷＰに基づいて、第１マッピング関係を直接決定し得る。第１ＣＣが１つのＢＷＰ（すなわち第１ＢＷＰ）のみを含むとき、端末デバイスは、第１ＣＣのみに基づいて第１マッピング関係を決定し得る、または、第１ＢＷＰのみに基づいて第１マッピング関係を決定し得る。したがって、端末デバイスは、第１ＣＣおよび／または第１ＢＷＰに基づいて複数のマッピング関係における第１マッピング関係を決定し得る。
【０２８９】
例えば、第１マッピング関係を決定するために使用され得るＭＡＣ  ＣＥは、ＭＡＣ  ＣＥのフォーマットに基づき得る。この実施形態では、第１マッピング関係を決定するために使用されるＭＡＣ  ＣＥにおいて、サービングセルのＩＤは第１ＣＣのＩＤであり、ＢＷＰのＩＤは第１ＢＷＰのＩＤであり、指示ビットが「１」であるＴｉはアクティブ化ＴＣＩ状態を指示する。例えば、第１ＣＣが上で説明されるＣＣ♯０であり、かつ、第１ＢＷＰが上で説明されるＢＷＰ♯０であるとき、ＴＣＩ状態０〜７はアクティブ化であり、その結果、表１に示されるマッピング関係が取得され得る。表１に示されるマッピング関係は、第１マッピング関係の別の例である。
【０２９０】
第１ＣＣおよび第２ＣＣが異なるＣＣであり、かつ、第１ＣＣが１つのＢＷＰ（すなわち第１ＢＷＰ）のみを含むとき、第１マッピング関係を決定するために使用されるＭＡＣ  ＣＥにおいて、サービングセルのＩＤは第１ＣＣのＩＤである、ＢＷＰのＩＤはすべて「０」である。
【０２９１】
これに対応して、段階４０５において、ネットワークデバイスは、第１ＣＣおよび／または第１ＢＷＰに基づいて第１マッピング関係を決定する。
【０２９２】
ネットワークデバイスが第１ＣＣおよび／または第１ＢＷＰに基づいて第１マッピング関係を決定する具体的なプロセスは、端末デバイスが第１ＣＣおよび／または第１ＢＷＰに基づいて第１マッピング関係を決定する具体的なプロセスと同様である。簡潔にするため、ここでは詳細について改めて説明しない。
【０２９３】
この実施形態において、ネットワークデバイスは、第１ＣＣおよび／または第１ＢＷＰに基づいて第１マッピング関係を決定することを決定し得、第１ＣＣおよび／または第１ＢＷＰに基づいて第１マッピング関係を決定することを、シグナリングを使用することによって端末デバイスに指示し得る。
【０２９４】
任意選択で、段階４０４および段階４０５の前に、方法３００は更に、ネットワークデバイスが第３指示情報を送信する段階であって、第３指示情報は、第１ＣＣおよび／または第１ＢＷＰに基づいて第１マッピング関係を決定することを指示するために使用される、段階を含む。これに対応して、端末デバイスは第３指示情報を受信する。
【０２９５】
第３指示情報は、第１ＣＣおよび／または第１ＢＷＰに基づいて第１マッピング関係を決定することを明示的に指示するために使用されるものと理解され得る。
【０２９６】
可能な設計において、第３指示情報はＲＲＣメッセージにおいて伝送され得る。例えば、ＩＥはＲＲＣメッセージに追加され、第１ＣＣおよび／または第１ＢＷＰに基づいて第１マッピング関係を決定するかどうかを決定することを指示するために使用される。例えば、ＩＥは１ビットを占有し得る。ビットが「１」に設定されているとき、ＩＥは、第１ＣＣおよび／または第１ＢＷＰに基づいて第１マッピング関係を決定することを指示するために使用され得る。ＩＥが「０」に設定されているとき、ＩＥは、第１ＣＣおよび／または第１ＢＷＰに基づいて第１マッピング関係を決定しないことを指示するために使用され得る。代替的に、ビットが「０」に設定されているとき、ＩＥは、第１ＣＣおよび／または第１ＢＷＰに基づいて第１マッピング関係を決定することを指示するために使用され得る。ＩＥが「１」に設定されているとき、ＩＥは、第１ＣＣおよび／または第１ＢＷＰに基づいて第１マッピング関係を決定しないことを指示するために使用され得る。第１ＣＣおよび／または第１ＢＷＰに基づいて第１マッピング関係を決定しないことをネットワークデバイスが端末デバイスに指示するとき、ネットワークデバイスおよび端末デバイスは、第１マッピング関係を決定するために使用される別の方式、例えば、第２ＣＣに基づいて第１マッピング関係を決定する方式について事前合意し得る。
【０２９７】
ＲＲＣメッセージにおけるＩＥを使用することによって、第１ＣＣおよび／または第１ＢＷＰに基づいて第１マッピング関係を決定するかどうかの列挙された指示は、第３指示情報の可能な実装に過ぎず、本願に対していかなる限定も構成しないものとすることが理解されるべきである。第３指示情報を使用することによって、第１マッピング関係を決定するために使用される具体的な方法を指示するための方法は本願において限定されない。
【０２９８】
この実施形態において、ネットワークデバイスおよび端末デバイスは代替的に、事前設定条件に基づいて、第１ＣＣおよび／または第１ＢＷＰに基づいて第１マッピング関係を決定するかどうかを決定し得る。
【０２９９】
第１指示情報がＤＣＩであり、ダウンリンク信号がＰＤＳＣＨ上で伝送されるとき、第１指示情報はＤＣＩを通じてＰＤＣＣＨ上で送信されるので、ＰＤＣＣＨを送信するためのＣＣ（すなわち第１ＣＣ）またはＢＷＰ（すなわち第１ＢＷＰ）は、低周波数送信に適切であり、ＰＤＳＣＨを送信するためのＣＣ（すなわち第２ＣＣ）またはＢＷＰ（すなわち第２ＢＷＰ）は、高周波数送信に適切である。理由は以下の通りである。信号が低周波数で送信されるとき、経路損失は比較的小さく、信号強度は比較的高く、ネットワークデバイスは通常、低周波数帯域におけるＣＣにワイドビームを構成し、ワイドビームは、角度領域カバレッジを改善するために使用できる。したがって、伝送ロバスト性が高く、ＰＤＣＣＨなどの制御チャネルは送信に適切である。信号が高周波数で送信されるとき、帯域幅は比較的大きく、伝送速度が比較的高く、ネットワークデバイスは通常、高周波数帯域におけるＣＣにナロービームを構成し、受信中の信号対ノイズ比または信号対干渉＋ノイズ比は、ナロービームを使用することによって改善できる。したがって、スループットを強化でき、ＰＤＳＣＨなどのデータチャネルは送信に適切である。通常、低周波数帯域のためにネットワークデバイスによって構成されるＴＣＩ状態は、ワイドビームを用いた、または、ビームフォーミングを用いない伝送に対応し得、高周波数帯域のためにネットワークデバイスによって構成されるＴＣＩ状態は、ナロービームを用いる伝送に対応し得る。したがって、第１ＣＣまたは第１ＢＷＰが低周波数帯域にあり、かつ、第２ＣＣまたは第２ＢＷＰが高周波数帯域にあるとき、第１マッピング関係は、低周波数帯域における第１ＣＣおよび／または第１ＢＷＰに基づいて決定され得る。
【０３００】
任意選択で、段階４０４は具体的には、第１ＣＣおよび第２ＣＣ、または、第１ＢＷＰおよび第２ＢＷＰが第２事前設定条件を満たすとき、端末デバイスによって、第１ＣＣおよび／または第１ＢＷＰに基づいて第１マッピング関係を決定することを含む。
【０３０１】
これに対応して、段階４０５は具体的には、第１ＣＣおよび第２ＣＣが第２事前設定条件を満たすとき、ネットワークデバイスによって、第１ＣＣおよび／または第１ＢＷＰに基づいて第１マッピング関係を決定することを含む。
【０３０２】
第２事前設定条件は以下のいずれか１つを含む。
ｉ．第１ＣＣおよび第２ＣＣの両方が低周波数帯域または高周波数帯域にある。
ｉｉ．第１ＣＣが属する帯域が、第２ＣＣが属する帯域と同一である。
ｉｉｉ．第１ＣＣが属する帯域が、第２ＣＣが属する帯域と同一であり、第１ＣＣおよび第２ＣＣが周波数領域において連続的である。
ｉｖ．第１ＢＷＰおよび第２ＢＷＰの両方が低周波数帯域または高周波数帯域にある。
ｖ．第１ＢＷＰが属する帯域が、第２ＢＷＰが属する帯域と同一である。
ｖｉ．第１ＢＷＰが属する帯域が、第２ＢＷＰが属する帯域と同一であり、第１ＢＷＰおよび第２ＢＷＰは周波数領域において連続的である。または、
ｖｉｉ．第１ＢＷＰのサブキャリア間隔が、第２ＢＷＰのサブキャリア間隔と同一である。
【０３０３】
言い換えれば、ネットワークデバイスおよび端末デバイスは、第１ＣＣおよび／または第１ＢＷＰに基づいて第１マッピング関係を決定するかどうかを、上述の列挙された事前設定条件ｉ、ｉｉ、ｉｉｉ、ｉｖ、ｖ、ｖｉ、またはｖｉｉのいずれか１つに基づいて決定し得る。上で列挙された事前設定条件がプロトコルにおいてデフォルトで使用されるとき、ネットワークデバイスおよび端末デバイスは、同一の事前設定条件に基づいて、第１ＣＣおよび／または第１ＢＷＰに基づいて第１マッピング関係を決定するかどうかを決定し得る。
【０３０４】
以下では、上で列挙された事前設定条件を詳細に説明する。
【０３０５】
ｉ．第１ＣＣおよび第２ＣＣの両方が、低周波数帯域または高周波数帯域にある。
【０３０６】
第１ＣＣおよび第２ＣＣの両方が低周波数帯域にあるとき、高周波数帯域において利用可能なリソースが無いので、第１マッピング関係は、第１ＣＣおよび／または第１ＢＷＰに基づいて直接決定され得る。第１ＣＣおよび第２ＣＣの両方が高周波数帯域にあるとき、第１ＣＣおよび第２ＣＣの両方は、データチャネル送信に適切である。したがって、第１マッピング関係は、第１ＣＣおよび／または第１ＢＷＰに基づいて直接決定され得る。
【０３０７】
端末デバイスによって第１ＣＣおよび第２ＣＣの帯域を決定する方法を上述の方法３００において詳細に説明した。簡潔にするため、ここでは詳細について改めて説明しない。
【０３０８】
ｉｉ．第１ＣＣが属する帯域が、第２ＣＣが属する帯域と同一である。
【０３０９】
第１ＣＣが属する帯域が、第２ＣＣが属する帯域と同一であるとき、第１ＣＣおよび第２ＣＣの両方が低周波数帯域または高周波数帯域にある可能性が非常に高い。したがって、第１マッピング関係は、第１ＣＣおよび／または第１ＢＷＰに基づいて直接決定され得る。
ｉｉｉ．第１ＣＣが属する帯域が、第２ＣＣが属する帯域と同一であり、第１ＣＣおよび第２ＣＣが周波数領域において連続的である。
【０３１０】
第１ＣＣが属する帯域が、第２ＣＣが属する帯域と同一であり、第１ＣＣおよび第２ＣＣが周波数領域において連続的であるとき、第１ＣＣおよび第２ＣＣの両方が低周波数帯域または高周波数帯域にある可能性が非常に高い。したがって、第１マッピング関係は、第１ＣＣおよび／または第１ＢＷＰに基づいて直接決定され得る。
【０３１１】
ｉｖ．第１ＢＷＰおよび第２ＢＷＰの両方は、低周波数帯域または高周波数帯域にある。
【０３１２】
第１ＢＷＰおよび第２ＢＷＰの両方が低周波数帯域にあるとき、高周波数帯域において利用可能なリソースが無いので、第１マッピング関係は、第１ＣＣおよび／または第１ＢＷＰに基づいて直接決定され得る。第１ＢＷＰおよび第２ＢＷＰの両方が高周波数帯域にあるとき、第１ＣＣおよび第２ＣＣの両方は、データチャネル送信に適切である。したがって、第１マッピング関係は、第１ＣＣおよび／または第１ＢＷＰに基づいて直接決定され得る。
【０３１３】
第１ＢＷＰおよび第２ＢＷＰが異なるＣＣに属するとき、第１ＣＣおよび第２ＣＣの両方が低周波数帯域にある場合、第１ＢＷＰおよび第２ＢＷＰの両方はまた、低周波数帯域にあり、または、第１ＣＣおよび第２ＣＣの両方が高周波数帯域にある場合、第１ＢＷＰおよび第２ＢＷＰの両方も高周波数帯域にあることに留意されたい。すなわち、第１ＣＣおよび第２ＣＣが条件ｉを満たすとき、第１ＢＷＰおよび第２ＢＷＰは条件ｉｖを確実に満たす。
【０３１４】
端末デバイスによって第１ＢＷＰおよび第２ＢＷＰの帯域を決定する方法を上述の方法３００において詳細に説明した。簡潔にするため、ここでは詳細について改めて説明しない。
【０３１５】
ｖ．第１ＢＷＰが属する帯域が、第２ＢＷＰが属する帯域と同一である。
【０３１６】
第１ＢＷＰが属する帯域が、第２ＢＷＰが属する帯域と同一であるとき、第１ＢＷＰおよび第２ＢＷＰの両方が低周波数帯域または高周波数帯域にある可能が非常に高い。したがって、第１マッピング関係は、第１ＣＣおよび／または第１ＢＷＰに基づいて直接決定され得る。
【０３１７】
第１ＢＷＰおよび第２ＢＷＰが異なるＣＣに属するとき、第１ＣＣが属する帯域が、第２ＣＣが属する帯域と同一である場合、第１ＢＷＰが属する帯域は、第２ＢＷＰが属する帯域と確実に同一であることに留意されたい。すなわち、第１ＣＣおよび第２ＣＣが条件ｉｉを満たすとき、第１ＢＷＰおよび第２ＢＷＰは条件ｖを確実に満たす。
【０３１８】
ｖｉ．第１ＢＷＰが属する帯域が、第２ＢＷＰが属する帯域と同一であり、第１ＢＷＰおよび第２ＢＷＰは周波数領域において連続的である。
【０３１９】
ｖｉｉ．第１ＢＷＰのサブキャリア間隔は第２ＢＷＰのサブキャリア間隔と同一である。
【０３２０】
第１ＢＷＰのサブキャリア間隔が第２ＢＷＰのサブキャリア間隔と同一であるとき、第１ＢＷＰおよび第２ＢＷＰの両方は低周波数帯域または高周波数帯域にあり得る。端末デバイスは、第１ＣＣおよび／または第１ＢＷＰに基づいて第１マッピング関係を直接決定し得る。第１ＣＣが１つのＢＷＰのみを含み、第２ＣＣが１つのＢＷＰのみを含むとき、ＣＣはＢＷＰと同等なので、第１ＢＷＰのサブキャリア間隔が第２ＢＷＰのサブキャリア間隔と同一であることは、第１ＣＣのサブキャリア間隔が第２ＣＣのサブキャリア間隔と同一であると理解され得ることに留意されたい。
【０３２１】
上述の事前設定条件ｉｉおよびｉｉｉは、事前設定条件ｉの複数の可能なケースとして理解され得る、または、事前設定条件ｉが満たされるかどうかを決定する可能な実装として理解され得る。事前設定条件ｉｖ、ｖ、ｖｉおよびｖｉｉは、事前設定条件ｉｖの複数の可能なケースとして理解され得る、または、事前設定条件ｉｖが満たされるかどうかを決定する可能な実装として理解され得る。しかしながら、事前設定条件は第１マッピング関係が第１ＣＣおよび／または第１ＢＷＰに基づいて決定されるかどうかを決定するために使用されることは、上述の列挙された条件に限定されないことが理解されるべきである。可能な限り高周波数でデータチャネルを送信するべく、第１マッピング関係が第１ＣＣおよび／または第１ＢＷＰに基づいて決定されるかどうかを決定するために使用されるすべて方法は、本願の保護範囲に含まれるものとする。
【０３２２】
任意選択で、方法４００は更に、段階４０６を含む。ネットワークデバイスはＴＣＩを送信し、ＴＣＩは選択されたＴＣＩ状態を指示するために使用される。これに対応して、段階４０６において、端末デバイスはＴＣＩを受信する。
【０３２３】
段階４０６の具体的なプロセスが上述の方法３００における段階３０６の具体的なプロセスと同様であると理解されるべきである。段階３０６が上で詳細に説明されたので、簡潔にするため、ここでは詳細について改めて説明しない。
【０３２４】
任意選択で、ＴＣＩが事前構成され得る。例えば、端末デバイスおよびネットワークデバイスは、ＴＣＩについて合意し、事前にＴＣＩをローカルに格納する。
【０３２５】
段階４０７において、端末デバイスは、第１マッピング関係およびＴＣＩに基づいてＴＣＩ状態を決定する。
【０３２６】
具体的には、端末デバイスは、ＴＣＩフィールドにおける値、および、上で説明された第１マッピング関係（例えば上の表１）に基づいてＴＣＩ状態を決定し得る。例えば、ＴＣＩフィールドにおける値が「０１０」であるとき、ＴＣＩ状態２は表１に基づいて決定され得る。言い換えれば、端末デバイスは、以下の段階４０９におけるＴＣＩ状態２における構成に基づいて受信ビームを決定し得る。
【０３２７】
これに対応して、段階４０８において、ネットワークデバイスは、第１マッピング関係およびＴＣＩに基づいてＴＣＩ状態を決定する。
【０３２８】
ネットワークデバイスが第１マッピング関係およびＴＣＩに基づいてＴＣＩ状態を決定する具体的なプロセスは、端末デバイスが第１マッピング関係およびＴＣＩに基づいてＴＣＩ状態を決定する具体的なプロセスと同一であり得ることが理解されるべきである。簡潔にするため、ここでは詳細について改めて説明しない。
【０３２９】
段階４０９において、端末デバイスは、ＴＣＩ状態に基づいて、ダウンリンク信号を受信するための受信ビームを決定する。
【０３３０】
これに対応して、段階４１０において、ネットワークデバイスは、ＴＣＩ状態に基づいて、ダウンリンク信号を送信するための送信ビームを決定する。
【０３３１】
段階４０９および段階４１０の具体的なプロセスは、上述の方法３００における段階３０９および段階３１０の具体的なプロセスと同様であると理解されるべきである。段階３０９および段階３１０が上で詳細に説明されたので、簡潔にするため、ここでは詳細について改めて説明しない。
【０３３２】
段階４１１において、ネットワークデバイスは送信ビームを使用することによってダウンリンク信号を送信する。これに対応して、段階４１１において、端末デバイスは、受信ビームを使用することによってダウンリンク信号を受信する。
【０３３３】
ネットワークデバイスが送信ビームを使用することによってダウンリンク信号を送信する具体的なプロセス、および、端末デバイスが受信ビームを使用することによってダウンリンク信号を受信する具体的なプロセスは、従来技術と同一であり得る。簡潔にするために、具体的なプロセスの詳細な説明はここでは省略される。
【０３３４】
上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。
【０３３５】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階４０５は必ずしも段階４０３の後に実行されず、段階４０５は段階４０３の前に実行され得る。段階４０７は必ずしも段階４０６の後に実行されず、段階４０７は代替的に段階４０６の前に実行され得る。
【０３３６】
上記では、第１マッピング関係を決定するための２つの方法を列挙した。方法３００において、ネットワークデバイスおよび端末デバイスは、スケジューリングされたＣＣ（すなわち第２ＣＣ）に基づいて第１マッピング関係を決定する。区別および説明を容易にするために、方法は以下において方法１として表される。方法４００において、ネットワークデバイスおよび端末デバイスは、第１指示情報を送信するためのＣＣ（すなわち第１ＣＣ）に基づいて第１マッピング関係を決定する。区別および説明を容易にするために、方法は以下において方法２として表される。
【０３３７】
上で説明されたように、低周波数帯域において制御チャネルを送信することにより、ロバスト性を確実にすることができ、高周波数帯域においてデータチャネルを送信することにより、スループットを改善できる。したがって、ネットワークデバイスおよび端末デバイスは更に、スケジューリングされた周波数領域リソース、および、シグナリングを送信するための周波数領域リソースの帯域における位置に基づいて、第１マッピング関係を決定するために使用される方法を決定し得る。
【０３３８】
図７は、装置インタラクションの観点からの本願のなお別の実施形態による信号送受信方法５００の概略フローチャートである。図に示されるように、図７に示される方法５００は、段階５０１から段階５１１を含み得る。以下では、図７を参照して、方法５００における段階を詳細に説明する。
【０３３９】
段階５０１において、ネットワークデバイスは、第１ＣＣ上の第１ＢＷＰにおいて第１指示情報を送信し、第１指示情報は、ダウンリンク信号を送信するための第２ＢＷＰ、および、第２ＢＷＰが属する第２ＣＣを指示するために使用される。これに対応して、段階５０１において、端末デバイスは、第１ＣＣ上の第１ＢＷＰにおいて第１指示情報を受信する。
【０３４０】
段階５０１の具体的なプロセスは、上述の方法３００における段階３０１の具体的なプロセスと同一である。段階３０１は上で詳細に説明されたので、簡潔にするため、ここでは詳細について改めて説明しない。
【０３４１】
第１指示情報を受信した後に、端末デバイスは、第２ＣＣ上の第２ＢＷＰにおいてダウンリンク信号を受信することを決定し得る。ダウンリンク信号を受信する前に、端末デバイスは更に、受信されたＴＣＩを使用することによって指示されるＴＣＩ状態に基づいて、受信ビームを決定し得る。
【０３４２】
任意選択で、方法５００は更に、段階５０２を含む。ネットワークデバイスはＲＲＣメッセージを送信し、ＲＲＣメッセージはＴＣＩ状態リストを含み、ＴＣＩ状態リストは複数のＴＣＩ状態を含む。これに対応して、段階５０２において、端末デバイスはＲＲＣメッセージを受信する。
【０３４３】
任意選択で、方法５００は更に段階５０３を含む。端末デバイスは複数のＭＡＣ  ＣＥを受信し、複数のＭＡＣ  ＣＥの各々は、少なくとも１つのマッピング関係、ならびに、対応するＣＣおよびＢＷＰを指示するために使用される。複数のＭＡＣ  ＣＥは、同一のネットワークデバイスによって端末デバイスへ送信され得る、または、複数のネットワークデバイスによって端末デバイスへ送信され得る。本願ではこれに限定されない。
【０３４４】
段階５０２および段階５０３の具体的なプロセスは、方法３００における段階３０２および段階３０３と同様であることが理解されるべきである。段階３０２および段階３０３は上述の方法３００において詳細に説明したので、簡潔にするため、ここでは詳細について改めて説明しない。
【０３４５】
段階５０４において、端末デバイスは、第１マッピング関係を決定し、第１マッピング関係は、第１ＣＣおよび／または第１ＢＷＰに基づいて決定されるマッピング関係、または、第２ＣＣおよび／または第２ＢＷＰに基づいて決定されるマッピング関係である。
【０３４６】
複数のＭＡＣ  ＣＥを受信した後に、端末デバイスは、複数のＭＡＣ  ＣＥを使用することによって指示される複数のマッピング関係における第１マッピング関係を決定し得る。上述の方法４００において提供される実施形態において、端末デバイスは、第１ＣＣおよび／または第１ＢＷＰ、すなわち上述の方法２に基づいて、第１マッピング関係を決定し得る。上述の方法３００において提供される実施形態において、端末デバイスは、第２ＣＣおよび／または第２ＢＷＰ、すなわち上述の方法１に基づいて、第１マッピング関係を決定し得る。したがって、段階５０２において、端末デバイスは、第１マッピング関係が方法２に基づいて、すなわち、第１ＣＣおよび／または第１ＢＷＰに基づいて決定されるか、または、方法１に基づいて、すなわち、第２ＣＣおよび／または第２ＢＷＰに基づいて決定されるかを決定し得る。
【０３４７】
任意選択で、段階５０４は具体的には、端末デバイスによって、方法１または方法２のいずれかに基づいて第１マッピング関係を決定するかを決定する段階と、端末デバイスによって、決定された方法に基づいて第１マッピング関係を決定する段階とを含む。
【０３４８】
この実施形態において、ネットワークデバイスは、方法１または方法２のいずれに基づいて第１マッピング関係を決定するかを決定し得、シグナリングを使用することによって、同一の方法に基づいて第１マッピング関係を決定することを端末デバイスに通知し得る。
【０３４９】
任意選択で、段階５０４は具体的には、端末デバイスによって、第４指示情報を受信する段階であって、第４指示情報は、第１マッピング関係が方法１または方法２のいずれに基づいて決定されるかを指示するために使用される、段階と、これに対応して、ネットワークデバイスによって、第４指示情報を送信する段階と、端末デバイスによって、第４指示情報を使用することによって指示される方法に基づいて第１マッピング関係を決定する段階とを含む。
【０３５０】
可能な設計において、第４指示情報はＲＲＣメッセージにおいて伝送され得る。例えば、ＩＥがＲＲＣメッセージに追加され、第１マッピング関係を決定するための方法が方法１または方法２のいずれであるかを指示するために使用される。例えば、ＩＥは１ビットを占有し得る。ビットが「０」に設定されるとき、方法１が指示され得、ビットが「１」に設定されるとき、方法２が指示され得る。代替的に、ビットが「１」に設定されるとき、方法１が指示され得、ビットが「０」に設定されるとき、方法２が指示され得る。
【０３５１】
ＲＲＣメッセージにおけるＩＥを使用することによって、第１マッピング関係を決定するために使用される方法を指示する、列挙された方法は単に可能な実装であり、本願に対していかなる限定も構成しないものとすることが理解されるべきである。第４指示情報を使用することによって、第１マッピング関係を決定するために使用される具体的な方法を指示するための方法は、本願において限定されない。
【０３５２】
方法３００における第４指示情報および第２指示情報は、同一のシグナリングにおける同一のフィールドにおいて伝送される情報であり得る、または、異なるシグナリングもしくは異なフィールドにおいて伝送される情報であり得ることが更に理解されるべきである。方法４００における第４指示情報および第３指示情報は、同一おシグナリングにおける同一のフィールドにおいて伝送される情報であり得る、または、異なるシグナリングもしくは異なるフィールドにおいて伝送される情報であり得る。本願ではこれに限定されない。
【０３５３】
これに対応して、段階５０５において、ネットワークデバイスは第１マッピング関係を決定する。
【０３５４】
任意選択で、段階５０５は具体的には、ネットワークデバイスによって、第４指示情報を使用することによって指示される方法に基づいて第１マッピング関係を決定することを含む。
【０３５５】
この実施形態において、ネットワークデバイスおよび端末デバイスは、第１ＣＣおよび第２ＣＣの周波数領域位置に基づいて、方法１または方法２のいずれに基づいて第１マッピング関係を決定するかを決定し得る。
【０３５６】
任意選択で、第１ＣＣおよび第２ＣＣ、または、第１ＢＷＰおよび第２ＢＷＰが第１事前設定条件を満たすとき、第１マッピング関係が第１方法に基づいて決定されると決定される。
【０３５７】
第１事前設定条件は以下のいずれか１つを含む。
ａ．第１ＣＣが低周波数帯域にあり、第２ＣＣが高周波数帯域にある。
ｂ．第１ＣＣが属する帯域（ｂａｎｄ）が、第２ＣＣが属する帯域と異なる。
ｃ．第１ＣＣおよび第２ＣＣが同一の帯域に属するが、第１ＣＣおよび第２ＣＣが周波数領域において非連続的である。
ｄ．第１ＢＷＰが低周波数帯域にあり、第２ＢＷＰが高周波数帯域にある。
ｅ．第１ＢＷＰが属する帯域が、第２ＢＷＰが属する帯域と異なる。
ｆ．第１ＢＷＰおよび第２ＢＷＰが同一の帯域に属するが、第１ＢＷＰおよび第２ＢＷＰが周波数領域において非連続的である。または、
ｇ．第１ＢＷＰのサブキャリア間隔が第２ＢＷＰのサブキャリア間隔と異なる。
【０３５８】
上述の方法３００において、詳細な説明が上述の事前設定条件を参照して提供された。簡潔にするため、ここでは詳細について改めて説明しない。
【０３５９】
任意選択で、第１ＣＣおよび第２ＣＣ、または、第１ＢＷＰおよび第２ＢＷＰが第２事前設定条件を満たすとき、第１マッピング関係が第２方法に基づいて決定されると決定される。
【０３６０】
第２事前設定条件は以下のいずれか１つを含む。
ｉ．第１ＣＣおよび第２ＣＣの両方が低周波数帯域または高周波数帯域にある。
ｉｉ．第１ＣＣが属する帯域が、第２ＣＣが属する帯域と同一である。
ｉｉｉ．第１ＣＣが属する帯域が、第２ＣＣが属する帯域と同一であり、第１ＣＣおよび第２ＣＣが周波数領域において連続的である。
ｉｖ．第１ＢＷＰおよび第２ＢＷＰの両方が、低周波数帯域または高周波数帯域にある。
ｖ．第１ＢＷＰが属する帯域が、第２ＢＷＰが属する帯域と同一である。
ｖｉ．第１ＢＷＰが属する帯域が、第２ＢＷＰが属する帯域と同一であり、第１ＢＷＰおよび第２ＢＷＰが周波数領域において連続的である。または、
ｖｉｉ．第１ＢＷＰのサブキャリア間隔が第２ＢＷＰのサブキャリア間隔と同一である。
【０３６１】
上述の方法４００において、詳細な説明が、上述の事前設定条件を参照して提供された。簡潔にするため、ここでは詳細について改めて説明しない。
【０３６２】
第１事前設定条件は第２事前設定条件に対応することに留意されたい。例えば、事前設定条件ａは事前設定条件ｉに対応し、事前設定条件ｂは事前設定条件ｉｉに対応し、事前設定条件ｃは事前設定条件ｉｉｉに対応し、事前設定条件ｄは事前設定条件ｉｖに対応し、事前設定条件ｅは事前設定条件ｖに対応し、事前設定条件ｆは事前設定条件ｖｉに対応し、事前設定条件ｇは事前設定条件ｖｉｉに対応する。端末デバイスおよびネットワークデバイスが、第１マッピング関係を方法１に基づいて決定するかどうかを、上で列挙された第１事前設定条件の１に基づいて決定することは、方法２に基づいて第１マッピング関係を決定するかどうかを、第２事前設定条件における対応する条件に基づいて決定することと同等である。例えば、ネットワークデバイスおよび端末デバイスが、第１マッピング関係を方法１に基づいて決定するかどうかを、事前設定条件ａに基づいて決定することは、ネットワークデバイスおよび端末デバイスが、第１マッピング関係を方法２に基づいて決定するかどうかを、事前設定条件ｉに基づいて決定することと同等である。簡潔にするため、ここでは詳細について改めて説明しない。
【０３６３】
したがって、ネットワークデバイスおよび端末デバイスが第１事前設定条件または第２事前設定条件のいずれに基づいて決定を実行するかに関係なく、ネットワークデバイスおよび端末デバイスは、決定が対応する事前設定条件に基づいて実行されることを事前合意し得る、または、ネットワークデバイスおよび端末デバイスは、決定が同一の事前設定条件に基づいて実行されることを事前合意し得る。この方式によってのみ、決定された結果が一貫することを確実にできる。
【０３６４】
第１マッピング関係を決定した後に、端末デバイスおよびネットワークデバイスは、第１マッピング関係およびＴＣＩに基づいて、選択されたＴＣＩ状態を決定し得る。任意選択で、方法５００は更に段階５０６を含む。ネットワークデバイスはＴＣＩを送信し、ＴＣＩは、選択されたＴＣＩ状態を指示するために使用される。これに対応して、段階５０６において、端末デバイスはＴＣＩを受信する。
【０３６５】
任意選択で、ＴＣＩは事前構成され得る。例えば、端末デバイスおよびネットワークデバイスは、ＴＣＩについて合意し、ＴＣＩを事前にローカルに格納する。
【０３６６】
段階５０７において、端末デバイスは、受信されたＴＣＩおよび第１マッピング関係に基づいてＴＣＩ状態を決定する。
【０３６７】
これに対応して、段階５０８において、ネットワークデバイスは、ＴＣＩおよび第１マッピング関係に基づいてＴＣＩ状態を決定する。
【０３６８】
段階５０９において、端末デバイスは、ＴＣＩ状態に基づいて、ダウンリンク信号を受信するための受信ビームを決定する。
【０３６９】
これに対応して、段階５１０において、ネットワークデバイスは、ＴＣＩ状態に基づいて、ダウンリンク信号を送信するための送信ビームを決定する。
【０３７０】
段階５１１において、ネットワークデバイスは、送信ビームを使用することによって、第２ＣＣ上の第２ＢＷＰにおいてダウンリンク信号を送信する。これに対応して、段階５１１において、端末デバイスは、受信ビームを使用することによって、第２ＣＣ上の第２ＢＷＰにおいてダウンリンク信号を受信する。
【０３７１】
段階５０７〜段階５１１の具体的なプロセスは、上述の方法３００における段階３０７〜段階３１１の具体的なプロセスと同一であることが理解されるべきである。段階３０７〜段階３１１は、上で詳細に説明されたので、簡潔にするため、ここでは詳細について改めて説明しない。
【０３７２】
上述の技術的解決手段に基づいて、ネットワークデバイスおよび端末デバイスは、同一のマッピング関係に基づいてＴＣＩ状態を決定し、同一のＴＣＩ状態に基づいて送信ビームおよび受信ビームを別々に決定し得る。ＴＣＩ状態に基づいて決定された送信ビームおよび受信ビームは、ビームトレーニングを通じて予め決定されたペアのビームなので、ダウンリンク信号伝送中に比較的大きいビームフォーミング利得を取得できることを確実にでき、それにより、ダウンリンク信号伝送品質の改善を助ける。加えて、ネットワークデバイスおよび端末デバイスは、周波数領域における第１ＣＣおよび第２ＣＣの位置に基づいて、ＴＣＩ状態を柔軟に選択し、可能な限り、高周波数上でデータチャネルを送信し得、それにより、データ伝送効率を改善すること、および、スループットを増加することを助ける。
【０３７３】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階５０５は必ずしも段階５０３の後に実行されず、段階５０５は段階５０３の前に実行され得る。段階５０７は必ずしも段階５０６の後に実行されず、段階５０７は代替的に、段階５０６の前に実行され得る。
【０３７４】
ダウンリンク伝送と同様に、端末デバイスのためにネットワークデバイスによってスケジューリングされた物理アップリンクリソース、および、スケジューリング情報を送信するための物理ダウンリンクリソースが異なるＣＣまたは異なるＢＷＰに属するとき、端末デバイスはまた、複数の空間関係に直面し得る。例えば、ネットワークデバイスは、ＰＤＣＣＨ上のＤＣＩを使用することによって、端末デバイスのために与えられた物理アップリンクリソースをスケジューリングし、端末デバイスは、物理アップリンクリソース上でＰＵＳＣＨを送信し得る。ＰＤＣＣＨおよびＰＵＳＣＨは、異なるＣＣ上、または異なるＢＷＰにあり得る。ネットワークデバイスは、各ＣＣおよび各ＢＷＰごとに空間関係リストを構成するので、端末デバイスは、ＣＣまたはＢＷＰを知らないことがあり得、ネットワークデバイスは、ＣＣまたはＢＷＰのために構成される空間関係リストに基づいて受信ビームを決定し、端末デバイスは、ＰＵＳＣＨを送信するために使用される送信ビームを決定できない。端末デバイスによって選択される送信ビームが、ネットワークデバイスによって選択された受信ビームに対応しない場合、ネットワークデバイスによってＰＵＳＣＨを受信する品質が劣悪になり得る。したがって、アップリンク信号受信品質が影響を受け、ユーザエクスペリエンスが悪化する。
【０３７５】
したがって、本願において提供される信号送受信方法はまた、アップリンク伝送に適用可能である。
【０３７６】
一般性を失うことなく、以下では、１つの端末デバイスと１つのネットワークデバイスとの間のアップリンク伝送を例として使用することによって、本願の実施形態を詳細に説明する。無線通信システムにおける任意の端末デバイス、または、端末デバイスにされる配置チップは、同一の方法に基づいてアップリンク信号を送信し得、無線通信システムにおける任意のネットワークデバイス、または、ネットワークデバイスに配置されるチップは、同一の方法に基づいてアップリンク信号を受信し得ることが理解される得る。本願ではこれに限定されない。
【０３７７】
以下では、添付の図面を参照して、アップリンク伝送における本願の実施形態の用途を詳細に説明する。
【０３７８】
図８は、装置インタラクションの観点からの、本出願の別の実施形態による信号送受信方法６００の概略フローチャートである。図に示されるように、図８に示される方法６００は、段階６０１〜段階６１１を含み得る。以下では、図８を参照して、方法６００における段階を詳細に説明する。
【０３７９】
段階６０１において、ネットワークデバイスは、第３ＣＣ上の第３ＢＷＰにおいて第５指示情報を送信し、第５指示情報は、アップリンク信号を送信するための第４ＢＷＰ、および／または、第４ＢＷＰが属する第４ＣＣを指示するために使用される。これに対応して、段階６０１において、端末デバイスは、第３ＣＣ上の第３ＢＷＰにおいて第５指示情報を受信する。
【０３８０】
上で説明された実施形態との区別を容易にするべく、この実施形態において、ネットワークデバイスによって送信され、かつ、アップリンク信号を送信するためにＢＷＰによって指示するために使用される指示情報は、第５指示情報として表され、第５指示情報のＢＷＰは第３ＢＷＰとして表され、第３ＢＷＰは第３ＣＣに属し、アップリンク信号を送信するためにネットワークデバイスによって端末デバイスにスケジューリングされたＢＷＰは、第４ＢＷＰとして表され、第４ＢＷＰは第４ＣＣに属する。ＢＷＰは、異なる識別子を使用することによって区別され得る。すなわち、異なるＢＷＰは、異なるＢＷＰ  ＩＤに対応する。ＣＣはまた、異なる識別子を使用することによって区別され得る。すなわち、異なるＣＣは、異なるＣＣ  ＩＤに対応する。
【０３８１】
段階６０２において、ネットワークデバイスはＲＲＣメッセージを送信し、ＲＲＣメッセージは空間関係リストを含み、空間関係リストは複数の空間関係を含む。これに対応して、段階６０２において、端末デバイスはＲＲＣメッセージを受信する。
【０３８２】
段階６０３において、端末デバイスは、複数のＭＡＣ  ＣＥを受信し、各ＭＡＣ  ＣＥは、少なくとも１つのマッピング関係ならびに対応するＣＣおよびＢＷＰを指示するために使用される。
【０３８３】
上で説明されたように、複数のＭＡＣ  ＣＥは、同一のネットワークデバイスによって端末デバイスへ送信され得る、または、複数のネットワークデバイスによって端末デバイスへ送信され得る。本願ではこれに限定されない。
【０３８４】
図は単に例であり、同一のネットワークデバイスが複数のＭＡＣ  ＣＥを端末デバイスへ送信する場合を示す。しかしながら、これは、本願に対していかなる限定も構成しないものとする。
【０３８５】
段階６０４において、端末デバイスは、第５指示情報を使用することによって指示される第４ＣＣおよび／または第４ＢＷＰに基づいて第２マッピング関係を決定する。
【０３８６】
上で説明された実施形態との区別を容易にするべく、この実施形態では、空間関係を決定するために使用されるマッピング関係は第２マッピング関係として表される。第２マッピング関係は、端末デバイスの送信ビーム、および、ネットワークデバイスの受信ビームを決定するために使用され得る。
【０３８７】
具体的には、端末デバイスは、第４ＣＣおよび／または第４ＢＷＰに基づいて第２マッピング関係を決定し得る。
【０３８８】
第３ＣＣおよび第４ＣＣは同一のＣＣであるとき、第５指示情報は第４ＢＷＰのみを指示するために使用され得る。プロトコルはデフォルトで、ＢＷＰのみを指示するために第５指示情報が使用されるとき、第５指示情報を送信するためのＣＣ、および、アップリンク信号を送信するためにスケジューリングされるＣＣは、同一のＣＣであると指定し得る。端末デバイスは、第５指示情報を受信するとき、第５指示情報を使用することによって指示される第４ＢＷＰに基づいて、第５指示情報を送信するための第４ＢＷＰおよび第３ＢＷＰが同一のＣＣに属すると決定し得る。加えて、端末デバイスは、第５指示情報を受信するためのＣＣ、および、第５指示情報を使用することによって指示されるＢＷＰに基づいて、第２マッピング関係を決定し得る。代替的に、第５指示情報は代替的に、第４ＣＣおよび第４ＢＷＰを指示するために使用され得、端末デバイスは、第５指示情報を使用することによって指示される第４ＣＣおよび第４ＢＷＰに基づいて第２マッピング関係を決定し得る。この場合、第４ＣＣおよび第３ＣＣは同一のＣＣである。
【０３８９】
第３ＣＣおよび第４ＣＣが異なるＣＣであり、かつ、第４ＣＣが１つのＢＷＰのみを含むとき、ある実装において、第５指示情報は、第４ＣＣのみを指示するために使用され得る。プロトコルはデフォルトで、ＣＣのみを指示するために第５指示情報が使用されるとき、指示されたＣＣは１つのＢＷＰのみを含むことを指定し得る。端末デバイスは、第５指示情報を受信するとき、第５指示情報を使用することによって指示される第４ＣＣに基づいて第２マッピング関係を決定し得る。この場合、ＴＣＩ状態をアクティブ化するために使用されるＭＡＣ  ＣＥにおけるＢＷＰ  ＩＤはすべて「０」であり得る。１つのＣＣが１つのＢＷＰのみを含むとき、ＣＣおよびＢＷＰは同等であるとみなされ得る。端末デバイスは第４ＣＣに基づいて第２マッピング関係を決定する、または、端末デバイスは第４ＢＷＰに基づいて第２マッピング関係を決定するとみなされ得る。別の実装において、第５指示情報は代替的に、第４ＣＣおよび第４ＢＷＰを指示するために使用され得、端末デバイスは、第５指示情報を使用することによって指示される第４ＣＣおよび第４ＢＷＰに基づいて第２マッピング関係を決定し得る。
【０３９０】
第３ＣＣおよび第４ＣＣが異なるＣＣであり、かつ、第４ＣＣが複数のＢＷＰを含むとき、第５指示情報は、第４ＣＣおよび第４ＢＷＰを指示するために使用され得る。端末デバイスは、第５指示情報を使用することによって指示される第４ＣＣおよび第４ＢＷＰに基づいて第２マッピング関係を決定し得る。
【０３９１】
これに対応して、段階６０５において、ネットワークデバイスは、第４ＣＣおよび／または第４ＢＷＰに基づいて第２マッピング関係を決定する。
【０３９２】
任意選択で、段階６０４および段階６０５の前に、方法は更に、ネットワークデバイスが第６指示情報を送信し、第６指示情報は第４ＣＣに基づいて第２マッピング関係を決定することを指示するために使用されることを含む。これに対応して、端末デバイスは第６指示情報を受信する。
【０３９３】
第６指示情報は、第４ＣＣおよび／または第４ＢＷＰに基づいて第２マッピング関係を決定することを明示的に指示するために使用されるものと理解され得る。
【０３９４】
任意選択で、第３ＣＣおよび第４ＣＣ、または、第３ＢＷＰおよび第４ＢＷＰが第３事前設定条件を満たすとき、端末デバイスおよびネットワークデバイスは、第４ＣＣおよび／または第４ＢＷＰに基づいて第２マッピング関係を決定し得る。
【０３９５】
第３事前設定条件は以下のいずれか１つを含む。
ａ．第３ＢＷＰが属する第３ＣＣが低周波数帯域にあり、第４ＢＷＰが属する第４ＣＣが高周波数帯域にある。
ｂ．第３ＢＷＰが属する第３ＣＣが位置する帯域（ｂａｎｄ）が、第４ＢＷＰが属する第４ＣＣが位置する帯域と異なる。
ｃ．第３ＢＷＰが属する第３ＣＣ、および、第４ＣＣが同一の帯域に属するが、第３ＣＣおよび第４ＣＣが周波数領域において非連続的である。
ｄ．第３ＢＷＰが低周波数帯域にあり、かつ、第４ＢＷＰが高周波数帯域にある。
ｅ．第３ＢＷＰが属する帯域が、第４ＢＷＰが属する帯域と異なる。
ｆ．第３ＢＷＰおよび第４ＢＷＰが同一の帯域に属するが、第３ＢＷＰおよび第４ＢＷＰが周波数領域において非連続的である。または、
ｇ．第３ＢＷＰのサブキャリア間隔が第４ＢＷＰのサブキャリア間隔と異なる。
【０３９６】
上に列挙された事前設定条件ａ〜ｇは、方法３００において列挙された事前設定条件ａ〜ｇと同様であることが理解されるべきである。事前設定条件は上で詳細に説明されたので、簡潔にするため、ここでは詳細について改めて説明しない。
【０３９７】
段階６０６において、ネットワークデバイスはＳＲＩを送信し、ＳＲＩは、選択された空間関係を指示するために使用される。これに対応して、段階６０６において、端末デバイスはＳＲＩを受信する。
【０３９８】
任意選択で、ＳＲＩは事前構成され得る。例えば、端末デバイスおよびネットワークデバイスは、ＳＲＩについて合意し、事前にＳＲＩをローカルに格納する。
【０３９９】
段階６０７において、端末デバイスは、ＳＲＩおよび第２マッピング関係に基づいて空間関係を決定する。これに対応して、段階６０８において、ネットワークデバイスは、ＳＲＩおよび第２マッピング関係に基づいて空間関係を決定する。
【０４００】
段階６０９において、端末デバイスは、空間関係に基づいて、アップリンク信号を送信するために使用される送信ビームおよび送信電力を決定する。これに対応して、段階６１０において、ネットワークデバイスは、空間関係に基づいて、アップリンク信号を受信するために使用される受信ビームを決定する。
【０４０１】
段階６１１において、端末デバイスは、送信電力に基づいて、送信ビームを使用することによってアップリンク信号を送信する。これに対応して、段階６１１において、ネットワークデバイスは、受信ビームを使用することによってアップリンク信号を受信する。
【０４０２】
方法６００における段階は、上述の方法３００における段階と基本的に同様であると理解されるべきである。方法３００における段階が上で詳細に説明されたので、簡潔にするため、ここでは詳細について改めて説明しない。
【０４０３】
上述の技術的解決手段に基づいて、ネットワークデバイスおよび端末デバイスは、同一のマッピング関係に基づいて空間関係を決定し、それぞれ、同一お空間関係に基づいて受信ビームおよび送信ビームを決定し得る。空間関係に基づいて決定された送信ビームおよび受信ビームは、ビームトレーニングを通じて予め決定されたペアのビームであるので、アップリンク信号伝送中に比較的大きいビームフォーミング利得を取得できることを確実にでき、それにより、アップリンク信号伝送品質を改善することを助ける。加えて、通信システムにおける端末デバイスが、ネットワークデバイスによって予測される送信電力に基づいてアップリンク信号を送信できるとき、異なる端末デバイスによって送信されたアップリンク信号がネットワークデバイスに到達する際の電力は同様である。これにより、ネットワークデバイスの信号処理の複雑性を低減することを助ける。
【０４０４】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階６０５は必ずしも段階６０３の後に実行されず、段階６０５は段階６０３の前に実行され得る。段階６０７は必ずしも段階６０６の後に実行されず、段階６０７は代替的に、段階６０６の前に実行され得る。
【０４０５】
ネットワークデバイスおよび端末デバイスによって第２マッピング関係を決定するための方法は、段階６０４および段階６０５における上述の説明に限定されないことが更に理解されるべきである。本願は更に、第２マッピング関係を決定するためにネットワークデバイスおよび端末デバイスによっても使用され得る方法を提供する。
【０４０６】
図９は、装置インタラクションの観点からの本願のなお別の実施形態による信号送受信方法７００の概略フローチャートである。図に示されるように、図９に示される方法７００は段階７０１〜段階７１１を含み得る。以下では、図９を参照して方法７００における段階を詳細に説明する。
【０４０７】
段階７０１において、ネットワークデバイスは、第３ＣＣ上の第３ＢＷＰにおいて第５指示情報を送信し、第５指示情報は、アップリンク信号を送信するための第４ＢＷＰ、および／または、第４ＢＷＰが属する第４ＣＣを指示するために使用される。これに対応して、段階７０１において、端末デバイスは、第３ＣＣ上の第３ＢＷＰにおいて第５指示情報を受信する。
【０４０８】
段階７０２において、ネットワークデバイスはＲＲＣメッセージを送信し、ＲＲＣメッセージは空間関係リストを含み、空間関係リストは複数の空間関係を含む。これに対応して、段階７０２において、端末デバイスはＲＲＣメッセージを受信する。段階７０３において、端末デバイスは、複数のＭＡＣ  ＣＥを受信し、各ＭＡＣ  ＣＥは、少なくとも１つのマッピング関係ならびに対応するＣＣおよびＢＷＰを指示するために使用される。
【０４０９】
上で説明されたように、複数のＭＡＣ  ＣＥは、同一のネットワークデバイスによって端末デバイスへ送信され得る、または、複数のネットワークデバイスによって端末デバイスへ送信され得る。本願ではこれに限定されない。
【０４１０】
図は単に例であり、同一のネットワークデバイスが複数のＭＡＣ  ＣＥを端末デバイスへ送信する場合を示す。しかしながら、これは本願に対していかなる限定も構成しないものとする。
【０４１１】
段階７０４において、端末デバイスは、第３ＣＣおよび／または第３ＢＷＰに基づいて第２マッピング関係を決定する。
【０４１２】
端末デバイスは、第５指示情報を受信するための第３ＣＣおよび第３ＢＷＰを事前に知り得るので、端末デバイスは、第３ＣＣおよび第３ＢＷＰに基づいて第２マッピング関係を直接決定し得る。第３ＣＣおよび第４ＣＣが異なるＣＣであり、かつ、第３ＣＣが１つのＢＷＰ（すなわち第３ＢＷＰ）のみを含むとき、端末デバイスは、第３ＣＣのみに基づいて第２マッピング関係を決定し得る、または、第３ＢＷＰのみに基づいて第２マッピング関係を決定し得る。したがって、端末デバイスは、第３ＣＣおよび／または第３ＢＷＰに基づいて複数のマッピング関係における第２マッピング関係を決定し得る。
【０４１３】
これに対応して、段階７０５において、ネットワークデバイスは、第３ＣＣおよび／または第３ＢＷＰに基づいて第２マッピング関係を決定する。
【０４１４】
任意選択で、段階７０４および段階７０５の前に、方法は更に、ネットワークデバイスが第７指示情報を送信し、第７指示情報は、第３ＣＣに基づいて第２マッピング関係を決定することを指示するために使用されることを含む。これに対応して、端末デバイスは、第７指示情報を受信する。
【０４１５】
第７指示情報は、第３ＣＣおよび／または第３ＢＷＰに基づいて第２マッピング関係を決定することを明示的に指示するために使用されるものと理解され得る。
【０４１６】
任意選択で、第３ＣＣおよび第４ＣＣ、または、第３ＢＷＰおよび第４ＢＷＰが第４事前設定条件を満たすとき、端末デバイスは、第３ＣＣおよび／または第３ＢＷＰに基づいて第２マッピング関係を決定する。
【０４１７】
第４事前設定条件は以下のいずれか１つを含む。
ｉ．第３ＣＣおよび第４ＣＣの両方が低周波数帯域または高周波数帯域にある。
ｉｉ．第３ＣＣが属する帯域が、第４ＣＣが属する帯域と同一である。
ｉｉｉ．第３ＣＣが属する帯域が、第４ＣＣが属する帯域と同一であり、かつ、第３ＣＣおよび第４ＣＣが周波数領域において連続的である。
ｉｖ．第３ＢＷＰおよび第４ＢＷＰの両方が低周波数帯域または高周波数帯域にある。
ｖ．第３ＢＷＰが属する帯域が、第４ＢＷＰが属する帯域と同一である。
ｖｉ．第３ＢＷＰが属する帯域が、第４ＢＷＰが属する帯域と同一であり、かつ、第３ＢＷＰおよび第４ＢＷＰが周波数領域において連続的である。または、
ｖｉｉ．第３ＢＷＰのサブキャリア間隔が第４ＢＷＰのサブキャリア間隔と同一である。
【０４１８】
上で列挙される事前設定条件ｉ〜ｖｉｉは、方法４００において列挙される事前設定条件ｉ〜ｖｉｉと同様であることが理解されるべきである。事前設定条件は上で詳細に説明されたので、簡潔にするため、ここでは詳細について改めて説明しない。
【０４１９】
段階７０６において、ネットワークデバイスはＳＲＩを送信し、ＳＲＩは、選択された空間関係を指示するために使用される。これに対応して、段階７０６において、端末デバイスはＳＲＩを受信する。
【０４２０】
任意選択で、ＳＲＩは事前構成され得る。例えば、端末デバイスおよびネットワークデバイスは、ＳＲＩについて合意し、事前にＳＲＩをローカルに格納する。
【０４２１】
段階７０７において、端末デバイスは、ＳＲＩおよび第２マッピング関係に基づいて空間関係を決定する。これに対応して、段階７０８において、ネットワークデバイスは、ＳＲＩおよび第２マッピング関係に基づいて空間関係を決定する。
【０４２２】
段階７０９において、端末デバイスは、空間関係に基づいて、アップリンク信号を送信するために使用される送信ビームおよび送信電力を決定する。これに対応して、段階７１０において、ネットワークデバイスは、空間関係に基づいて、アップリンク信号を受信するために使用される受信ビームを決定する。
【０４２３】
段階７１１において、端末デバイスは、送信電力に基づいて、送信ビームを使用することによってアップリンク信号を送信する。これに対応して、段階７１１において、ネットワークデバイスは、受信ビームを使用することによってアップリンク信号を受信する。
【０４２４】
方法７００における段階は基本的に、上述の方法４００における段階と同様であることが理解されるべきである。方法３００における段階は、上で詳細に説明されたので、簡潔にするため、ここでは詳細について改めて説明しない。
【０４２５】
上述の技術的解決手段に基づいて、ネットワークデバイスおよび端末デバイスは、同一のマッピング関係に基づいて空間関係を決定し、それぞれ、同一お空間関係に基づいて受信ビームおよび送信ビームを決定し得る。空間関係に基づいて決定された送信ビームおよび受信ビームは、ビームトレーニングを通じて予め決定されたペアのビームであるので、アップリンク信号伝送中に比較的大きいビームフォーミング利得を取得できることを確実にでき、それにより、アップリンク信号伝送品質を改善することを助ける。加えて、通信システムにおける端末デバイスが、ネットワークデバイスによって予測される送信電力に基づいてアップリンク信号を送信できるとき、異なる端末デバイスによって送信されたアップリンク信号がネットワークデバイスに到達する際の電力は同様である。これにより、ネットワークデバイスの信号処理の複雑性を低減することを助ける。
【０４２６】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階７０５は必ずしも段階７０３の後に実行されず、段階７０５は段階７０３の前に実行され得る。段階７０７は必ずしも段階７０６の後に実行されず、段階７０７は代替的に段階７０６の前に実行され得る。
【０４２７】
上記では、第２マッピング関係を決定するための２つの方法を列挙した。方法６００において、ネットワークデバイスおよび端末デバイスは、スケジューリングされた周波数領域リソース（すなわち、第４ＣＣおよび／または第４ＢＷＰ）に基づいて第２マッピング関係を決定する。区別および説明を容易にするために、以下において方法は方法Ａとして表される。方法７００において、ネットワークデバイスおよび端末デバイスは、第５指示情報を送信するための周波数領域リソース（すなわち、第１ＣＣおよび／または第３ＢＷＰ）に基づいて、第２マッピング関係を決定する。区別および説明を容易にするために、以下において方法は方法Ｂとして表される。
【０４２８】
上で説明されたように、低周波数帯域において制御チャネルを送信することにより、ロバスト性を確実にすることができ、高周波数帯域においてデータチャネルを送信することにより、スループットを改善できる。したがって、ネットワークデバイスおよび端末デバイスは更に、スケジューリングされた周波数領域リソース、および、シグナリングを送信するための周波数領域リソースの帯域における位置に基づいて、第２マッピング関係を決定するために使用される方法を決定し得る。
【０４２９】
図１０は、装置インタラクションの観点からの、本願のなお別の実施形態による信号送受信方法８００の概略フローチャートである。図に示されるように、図１０に示される方法８００は、段階８０１〜段階８１１を含み得る。以下では、図１０を参照して、方法８００における段階を詳細に説明する。
【０４３０】
段階８０１において、ネットワークデバイスは、第３ＣＣ上の第３ＢＷＰにおいて第５指示情報を送信し、第５指示情報は、アップリンク信号を送信するための第４ＢＷＰ、および、第４ＢＷＰが属する第４ＣＣを指示するために使用される。これに対応して、段階８０１において、端末デバイスは、第３ＣＣ上の第３ＢＷＰにおいて第５指示情報を受信する。
【０４３１】
段階８０２において、ネットワークデバイスはＲＲＣメッセージを送信し、ＲＲＣメッセージは空間関係リストを含み、空間関係リストは複数の空間関係を含む。これに対応して、段階８０２において、端末デバイスはＲＲＣメッセージを受信する。
【０４３２】
段階８０３において、端末デバイスは複数のＭＡＣ  ＣＥを受信し、複数のＭＡＣ  ＣＥの各々は、少なくとも１つのマッピング関係ならびに対応するＣＣおよびＢＷＰを指示するために使用される。複数のＭＡＣ  ＣＥは、同一のネットワークデバイスによって端末デバイスへ送信され得る、または、複数のネットワークデバイスによって端末デバイスへ送信され得る。本願ではこれに限定されない。
【０４３３】
段階８０４において、端末デバイスは第２マッピング関係を決定し、第２マッピング関係は、第３ＣＣおよび／または第３ＢＷＰに基づいて決定されるマッピング関係、または、第４ＣＣおよび／または第４ＢＷＰに基づいて決定されるマッピング関係である。
【０４３４】
任意選択で、段階８０４は具体的には、端末デバイスによって、方法Ａまたは方法Ｂのいずれに基づいて第２マッピング関係を決定するかを決定する段階と、端末デバイスによって、決定された方法に基づいて第２マッピング関係を決定する段階とを含む。
【０４３５】
この実施形態において、ネットワークデバイスは、方法Ａまたは方法Ｂのいずれに基づいて第２マッピング関係を決定するかを決定し得、シグナリングを使用することによって、同一の方法に基づいて第２マッピング関係を決定することを端末デバイスに通知し得る。
【０４３６】
任意選択で、段階８０４は具体的には、端末デバイスによって第８指示情報を受信する段階であって、第８指示情報は、第２マッピング関係が方法Ａまたは方法Ｂのいずれに基づいて決定されるかを指示するために使用される、段階と、これに対応して、ネットワークデバイスによって、第８指示情報を送信する段階と、端末デバイスによって、第８指示情報を使用することによって指示された方法に基づいて第２マッピング関係を決定する段階とを含む。
【０４３７】
可能な設計におじて、第８指示情報は、ＲＲＣメッセージにおいて伝送され得る。例えば、ＩＥがＲＲＣメッセージに追加され、第２マッピング関係を決定するための方法が方法Ａまたは方法Ｂのいずれであるかを指示するために使用される。例えば、ＩＥは１ビットを占有し得る。ビットが「０」に設定されるとき、方法Ａが指示され得、ビットが「１」に設定されるとき、方法Ｂが指示され得る。代替的に、ビットが「１」に設定されるとき、方法Ａが指示され得、ビットが「０」に設定されるとき、方法Ｂが指示され得る。
【０４３８】
ＲＲＣメッセージにおけるＩＥを使用することによって、第２マッピング関係を決定するために使用される方法を指示する、列挙された方法は単に可能な実装であり、本願に対していかなる限定も構成しないものとすることが理解されるべきである。第８指示情報を使用することによって、第２マッピング関係を決定するために使用される具体的な方法を指示するための方法は、本願において限定されない。
【０４３９】
方法６００における第５指示情報および第６指示情報は、同一のシグナリングにおける同一のフィールドにおいて伝送される情報であり得る、または、異なるシグナリングもしくは異なフィールドにおいて伝送される情報であり得ることが更に理解されるべきである。方法７００における第８指示情報および第７指示情報は、同一のシグナリングにおける同一のフィールドにおいて伝送される情報であり得る、または、異なるシグナリングもしくは異なるフィールドにおいて伝送される情報であり得る。本願ではこれに限定されない。
【０４４０】
これに対応して、段階８０５において、ネットワークデバイスは第２マッピング関係を決定する。
【０４４１】
任意選択で、段階８０５は具体的には、ネットワークデバイスによって、第８指示情報を使用することによって指示される方法に基づいて第２マッピング関係を決定する段階を含む。
【０４４２】
任意選択で、第３ＣＣおよび第４ＣＣ、または、第３ＢＷＰおよび第４ＢＷＰが第３事前設定条件を満たすとき、第２マッピング関係は方法Ａに基づいて決定されると決定される。
【０４４３】
第３事前設定条件は以下のいずれか１つを含む。
ａ．第３ＣＣが低周波数帯域にあり、かつ、第４ＣＣが高周波数帯域にある。
ｂ．第３ＣＣが属する帯域（ｂａｎｄ）が、第４ＣＣが属する帯域と異なる。
ｃ．第３ＣＣおよび第４ＣＣが同一の帯域に属するが、第３ＣＣおよび第４ＣＣは周波数領域において非連続的である。
ｄ．第３ＢＷＰが低周波数帯域にあり、かつ、第４ＢＷＰが高周波数帯域にある。
ｅ．第３ＢＷＰが属する帯域が、第４ＢＷＰが属する帯域と異なる。
ｆ．第３ＢＷＰおよび第４ＢＷＰが同一の帯域に属するが、第３ＢＷＰおよび第４ＢＷＰが周波数領域において非連続的である。または、
ｇ．第３ＢＷＰのサブキャリア間隔が第４ＢＷＰのサブキャリア間隔と異なる。
【０４４４】
上述の方法６００において、上述の事前設定条件を参照して詳細な説明が提供された。簡潔にするため、ここでは詳細について改めて説明しない。
【０４４５】
任意選択で、第３ＣＣおよび第４ＣＣ、または、第３ＢＷＰおよび第４ＢＷＰが第４事前設定条件を満たすとき、第２マッピング関係は方法Ｂに基づいて決定されると決定される。
【０４４６】
第４事前設定条件は以下のいずれか１つを含む。
ｉ．第３ＣＣおよび第４ＣＣの両方が低周波数帯域または高周波数帯域にある。
ｉｉ．第３ＣＣが属する帯域が、第４ＣＣが属する帯域と同一である。
ｉｉｉ．第３ＣＣが属する帯域が、第４ＣＣが属する帯域と同一であり、かつ、第３ＣＣおよび第４ＣＣが周波数領域において連続的である。
ｉｖ．第３ＢＷＰおよび第４ＢＷＰの両方が低周波数帯域または高周波数帯域にある。
ｖ．第３ＢＷＰが属する帯域が、第４ＢＷＰが属する帯域と同一である。
ｖｉ．第３ＢＷＰが属する帯域が、第４ＢＷＰが属する帯域と同一であり、かつ、第３ＢＷＰおよび第４ＢＷＰが周波数領域において連続的である。または、
ｖｉｉ．第３ＢＷＰのサブキャリア間隔が第４ＢＷＰのサブキャリア間隔と同一である。
【０４４７】
上述の方法７００において、上述の事前設定条件を参照して詳細な説明が提供された。簡潔にするため、ここでは詳細について改めて説明しない。
【０４４８】
第３事前設定条件は第４事前設定条件に対応することに留意されたい。例えば、事前設定条件ａは事前設定条件ｉに対応し、事前設定条件ｂは事前設定条件ｉｉに対応し、事前設定条件ｃは事前設定条件ｉｉｉに対応し、事前設定条件ｄは事前設定条件ｉｖに対応し、事前設定条件ｅは事前設定条件ｖに対応し、事前設定条件ｆは事前設定条件ｖｉに対応し、事前設定条件ｇは事前設定条件ｖｉｉに対応する。ネットワークデバイスおよび端末デバイスが、第２マッピング関係を方法Ａに基づいて決定するかどうかを、上で列挙された第３事前設定条件の１つに基づいて決定することは、第２マッピング関係を方法Ｂに基づいて決定するかどうかを、第４事前設定条件における対応する条件に基づいて決定することと同等である。例えば、ネットワークデバイスおよび端末デバイスが、第２マッピング関係を方法Ａに基づいて決定するかどうかを、事前設定条件ａに基づいて決定することは、ネットワークデバイスおよび端末デバイスが、第２マッピング関係を方法Ｂに基づいて決定するかどうかを、事前設定条件ｉに基づいて決定することと同等である。簡潔にするため、ここでは詳細について改めて説明しない。
【０４４９】
したがって、ネットワークデバイスおよび端末デバイスが第３事前設定条件または第４事前設定条件のいずれに基づいて決定を実行するかに関係なく、ネットワークデバイスおよび端末デバイスは、決定が対応する事前設定条件に基づいて実行されることを事前合意し得る、または、ネットワークデバイスおよび端末デバイスは、決定が同一の事前設定条件に基づいて実行されることを事前合意し得る。この方式によってのみ、決定された結果が一貫することを確実にできる。
【０４５０】
第２マッピング関係を決定した後に、端末デバイスおよびネットワークデバイスは、第２マッピング関係およびＳＲＩに基づいて、選択された空間関係を決定し得る。任意選択で、方法８００は更に段階８０６を含む、ネットワークデバイスはＳＲＩを送信し、ＳＲＩは、選択された空間関係を指示するために使用される。これに対応して、段階８０６において、端末デバイスはＳＲＩを受信する。
【０４５１】
任意選択で、ＳＲＩは事前構成され得る。例えば、端末デバイスおよびネットワークデバイスは、ＳＲＩについて合意し、事前にＳＲＩをローカルに格納する。
【０４５２】
段階８０７において、端末デバイスは、受信されたＳＲＩおよび第２マッピング関係に基づいて空間関係を決定する。
【０４５３】
これに対応して、段階８０８において、ネットワークデバイスは、ＳＲＩおよび第２マッピング関係に基づいて空間関係を決定する。
【０４５４】
段階８０９において、端末デバイスは、空間関係に基づいて、アップリンク信号を送信するための送信ビームおよび送信電力を決定する。
【０４５５】
これに対応して、段階８１０において、ネットワークデバイスは、空間関係に基づいて、アップリンク信号を受信するための受信ビームを決定する。
【０４５６】
段階８１１において、端末デバイスは、送信電力に基づいて送信ビームを使用することによって、第４ＣＣ上の第４ＢＷＰにおいてアップリンク信号を送信する。これに対応して、段階８１１において、ネットワークデバイスは、受信ビームを使用することによって、第４ＣＣ上で第４ＢＷＰにおいてアップリンク信号を受信する。
【０４５７】
段階８０７〜段階８１１の具体的なプロセスは、上述の方法６００における段階６０７〜段階６１１の具体的なプロセスと同一であると理解されるべきである。段階６０７〜段階６１１は、上で詳細に説明されたので、簡潔にするため、ここでは詳細について改めて説明しない。
【０４５８】
上述の技術的解決手段に基づいて、ネットワークデバイスおよび端末デバイスは、同一のマッピング関係に基づいて空間関係を決定し、それぞれ、同一お空間関係に基づいて受信ビームおよび送信ビームを決定し得る。空間関係に基づいて決定された送信ビームおよび受信ビームは、ビームトレーニングを通じて予め決定されたペアのビームであるので、アップリンク信号伝送中に比較的大きいビームフォーミング利得を取得でき、それにより、アップリンク信号伝送品質を改善することを助ける。加えて、ネットワークデバイスおよび端末デバイスは、周波数領域における第３ＣＣおよび第４ＣＣの位置に基づいて、ＴＣＩ状態を柔軟に選択し、可能な限り、高周波数上でデータチャネルを送信し得、それにより、データ伝送効率を改善すること、および、スループットを増加することを助ける。加えて、通信システムにおける端末デバイスが、ネットワークデバイスによって予測される送信電力に基づいてアップリンク信号を送信できるとき、異なる端末デバイスによって送信されたアップリンク信号がネットワークデバイスに到達する際の電力は同様である。これにより、ネットワークデバイスの信号処理の複雑性を低減することを助ける。
【０４５９】
上述のプロセスのシーケンス番号は、本願のこの実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。例えば、段階８０５は必ずしも段階８０３の後に実行されず、段階８０５は段階８０３の前に実行され得る。段階８０７は必ず段階８０６の後に実行されず、段階８０７は代替的に段階８０６の前に実行され得る。
【０４６０】
上述の実施形態において提供される信号送受信方法は、上で列挙されたシナリオに限定されないことが更に理解されるべきである。ネットワークデバイスが、端末デバイスによる信号の送信のために、１つの周波数領域リソース上の別の周波数領域リソースをスケジューリングするとき、複数のマッピング関係が選択されることになり得る。この場合、使用されるマッピング関係はなお、本願において提供される実施形態を使用することによって決定され得、その結果、端末デバイスおよびネットワークデバイスは、同一のマッピング関係に基づいてＴＣＩ状態または空間関係を決定し、それにより、同一のＴＣＩ状態または空間関係に基づいて送信ビームおよび受信ビームを決定する。したがって、伝送中に比較的大きいビームフォーミング利得を取得でき、それにより、信号伝送品質の改善を助ける。
【０４６１】
加えて、ネットワークデバイスは、ＲＲＣメッセージを使用することによって、各ＣＣ上のＢＷＰごとにＴＣＩ状態リストまたは空間関係リストを構成し得る。上に説明されるように、ネットワークデバイスは、最大６４のＴＣＩ状態または空間関係を各ＣＣ上のＢＷＰごとに構成し得る。したがって、シグナリングオーバヘッドは非常に大きい。
【０４６２】
実際、複数のＢＷＰのＴＣＩ状態または空間関係は、重複し得る、または、部分的に重複し得る。例えば、同一のＣＣ上の２つの隣接するＢＷＰのＴＣＩ状態は重複し得る。したがって、この方式、すなわち、ＲＲＣを使用することによってＢＷＰごとにＴＣＩ状態リストを構成することにより、不必要なシグナリングオーバヘッドが生じる得る。別の例については、同一のＣＣ上の２つの隣接するＢＷＰの間の空間関係も重複し得る。したがって、この方式、すなわち、ＲＲＣを使用することによってＢＷＰごとに空間関係リストを構成することも、不必要なシグナリングオーバヘッドを生じさせ得る。
【０４６３】
これに鑑みて、本願は更に、シグナリングオーバヘッドを低減するための方法を提供する。
【０４６４】
ネットワークデバイスがＴＣＩ状態を端末デバイスに構成する具体的なプロセスは基本的に、空間関係を構成する具体的なプロセスと同様であると理解されるべきである。理解および説明を容易にするために、以下では、ＴＣＩ状態が構成される例を使用することによって、本願のこの実施形態において提供される方法を説明する。この方法は、ネットワークデバイスが空間関係を端末デバイスに構成するシナリオにも適用可能であると理解され得る。このシナリオにおいて、方法は、空間関係決定方法とも称され得、ＴＣＩ状態は空間関係と置き換えられ得、ＴＣＩはＳＲＩと置き換えられ得、ダウンリンク信号はアップリンク信号と置き換えられ得る。端末デバイスは、空間関係に基づいて、送信ビームおよび送信電力を決定し得、ネットワークデバイスは、空間関係に基づいて受信ビームを決定し得る。
【０４６５】
以下では、図１１を参照して、本願の実施形態によるＴＣＩ状態決定方法を詳細に説明する。
【０４６６】
図１１は、装置インタラクションの観点からの、本願の実施形態によるＴＣＩ状態決定方法９００の概略フローチャートである。図に示されるように、図１１に示される方法９００は段階９０１〜段階９０９を含み得る。以下では、図１１を参照して方法９００における段階を詳細に説明する。
【０４６７】
段階９０１において、ネットワークデバイスはＲＲＣメッセージを送信し、ＲＲＣメッセージは、第１ＣＣ上の第１ＢＷＰに構成されるＴＣＩ状態リストを保持する。これに対応して、段階９０１において、端末デバイスはＲＲＣメッセージを受信する。
【０４６８】
段階９０１の具体的なプロセスは、方法３００における段階３０２と同様であることが理解されるべきである。段階３０２は上述の方法３００において詳細に説明されたので、簡潔にするため、ここでは詳細について改めて説明しない。
【０４６９】
段階９０２において、ネットワークデバイスは、ＭＡＣ  ＣＥを送信し、ＭＡＣ  ＣＥは、第２ＣＣ上の第２ＢＷＰに構成されるＴＣＩ状態リストが、第１ＣＣ上の第１ＢＷＰに構成されるＴＣＩ状態リストと同一であることを指示するため、および、アクティブ化ＴＣＩ状態を指示するために使用される。これに対応して、段階９０２において、端末デバイスはＭＡＣ  ＣＥを受信する。
【０４７０】
任意選択で、この実施形態におけるＭＡＣ  ＣＥは、既存のＭＡＣ  ＣＥのフォーマットを変更することによって取得され得る。２つの新しいフィールドが既存のＭＡＣ  ＣＥに追加され、ＣＣ上のＢＷＰを指示するために使用され、使用されるＴＣＩ状態リストはＣＣ上のＢＷＰのＴＣＩ状態リストに由来する。例えば、２つの新しいフィールドは、第２ＣＣ上の第２ＢＷＰに構成されるＴＣＩ状態リストが、第１ＣＣ上の第１ＢＷＰに構成されるＴＣＩ状態リストに由来することを指示するために使用される。この場合、端末デバイスは、第１ＣＣ上の第１ＢＷＰに構成される、ＲＲＣメッセージにおけるＴＣＩ状態リストに基づいて、第２ＣＣ上の第２ＢＷＰに構成されるＴＣＩ状態リストを決定し得る。
【０４７１】
図１２は、本願の実施形態によるＭＡＣ  ＣＥのフォーマットの概略図である。図に示されるように、図３に示されるＭＡＣ  ＣＥと比較して、少なくとも２つのフィールドがＭＡＣ  ＣＥに追加され得、２つのフィールドはそれぞれ、第１ＣＣのＩＤ、および、第１ＢＷＰのＩＤを指示するために使用され得る。図におけるＯｃｔ２に示されるように、２つのフィールドは、新たに追加されるバイトに保持され得る。
【０４７２】
具体的には、図におけるＯｃｔ１を使用することによって指示されるサービングセルＩＤは、第２ＣＣのＩＤであり得、ＢＷＰ  ＩＤは第２ＢＷＰのＩＤであり得る。言い換えれば、Ｏｃｔ１におけるフィールドを使用することによって指示されるＣＣおよびＢＷＰは、ＣＣ上のＢＷＰを指示し、ＭＡＣ  ＣＥはＣＣ上のＢＷＰに構成される。図におけるＯｃｔ２を使用することによって指示されるサービングセルＩＤは、第１ＣＣのＩＤであり得る、ＢＷＰ  ＩＤは第１ＢＷＰのＩＤであり得る。言い換えれば、Ｏｃｔ２におけるフィールドを使用することによって指示されるＣＣおよびＢＷＰは、セルにおけるＢＷＰを指示し、セルにおけるＢＷＰに構成されるＴＣＩ状態リストは再使用され得る。図におけるＯｃｔ３〜ＯｃｔＸを使用することによって指示されるＴｉは、各ＴＣＩ状態がアクティブ化されるかどうかを指示するために使用される。Ｔｉの具体的な指示方式は、従来技術と同一であり得る。簡潔にするため、ここでは詳細について改めて説明しない。
【０４７３】
単に理解を容易にするために、図１２は、ＭＡＣ  ＣＥのフォーマットの例を示すが、これは、本願に対していかなる限定も構成しないものとすることが理解されるべきである。例えば、Ｏｃｔ１におけるフィールドは代替的に、セルにおけるＢＷＰを指示するために使用され得、セルにおけるＢＷＰに構成されるＴＣＩ状態リストが再使用され得、Ｏｃｔ２におけるフィールドがセルにおけるＢＷＰを指示するために使用され、ＭＡＣ  ＣＥはセルにおけるＢＷＰに構成される。本願ではこれに限定されない。
【０４７４】
ＣＣ上のＢＷＰに構成されるＴＣＩ状態リストを再使用することを指示するためにＭＡＣ  ＣＥが変更されることは、単に可能な実装であることが更に理解されるべきである。本願の実施形態はこれに限定されない。
【０４７５】
任意選択で、ネットワークデバイスは、１つの端末デバイスあたり１つのＴＣＩ状態リストのみを構成する。
【０４７６】
１つの端末デバイスは、１または複数のＢＷＰを使用し得る。端末デバイスが複数のＢＷＰを使用するとき、複数のＢＷＰは同一のＣＣに属し得る、または、異なるＣＣに属し得る。しかしながら、端末デバイスが１または複数のＢＷＰを使用するか、または、１または複数のＣＣを使用するかに関係なく、ネットワークデバイスは、端末デバイスごとに１つのＴＣＩ状態リストのみを構成する。言い換えれば、ＴＣＩ状態リストは、ＵＥレベルで構成される。ネットワークデバイスが、ＲＲＣメッセージを使用することによって、ＴＣＩ状態リストを端末デバイスに構成するとき、ＣＣおよびＢＷＰは指示されないことがあり得る。
【０４７７】
任意選択で、ネットワークデバイスは、各端末デバイスのＢＷＰごとに１つのＴＣＩ状態リストを構成する。ネットワークデバイスが複数のＢＷＰを端末デバイスに構成するとき、ネットワークデバイスは同一のＴＣＩ状態リストを端末デバイスの複数のＢＷＰに構成する。言い換えれば、ＴＣＩ状態リストはＢＷＰに基づいて構成されるが、ネットワークデバイスはなお、１つの端末デバイスあたり１つのＴＣＩ状態リストのみを構成するとみなされ得る。ネットワークデバイスがＲＲＣメッセージを使用することによってＴＣＩ状態リストを端末デバイスに構成するとき、ＣＣおよびＢＷＰはなお区別され得るが、同一お端末デバイスの異なるＢＷＰに構成されるＴＣＩ状態リストは同一である。
【０４７８】
上述の２つの場合において、ネットワークデバイスは、同一のＴＣＩ状態リストを端末デバイスの複数のＢＷＰに構成する、または、１つのＴＣＩ状態リストのみを端末デバイスの複数のＢＷＰに構成し、ＢＷＰおよびＣＣは区別される必要がない。したがって、アクティブ化ＴＣＩ状態は、既存のＭＡＣ  ＣＥのフォーマットを使用することによって指示され得る、または、既存のＭＡＣ  ＣＥは変更され得る。例えば、サービングセルインデックスおよびＢＷＰ  ＩＤは指示されないことがあり得る。本願ではこれに限定されない。任意選択で、ネットワークデバイスは、ＱＣＬ関係を有する複数のＣＣまたは複数のＢＷＰに１つのＴＣＩ状態リストを構成する。
【０４７９】
ネットワークデバイスは、ＱＣＬ関係を有する複数のＣＣまたは複数のＢＷＰを予め定め、ＱＣＬ関係を有する複数のＣＣまたは複数のＢＷＰに同一のＴＣＩ状態リストを構成し得る。
【０４８０】
ここで、ＱＣＬ関係を有する複数のＣＣまたは複数のＢＷＰは、以下のように理解され得る。複数のＣＣが、空間領域におけるＱＣＬ関係を満たすとき、例えば、ＣＣ♯１およびＣＣ♯２が空間領域におけるＱＣＬ関係を満たすとき、ＣＣ♯１上のビームはなおＣＣ♯２上で利用可能である。言い換えれば、ＣＣ♯１上のビームおよびＣＣ♯２上のビームは、同一方向に信号を送信するために使用され、端末デバイスによって測定される信号受信強度は、同一である、または、略同一である。複数のＢＷＰが空間領域におけるＱＣＬ関係を満たすとき、例えば、ＢＷＰ♯１およびＢＷＰ♯２が空間領域におけるＱＣＬ関係を満たすとき、ＢＷＰ♯１におけるビームはなおＢＷＰ♯２において利用可能である。言い換えれば、ＢＷＰ♯１におけるビームおよびＢＷＰ♯２におけるビームを使用することによって同一方向に信号を送信することによって取得される信号受信強度は、同一である、または、略同一である。
【０４８１】
任意選択で、ネットワークデバイスは、同一の帯域における複数のＢＷＰに１つのＴＣＩ状態リストを構成する。
【０４８２】
ネットワークデバイスは、同一の帯域における複数のＢＷＰを予め定め、複数のＢＷＰに同一のＴＣＩ状態リストを構成し得る。
【０４８３】
ネットワークデバイスが１つのＴＣＩ状態リストを複数のＣＣまたは複数のＢＷＰに構成するとき、ネットワークデバイスおよび端末デバイスは、同一のＴＣＩ状態リストを有するＣＣグループまたはＢＷＰグループを予め定め、同一のＴＣＩ状態リストが同一のＣＣグループまたは同一のＢＷＰグループに構成され得るとみなされ得る。
【０４８４】
この場合、ネットワークデバイスが、ＲＲＣメッセージを使用することによって、ＴＣＩ状態リストを端末デバイスに構成するとき、各ＣＣ上のＢＷＰごとにＴＣＩ状態リストを構成するために、既存のＲＲＣメッセージのフォーマットがなお使用され得る、または、ＴＣＩ状態リストを各ＣＣグループもしくは各ＢＷＰグループごとに構成し得る。追加のシグナリングを使用することによって、ＣＣグループまたはＢＷＰグループについての情報が端末デバイスに指示され得る。加えて、ネットワークデバイスは、アクティブ化ＴＣＩ状態を構成するために既存のＭＡＣ  ＣＥをなお使用し得る、または、既存のＭＡＣ  ＣＥを変更し得、具体的には、サービングセルインデックスをセルグループインデックスに変更し、ＢＷＰ  ＩＤをＢＷＰグループＩＤに変更する。本願ではこれに限定されない。
【０４８５】
プロトコルはデフォルトで、ネットワークデバイスおよび端末デバイスが、上述の列挙された方式のいずれか１つを使用してＴＣＩ状態リストの構成オーバーヘッドを低減することを指定し得ることが理解されるべきである。ネットワークデバイスおよび端末デバイスは、マッピング関係を正確に決定するために、同一の方式でＭＡＣ  ＣＥを生成および解析し得る。
【０４８６】
段階９０３において、端末デバイスは、第１ＣＣ上の第１ＢＷＰのＴＣＩ状態リストおよびＭＡＣ  ＣＥに基づいてマッピング関係を決定する。
【０４８７】
端末デバイスは、第１ＣＣ上の第１ＢＷＰに構成される、ＲＲＣメッセージにおけるＴＣＩ状態リストに基づいて、第２ＣＣ上の第２ＢＷＰに構成されるＴＣＩ状態リストを決定し得る。端末デバイスは更に、ＴＣＩ状態リスト、および、ＭＡＣ  ＣＥを使用することによって指示されるアクティブ化ＴＣＩ状態に基づいてマッピング関係を決定し得る。マッピング関係は、少なくとも１つのＴＣＩ値と少なくとも１つのＴＣＩ状態との間の上述の対応関係である。
【０４８８】
これに対応して、段階９０４において、ネットワークデバイスは、第１ＣＣ上の第１ＢＷＰのＴＣＩ状態リストおよびＭＡＣ  ＣＥに基づいてマッピング関係を決定する。
【０４８９】
ネットワークデバイスが第１ＣＣ上の第１ＢＷＰのＴＣＩ状態リストおよびＭＡＣ  ＣＥに基づいてマッピング関係を決定する具体的なプロセスは、端末デバイスが第１ＣＣ上の第１ＢＷＰのＴＣＩ状態リストおよびＭＡＣ  ＣＥに基づいてマッピング関係を決定する具体的なプロセスと同一である。簡潔のために、詳細は改めて説明しない。
【０４９０】
任意選択で、方法９００は更に、段階９０５を含む、ネットワークデバイスはＴＣＩを送信し、ＴＣＩは、選択されたＴＣＩ状態を指示するために使用される。これに対応して、段階９０５において、端末デバイスはＴＣＩを受信する。
【０４９１】
任意選択で、ＴＣＩは事前構成され得る。例えば、端末デバイスおよびネットワークデバイスは、ＴＣＩについて合意し、事前にＴＣＩをローカルに格納する。
【０４９２】
任意選択で、方法９００は更に段階９０６を含む。端末デバイスは、ＴＣＩおよびマッピング関係に基づいてＴＣＩ状態を決定する。
【０４９３】
これに対応して、方法９００は更に段階９０７を含む。ネットワークデバイスは、ＴＣＩおよびマッピング関係に基づいてＴＣＩ状態を決定する。
【０４９４】
任意選択で、方法９００は更に段階９０８を含む。端末デバイスは、ＴＣＩ状態に基づいて、ダウンリンク信号を受信するために使用される受信ビームを決定する。
【０４９５】
これに対応して、方法９００は更に、段階９０９を含む。ネットワークデバイスはＴＣＩ状態に基づいて、ダウンリンク信号を送信するために使用される送信ビームを決定する。
【０４９６】
任意選択で、方法９００は更に段階９１０を含む、ネットワークデバイスは送信ビームを使用することによって、ダウンリンク信号を送信する。これに対応して、段階９１０において、端末デバイスは、受信ビームを使用することによってダウンリンク信号を受信する。
【０４９７】
段階９０５から段階９１０の具体的なプロセスは、上述の方法３００における段階３０６から段階３１１の具体的なプロセスと同様であることが理解されるべきである。段階３０６から段階３１１は上で詳細に説明されたので、簡潔にするため、ここでは詳細について改めて説明しない。
【０４９８】
上述の技術的解決手段に基づいて、ネットワークデバイスは、いくつかのＣＣまたはいくつかのＢＷＰのみにＴＣＩ状態リストを構成し得、それにより、ＲＲＣシグナリングオーバヘッドを大きく低減する。いくつかのＣＣまたはいくつかのＢＷＰのＴＣＩ状態リストは再使用され、その結果、アクティブなＴＣＩ状態および選択されたＴＣＩ状態はまた、ＢＷＰまたはＣＣのために構成され得る。したがって、ダウンリンク信号伝送中に比較的大きいビームフォーミング利得を取得できることを確実にするとき、シグナリングオーバヘッドが低減する。
【０４９９】
プロセスのシーケンス番号は、上述の実施形態における実行順序を意味するものではないことが理解されるべきである。プロセスの実行順序は、プロセスの機能および内部ロジックに従って決定されるべきであり、本願のこの実施形態の実装プロセスに対するいかなる限定としても解釈されるべきでない。
【０５００】
本願の実施形態において提供される方法は、図３から図１２を参照して上で詳細に説明される。本願の実施形態において提供される機器は、図１３から図１５を参照して以下で詳細に説明される。
【０５０１】
図１３は、本願の実施形態による通信機器の概略ブロック図である。図１３に示されるように、通信機器１０００は通信ユニット１１００および処理ユニット１２００を含み得る。
【０５０２】
可能な設計において、通信機器１０００は上述の方法の実施形態における端末デバイスに対応し得る。例えば、通信機器１０００は、端末デバイス、または、端末デバイスに配置されるチップであり得る。
【０５０３】
具体的には、通信機器１０００は、本願の実施形態による方法３００から方法９００における端末デバイスに対応し得る。通信機器１０００は、図５の方法３００、図６の方法４００、図７の方法５００、図８の方法６００、図９の方法７００、図１０の方法８００、または図１１の方法９００における端末デバイスによって実行される方法を実行するよう構成されるユニットを含み得る。加えて、通信機器１０００におけるユニット、および、上述の他の動作および／または機能は、図５の方法３００、図６の方法４００、図７の方法５００、図８の方法６００、図９の方法７００、図１０の方法８００、または図１１の方法９００における対応する手順を実装するために別々に使用される。
【０５０４】
通信機器１０００が図５の方法３００を実行するよう構成されるとき、通信ユニット１１００は、方法３００における段階３０１〜段階３０３、および、段階３０６〜段階３１１を実行するよう構成され得、処理ユニット１２００は、方法３００における段階３０４、段階３０７、および段階３０９を実行するよう構成され得る。
【０５０５】
通信機器１０００が図６の方法４００を実行するよう構成されるとき、通信ユニット１１００は、方法４００における段階４０１〜段階４０３、段階４０６、および段階４１１を実行するよう構成され得、処理ユニット１２００は、方法４００における段階４０４、段階４０７、および段階４０９を実行するよう構成され得る。
【０５０６】
通信機器１０００が図７の方法５００を実行するよう構成されるとき、通信ユニット１１００は、方法５００における段階５０１〜段階５０３、段階５０６、および段階５１１を実行するよう構成され得、処理ユニット１２００は、方法５００における段階５０４、段階５０７、および段階５０９を実行するよう構成され得る。
【０５０７】
通信機器１０００が図８の方法６００を実行するよう構成されるとき、通信ユニット１１００は、方法６００における段階６０１〜段階６０３、段階６０６、および段階６１１を実行するよう構成され得、処理ユニット１２００は、方法６００における段階６０４、段階６０７、および段階６０９を実行するよう構成され得る。
【０５０８】
通信機器１０００が図９の方法７００を実行するよう構成されるとき、通信ユニット１１００は、方法７００における段階７０１〜段階７０３、段階７０６、および段階７１１を実行するよう構成され得、処理ユニット１２００は、方法７００における段階７０４、段階７０７および段階７０９を実行するよう構成され得る。
【０５０９】
通信機器１０００が図１０の方法８００を実行するよう構成されるとき、通信ユニット１１００は、方法８００における段階８０１〜段階８０３、段階８０６、および段階８１１を実行するよう構成され得、処理ユニット１２００は、方法８００における段階８０４、段階８０７、および段階８０９を実行するよう構成され得る。
【０５１０】
通信機器１０００が図１１の方法９００を実行するよう構成されるとき、通信ユニット１１００は、方法９００における段階９０１、段階９０２、段階９０５、および段階９１０を実行するよう構成され得、処理ユニット１２００は、方法９００における段階９０３、段階９０６、および段階９０８を実行するよう構成され得る。
【０５１１】
ユニットが上述の対応する段階を実行する具体的なプロセスは、上述の方法の実施形態において詳細に説明されたことが理解されるべきである。簡潔にするため、ここでは詳細について改めて説明しない。
【０５１２】
通信機器１０００が端末デバイスであるとき、通信機器１０００における通信ユニット１１００は、図１４に示される端末デバイス２０００における送受信機２０２０に対応し得、通信機器１０００における処理ユニット１２００は、図１４に示される端末デバイス２０００におけるプロセッサ２０１０に対応し得ることが更に理解されるべきである。
【０５１３】
通信機器１０００が端末デバイスに配置されるチップであるとき、通信機器１０００における通信ユニット１１００は入力／出力インタフェースであり得ることが更に理解されるべきである。
【０５１４】
別の可能な設計において、通信機器１０００は、上述の方法の実施形態におけるネットワークデバイスに対応し得る。例えば、通信機器１０００は、ネットワークデバイス、または、ネットワークデバイスに配置されるチップであり得る。
【０５１５】
具体的には、通信機器１０００は、本願の実施形態による方法３００〜方法９００におけるネットワークデバイスに対応し得る。通信機器１０００は、図５の方法３００、図６の方法４００、図７の方法５００、図８の方法６００、図９の方法７００、図１０の方法８００、または図１１の方法９００におけるネットワークデバイスによって実行される方法を実行するよう構成されるユニットを含み得る。加えて、通信機器１０００におけるユニット、ならびに、上述の他の動作および／または機能は、図５の方法３００、図６の方法４００、図７の方法５００、図８の方法６００、図９の方法７００、図１０の方法８００、または図１１の方法９００における対応する手順を実装するために別々に使用される。
【０５１６】
通信機器１０００が図５の方法３００を実行するよう構成されるとき、通信ユニット１１００は、方法３００における段階３０１〜段階３０３、段階３０６、および段階３１１を実行するよう構成され得、処理ユニット１２００は、方法３００における段階３０５、段階３０８、および段階３１０を実行するよう構成され得る。
【０５１７】
通信機器１０００が図６における方法４００を実行するよう構成されるとき、通信ユニット１１００は、方法４００における段階４０１〜段階４０３、段階４０６および段階４１１を実行するよう構成され得、処理ユニット１２００は、方法４００における段階４０５、段階４０８、および段階４１０を実行するよう構成され得る。
【０５１８】
通信機器１０００が図７における方法５００を実行するよう構成されるとき、通信ユニット１１００は、方法５００における段階５０１〜段階５０３、段階５０６、および段階５１１を実行するよう構成され得、処理ユニット１２００は、方法５００における段階５０５、段階５０８、および段階５１０を実行するよう構成され得る。
【０５１９】
通信機器１０００が図８の方法６００を実行するよう構成されるとき、通信ユニット１１００は、方法６００における段階６０１〜段階６０３、段階６０６、および段階６１１を実行するよう構成され得、処理ユニット１２００は、方法６００における段階６０５、段階６０８、および段階６１０を実行するよう構成され得る。
【０５２０】
通信機器１０００が図９の方法７００を実行するよう構成されるとき、通信ユニット１１００は、方法７００における段階７０１〜段階７０３、段階７０６、および段階７１１を実行するよう構成され得、処理ユニット１２００は、方法７００における段階７０５、段階７０８、および段階７１０を実行するよう構成され得る。
【０５２１】
通信機器１０００が図１０における方法８００を実行するよう構成されるとき、通信ユニット１１００は、方法８００における段階８０１〜段階８０３、段階８０６、および段階８１１を実行するよう構成され得、処理ユニット１２００は、方法８００における段階８０５、段階８０８、および段階８１０を実行するよう構成され得る。
【０５２２】
通信機器１０００が図１１の方法９００を実行するよう構成されるとき、通信ユニット１１００は、方法９００における段階９０１、段階９０２、段階９０５、および段階９１０を実行するよう構成され得、処理ユニット１２００は、方法９００における段階９０４、段階９０７、および段階９０９を実行するよう構成され得る。
【０５２３】
各ユニットが、上述の対応する段階を実行する具体的なプロセスは、上述の方法の実施形態において詳細に説明されることが理解されるべきである。簡潔にするために、ここでは詳細を説明しない。
【０５２４】
通信機器１０００がネットワークデバイスであるとき、通信機器１０００における通信ユニットは、図１５に示されるネットワークデバイス３０００における送受信機３１００に対応し得、通信機器１０００における処理ユニット１２００は、図１５に示されるネットワークデバイス３０００におけるプロセッサ３２００に対応し得ることが更に理解されるべきである。
【０５２５】
通信機器１０００が、ネットワークデバイスに配置されたチップであるとき、通信機器１０００における通信ユニット１１００は入力／出力インタフェースであり得ることが更に理解されるべきである。
【０５２６】
図１４は、本願の実施形態による端末デバイス２０００の概略構造図である。図に示されるように、端末デバイス２０００はプロセッサ２０１０および送受信機２０２０を含む。任意選択で、端末デバイス２０００はメモリ２０３０を更に含む。プロセッサ２０１０、送受信機２００２およびメモリ２０３０は、内部接続パスを使用することによって互いと通信し得、制御信号および／またはデータ信号を転送する。メモリ２０３０は、コンピュータプログラムを格納するよう構成される。プロセッサ２０１０は、信号を送信および受信するよう送受信機２０２０を制御するために、コンピュータプログラムをメモリ２０３０から呼び出し、コンピュータプログラムを動作させるよう構成される。任意選択で、端末デバイス２０００は更に、無線信号を使用することによって、送受信機２０２０によって出力されたアップリンクデータまたはアップリンク制御シグナリングを送信するよう構成されるアンテナ２０４０を備え得る。
【０５２７】
プロセッサ２０１０およびメモリ２０３０は、処理機器に統合され得る。プロセッサ２０１０は、上述の機能を実装するために、メモリ２０３０に格納されるプログラムコードを実行するよう構成される。具体的な実装中に、メモリ２０３０はまた、プロセッサ２０１０に統合され得る、または、プロセッサ２０１０から独立し得る。
【０５２８】
送受信機２０２０は、図１３における通信ユニットに対応し得、また、送受信ユニットと称され得る。送受信機２０２０は、受信機（または受信機回路と称される）および送信機（または送信機回路と称される）を含み得る。受信機は、信号を受信するよう構成され、送信機は、信号を送信するよう構成される。
【０５２９】
図１４に示される端末デバイス２０００は、図５〜図１１における方法の実施形態における端末デバイスに関連するプロセスを実装できることが理解されるべきである。端末デバイス２０００におけるモジュールの動作および／または機能は、上述の方法の実施形態における対応する手順を実装するために別々に使用される。詳細については、上述の方法の実施形態における説明を参照されたい。繰り返しを回避するために、ここでは詳細な説明が適切に省略される。
【０５３０】
プロセッサ２０１０は、上述の方法の実施形態における端末デバイスの内部において実装される動作を実行するよう構成され得、送受信機２０２０は、上述の方法の実施形態における、端末デバイスによるネットワークデバイスへの送信、または、ネットワークデバイスからの受信の動作を実行するよう構成され得る。詳細については、上述の方法の実施形態における説明を参照されたい。詳細はここでは再び説明しない。
【０５３１】
任意選択で、端末デバイス２０００は更に、端末デバイスにおける様々なコンポーネントまたは回路に電力を供給するよう構成される電源２０５０を含み得る。
【０５３２】
加えて、端末デバイスの機能をより完全にするために、端末デバイス２０００は更に、入力ユニット２０６０、表示ユニット２０７０、音声回路２０８０、カメラ２０９０、センサ２１００などのうち１または複数を含み得、音声回路は更に、スピーカ２０８２、マイク２０８４などを含み得る。
【０５３３】
図１５は、本願の実施形態によるネットワークデバイスの概略構造図である。例えば、図１５は、基地局の概略構造図であり得る。図１５に示されるように、基地局３０００は、上述の方法の実施形態におけるネットワークデバイスの機能を実行するために、図１または図２に示されるシステムにおいて使用され得る。
【０５３４】
基地局３０００は、遠隔無線ユニット（ｒｅｍｏｔｅ  ｒａｄｉｏ  ｕｎｉｔ、ＲＲＵ）３１００などの１または複数の無線ユニット、および、１または複数のベースバンドユニット（ｂａｓｅｂａｎｄ  ｕｎｉｔ、ＢＢＵ）（デジタルユニット、ＤＵとも称され得る）３２００を含み得る。ＲＲＵ３１００は送受信ユニットと称され得、図１３における通信ユニット１１００に対応する。任意選択で、送受信ユニット３１００はまた、送受信機、送受信回路などと称され得、少なくとも１つのアンテナ３１０１および無線ユニット３１０２を含み得る。任意選択で、送受信ユニット３１００は受信ユニットおよび伝送ユニットを含み得る。受信ユニットは受信機（または受信機回路と称される）に対応し得、伝送ユニットは送信機（または送信機回路と称され得る）に対応し得る。ＲＲＵ３１００は主に、無線周波数信号を送信および受信し、無線周波数信号とベースバンド信号との間の変換を実行するよう構成される。例えば、ＲＲＵ３１００は、指示情報を端末デバイスへ送信するよう構成される。ＢＢＵ３２００は主に、ベースバンド処理を実行すること、および、基地局を制御することなどを行うよう構成される。ＲＲＵ３１００およびＢＢＵ３２００は、物理的に共に配置され得る、または、物理的に別々に配置され得る（すなわち、基地局は分散基地局である）。
【０５３５】
ＢＢＵ３２００は、基地局の制御センターである、または、処理ユニットと称され得る。ＢＢＵ３２００は図１３における処理ユニット１２００に対応し得、主に、ベースバンド処理機能、例えば、チャネル符号化、多重化、変調または拡散を実装するよう構成される。例えば、ＢＢＵ（処理ユニット）は、上述の方法の実施形態におけるネットワークデバイスに関連する動作手順、例えば、上述の指示情報の生成を実行するよう基地局を制御するよう構成され得る。
【０５３６】
例において、ＢＢＵ３２００は、１または複数の基板を含み得、複数の回路基板は、単一のアクセス規格を有する無線アクセスネットワーク（例えばＬＴＥネットワーク）を共同でサポートし得る、または、異なるアクセス規格を有する無線アクセスネットワーク（例えばＬＴＥネットワーク、５Ｇネットワーク、または別のネットワーク）を別々にサポートし得る。ＢＢＵ３２００は更に、メモリ３２０１およびプロセッサ３２０２を含む。メモリ３２０１は必要な命令および必要なデータを格納するよう構成される。プロセッサ３２０２は、必要な動作を実行するよう基地局を制御するよう構成され、例えば、上述の方法の実施形態におけるネットワークデバイスに関連する動作手順を実行するよう基地局を制御するよう構成される。メモリ３２０１およびプロセッサ３２０２は１または複数の基板を扱い得る。すなわち、メモリおよびプロセッサは、各基板に別々に配置され得る。代替的に、複数の回路基板は同一のメモリおよび同一のプロセッサを共有し得る。加えて、必要な回路が各基板上に更に配置され得る。
【０５３７】
図１５に示される基地局３０００は、図５〜図１１における方法の実施形態におけるネットワークデバイスに関連するプロセスを実装できることが理解されるべきである。基地局３０００におけるモジュールの動作および／または機能は、上述の方法の実施形態における対応する手順を実装するために別々に使用される。詳細については、上述の方法の実施形態における説明を参照されたい。繰り返しを回避するために、ここでは詳細な説明が適切に省略される。
【０５３８】
ＢＢＵ３２００は、上述の方法の実施形態におけるネットワークデバイスの内部に実装される動作を実行するよう構成され得、ＲＲＵ３１００は、上述の方法の実施形態におけるネットワークデバイスによる端末デバイスへの送信、または、端末デバイスからの受信の動作を実行するよう構成され得る。詳細については、上述の方法の実施形態における説明を参照されたい。詳細はここでは再度説明しない。
【０５３９】
本願の実施形態は更に、プロセッサおよびインタフェースを含む処理機器を提供する。プロセッサは、上述の方法の実施形態のいずれか１つにおける信号送受信方法を実行するよう構成される。
【０５４０】
処理機器はチップであり得ることが理解されるべきである。例えば、処理機器は、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、特定用途向け集積チップ（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、システムオンチップ（ｓｙｓｔｅｍ  ｏｎ  ｃｈｉｐ、ＳｏＣ）、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、デジタル信号プロセッサ（ｄｉｇｉｔａｌ  ｓｉｇｎａｌ  ｐｒｏｃｅｓｓｏｒ、ＤＳＰ）、マイクロコントローラユニット（ｍｉｃｒｏ  ｃｏｎｔｒｏｌｌｅｒ  ｕｎｉｔ、ＭＣＵ）、プログラマブル論理デバイス（ｐｒｏｇｒａｍｍａｂｌｅ  ｌｏｇｉｃ  ｄｅｖｉｃｅ、ＰＬＤ）、または別の集積チップであり得る。
【０５４１】
実装プロセスにおいて、上述の方法における段階は、プロセッサにおけるハードウェア論理集積回路を使用することによって、または、ソフトウェアの形態の命令を使用することによって実装できる。本願の実施形態を参照して開示される方法の段階は、ハードウェアプロセッサによって直接実行され得る、または、プロセッサにおけるハードウェアおよびソフトウェアモジュールの組み合わせによって実行され得る。ソフトウェアモジュールは、当該技術分野において成熟した記憶媒体、例えば、ランダムアクセスメモリ、フラッシュメモリ、リードオンリメモリ、プログラマブルリードオンリメモリ、電気的消去可能プログラマブルメモリ、またはレジスタに配置され得る。記憶媒体はメモリに配置され、プロセッサはメモリにおける情報を読み取り、プロセッサにおけるハードウェアと連携して上述の方法における段階を完了する。繰り返しを回避するために、ここでは詳細を再度説明しない。
【０５４２】
本願のこの実施形態におけるプロセッサは、集積回路チップであり得、信号処理機能を有することに留意されたい。実装プロセスにおいて、上述の方法の実施形態における段階は、プロセッサにおけるハードウェア論理集積回路を使用することによって、または、ソフトウェアの形態の命令を使用することによって完了され得る。プロセッサは、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブル論理デバイス、ディスクリートゲートもしくはトランジスタロジックデバイス、または、ディスクリートハードウェアコンポーネントであり得る。プロセッサは、本願の実施形態において開示されている方法、段階、および論理ブロック図を実装または実行し得る。汎用プロセッサはマイクロプロセッサであり得る、または、プロセッサは任意の従来型プロセッサなどであり得る。本願の実施形態を参照して開示される方法の段階は、ハードウェア復号プロセッサを使用することによって、直接実行および完了され得る、または、復号プロセッサにおけるハードウェアおよびソフトウェアモジュールの組み合わせを使用することによって実行および完了され得る。ソフトウェアモジュールは、当該技術分野において成熟した記憶媒体、例えば、ランダムアクセスメモリ、フラッシュメモリ、リードオンリメモリ、プログラマブルリードオンリメモリ、電気的消去可能プログラマブルメモリ、またはレジスタなどに配置され得る。記憶媒体はメモリに配置され、プロセッサは、メモリにおける情報を読み取り、プロセッサにおけるハードウェアと連携して上述の方法における段階を完了する。
【０５４３】
本願のこの実施形態におけるメモリは、揮発性メモリまたは不揮発性メモリであり得る、または、揮発性メモリおよび不揮発性メモリの両方を含み得ると理解され得る。不揮発性メモリは、リードオンリメモリ（ｒｅａｄ−ｏｎｌｙ  ｍｅｍｏｒｙ：ＲＯＭ）、プログラマブルリードオンリメモリ（ｐｒｏｇｒａｍｍａｂｌｅ  ＲＯＭ：ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ：ＥＥＰＲＯＭ）、またはフラッシュメモリであり得る。揮発性メモリはランダムアクセスメモリ（ｒａｎｄｏｍ  ａｃｃｅｓｓ  ｍｅｍｏｒｙ、ＲＡＭ）であり得、外部キャッシュとして使用される。限定的な説明ではなく、例示的な説明として、多くの形態のＲＡＭ、例えば、ランダムアクセスメモリ（スタティックＲＡＭ、ＳＲＡＭ）、ダイナミックランダムアクセスメモリ（ダイナミックＲＡＭ、ＤＲＡＭ）、同期ダイナミックランダムアクセスメモリ（同期ＤＲＡＭ、ＳＤＲＡＭ）、ダブルデータレート同期ダイナミックランダムアクセスメモリ（ダブルデータレートＳＤＲＡＭ、ＤＤＲ  ＳＤＲＡＭ）、強化同期ダイナミックランダムアクセスメモリ（強化ＳＤＲＡＭ、ＥＳＤＲＡＭ）、シンクリンクダイナミックランダムアクセスメモリ（シンクリンクＤＲＡＭ、ＳＬＤＲＡＭ）、および、ダイレクトランバスランダムアクセスメモリ（ダイレクトランバスＲＡＭ、ＤＲ  ＲＡＭ）が使用され得る。本明細書に説明されるシステムおよび方法のメモリは、これら、および、別の適切なタイプの任意のメモリを含むが、これらに限定されないことに留意されたい。
【０５４４】
本願に実施形態において提供される方法によれば、本願は更にコンピュータプログラムプロダクトを提供する。コンピュータプログラムプロダクトはコンピュータプログラムコードを含む。コンピュータプログラムコードがコンピュータ上で動作するとき、コンピュータは、図５から図１１に示される実施形態のいずれか１つにおける信号送受信方法を実行することが可能となる。
【０５４５】
本願の実施形態において提供される方法によれば、本願は更に、コンピュータ可読媒体を提供する。コンピュータ可読媒体はプログラムコードを格納する。プログラムコードがコンピュータ上で動作するとき、コンピュータは、図５から図１１に示される実施形態のいずれか１つにおける信号送受信方法を実行することが可能となる。
【０５４６】
本願の実施形態において提供される方法によれば、本願は更にシステムを提供する。システムは、上述の１または複数の端末デバイスおよび１または複数のネットワークデバイスを備える。
【０５４７】
上述の実施形態のすべてまたはいくつかは、ソフトウェア、ハードウェア、ファームウェア、またはこれらの任意の組み合わせを用いることにより実装され得る。実施形態を実装するのにソフトウェアが用いられるとき、実施形態のすべてまたはいくつかは、コンピュータプログラムプロダクトの形態で実装され得る。コンピュータプログラムプロダクトは、１または複数のコンピュータ命令を含む。コンピュータ命令がコンピュータにロードされて実行されるとき、本願の実施形態によるプロシージャまたは機能がすべて、または部分的に生成される。コンピュータは汎用コンピュータ、特定用途向けコンピュータ、コンピュータネットワーク、または、他のプログラム可能機器であり得る。コンピュータ命令は、コンピュータ可読記憶媒体に格納されてよい、または、コンピュータ可読記憶媒体から別のコンピュータ可読記憶媒体に送信されてよい。例えば、コンピュータ命令は、あるウェブサイト、コンピュータ、サーバ、またはデータセンターから別のウェブサイト、コンピュータ、サーバ、またはデータセンターに、有線（例えば、同軸ケーブル、光ファイバ、またはデジタル加入者線（ｄｉｇｉｔａｌ  ｓｕｂｓｃｒｉｂｅｒ  ｌｉｎｅ、ＤＳＬ））方式または無線（例えば、赤外線、電波、またはマイクロ波）方式で送信されてよい。コンピュータ可読記憶媒体は、コンピュータからアクセス可能な任意の使用可能な媒体、または、１または複数の使用可能な媒体を統合する、サーバまたはデータセンタなどのデータ記憶装置であってよい。使用可能な媒体は磁気媒体（例えばフロッピーディスク、ハードディスク、または磁気テープ）、光媒体（例えば、高密度デジタルビデオディスク（ｄｉｇｉｔａｌ  ｖｉｄｅｏ  ｄｉｓｃ、ＤＶＤ）、半導体媒体（例えば、ソリッドステートドライブ（ｓｏｌｉｄ  ｓｔａｔｅ  ｄｒｉｖｅ、ＳＳＤ））などであり得る。
【０５４８】
上述の機器の実施形態におけるネットワークデバイスおよび端末デバイスは、方法の実施形態におけるネットワークデバイスおよび端末デバイスに対応する。対応するモジュールまたはユニットは、対応する段階を実行する。例えば、通信ユニット（送受信機）は、方法の実施形態における受信または送信段階を実行し、送信段階および受信段階以外の別の段階は、処理ユニット（プロセッサ）によって実行され得る。特定のユニットの機能については、対応する方法の実施形態を参照されたい。１または複数のプロセッサがあり得る。
【０５４９】
本願において、「少なくとも１つ」とは、１または複数を指し、「複数」は２以上を指す。「および／または」という用語は、関連付けられる対象物間の対応関係を説明するものであり、３つの関係が存在し得ることを表す。例えば、Ａおよび／またはＢは、Ａのみが存在する場合と、ＡおよびＢの両方が存在する場合と、Ｂのみが存在する場合とを表し得る。ここで、ＡおよびＢは単数形または複数形であり得る。文字「／」は通常、関連付けられる対象の間の「または」の関係を指示する。「以下の項目（要素）のうち少なくとも１つ」またはその同様の表現は、これらの項目の任意の組み合わせを指示し、単一の項目（要素）または複数の項目（要素）の任意の組み合わせを含む。例えば、ａ、ｂ、またはｃのうち少なくとも１つは、ａ、ｂ、ｃ、ａおよびｂ、ａおよびｃ、ｂおよびｃ、または、ａ、ｂおよびｃを示し得る、ここで、ａ、ｂ、およびｃは単数形または複数形を指示し得る。
【０５５０】
本明細書全体において言及される「一実施形態」または「実施形態」は、実施形態に関連するその特定の特徴、構造、または特性が、本願の少なくとも一実施形態に含まれることを意味するものと理解されるべきである。したがって、本明細書全体にわたって登場する「一実施形態において」または「実施形態において」は必ずしも同一の実施形態を意味するものではない。加えて、これらの特定の特徴、構造または特性は、任意の適切な方式で、１または複数の実施形態に組み合わされてもよい。上述したプロセスのシーケンス番号は、様々な本願の実施形態における実行順序を意味するものではないことが理解されるべきである。プロセスの実行順序は、プロセスの機能および内部ロジックに基づいて決定されるべきであり、本願の実施形態の実装プロセスに対するなんらかの限定として解釈されるべきではない。加えて、図における段階の説明は単に例であり、本願に対していかなる限定も構成しない。
【０５５１】
本明細書において使用される、「コンポーネント」、「モジュール」、および「システム」などの用語は、コンピュータ関連エンティティ、ハードウェア、ファームウェア、ハードウェアとソフトウェアとの組み合わせ、ソフトウェア、または、実行されているソフトウェアを示すのに使用される。例えば、コンポーネントは、これらに限定されないが、プロセッサ上で動作するプロセス、プロセッサ、オブジェクト、実行可能ファイル、実行スレッド、プログラムおよび／またはコンピュータであり得る。図に示されるように、コンピューティングデバイス上で動作するコンピューティングデバイスよびアプリケーションは両方ともコンポーネントであり得る。１または複数のコンポーネントは、プロセスおよび／または実行スレッド内に存在し得て、コンポーネントは、１つのコンピュータ上に位置し得る、および／または、２以上のコンピュータの間で分散され得る。加えて、これらのコンポーネントは、様々なデータ構造を格納する様々なコンピュータ可読媒体によって実行され得る。例えば、コンポーネントは、１または複数のデータパケット（例えば、ローカルシステムにおける別のコンポーネントとやり取りする２つのコンポーネントからのデータ、分散システムにおけるデータ、および／または、信号を使用することによって別のシステムとやり取りするインターネットなどのネットワーク間のデータなど）を有する信号に基づいて、ローカルおよび／または遠隔プロセスを使用することによって通信し得る。
【０５５２】
当業者であれば、本明細書に開示される実施形態を参照して説明される例示的な論理ブロック（ｉｌｌｕｓｔｒａｔｉｖｅ  ｌｏｇｉｃａｌ  ｂｌｏｃｋ）および段階（ｓｔｅｐ）が、電子的ハードウェア、または、コンピュータソフトウェアと電子的ハードウェアとの組み合わせによって実装することができることを認識し得る。機能がハードウェアによって実行されるか、または、ソフトウェアによって実行されるかは、技術的解決手段の特定の用途および設計上の制約に依存する。当業者は、特定のアプリケーションごとに機能を実装するために異なる方法を使用し得るが、その実装が本願の範囲を超えるものとみなされるべきでない。
【０５５３】
便宜上の目的で、および、説明を簡潔にするために、説明されるシステム、機器、およびユニットの詳細な動作プロセスについては、上述の方法の実施形態における対応するプロセスを指してよいことが、当業者によって明確に理解され得る。
【０５５４】
本願において提供されるいくつかの実施形態では、開示されたシステム、機器および方法が他の方式で実装されてよいことが理解されるべきである。例えば、上述の機器の実施形態は単に例である。例えば、ユニットへの分割は単に、論理的機能の分割であり、実際の実装では他の分割もあり得る。例えば、複数のユニットまたはコンポーネントは組み合わせられてよく、または、別のシステムに統合されてよい、または、いくつかの特徴は無視されてよく、または、実行されなくてよい。加えて、表示または説明されている相互結合もしくは直接結合または通信接続は、いくつかのインタフェースを介して実装されてよい。機器またはユニット間の間接的な結合または通信接続は電子的、機械的または他の形態で実装されてよい。
【０５５５】
別個の部分として説明されるユニットは、物理的に別個でも、そうでなくてもよく、ユニットとして表示される部分は、物理的ユニットでも、そうでなくてもよく、１つの場所に位置しても、または、複数のネットワークユニット上に分散されてもよい。ユニットのいくつかまたはすべては、実施形態における解決手段の目的を実現するための実際の要件に基づき選択され得る。
【０５５６】
加えて、本願の実施形態における機能ユニットは、１つの処理ユニットに統合され得るか、ユニットの各々は、物理的に単独で存在し得るか、または、２以上のユニットは１つのユニットに統合される。
【０５５７】
上述の実施形態において、機能ユニットの機能のすべてまたは一部は、ソフトウェア、ハードウェア、ファームウェアまたはそれらの任意の組み合わせによって実装され得る。ソフトウェアが実施形態を実装するために使用されるとき、実施形態は完全にまたは部分的にコンピュータプログラムプロダクトの形態で実装され得る。コンピュータプログラムプロダクトは、１または複数のコンピュータ命令（プログラム）を含む。コンピュータプログラム命令（プログラム）がコンピュータにロードされて実行されるとき、本願の実施形態によるプロシージャまたは機能がすべて、または部分的に生成される。コンピュータは、汎用コンピュータ、特定用途向けコンピュータ、コンピュータネットワーク、または他のプログラム可能機器であってよい。コンピュータ命令は、コンピュータ可読記憶媒体に格納されてよい、または、コンピュータ可読記憶媒体から別のコンピュータ可読記憶媒体に送信されてよい。例えば、コンピュータ命令は、有線（例えば、同軸ケーブル、光ファイバまたはデジタル加入者線（ＤＳＬ））または無線（例えば、赤外線、電波またはマイクロ波方式）でウェブサイト、コンピュータ、サーバまたはデータセンタから別のウェブサイト、コンピュータ、サーバまたはデータセンタに送信されてよい。コンピュータ可読記憶媒体は、コンピュータからアクセス可能な任意の使用可能な媒体、または、１または複数の使用可能な媒体を統合する、サーバまたはデータセンタなどのデータ記憶装置であってよい。使用可能な媒体は、磁気媒体（例えば、フロッピーディスク、ハードディスク、または磁気テープ）、光媒体（例えば、ＤＶＤ）、または半導体媒体（例えば、ソリッドステートドライブ（ｓｏｌｉｄ  ｓｔａｔｅ  ｄｉｓｋ、ＳＳＤ））などであってよい。
【０５５８】
これらの機能がソフトウェア機能ユニットの形態で実装され、独立した製品として販売または使用されるとき、これらの機能は、コンピュータ可読記憶媒体に格納されてよい。そのような理解に基づいて、本願における技術的解決手段は本質的に、または、従来技術に寄与する部分は、または、技術的解決手段の一部は、ソフトウェア製品の形態で実装され得る。コンピュータソフトウェア製品は記憶媒体に格納され、本願の実施形態における方法の段階のすべてまたは一部を実行するようにコンピュータデバイス（パーソナルコンピュータ、サーバ、ネットワークデバイスなどであり得る）に命令するための複数の命令を含む。上述の記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスクまたはコンパクトディスクなどの、プログラムコードを格納できる任意の媒体を含む。
【０５５９】
上述の説明は、本願の具体的な実装に過ぎないが、本願の保護範囲を制限することを目的とするものではない。本願に開示された技術的範囲内で当業者により容易に考え出される、あらゆる変形または置き換えは、本願の保護範囲に含まれることになる。したがって、本願の保護範囲は特許請求の範囲の保護範囲に従うことになる。
他の可能な請求項
（項目１）
信号受信方法であって、
第１コンポーネントキャリア（ＣＣ）上で第１指示情報を受信する段階であって、上記第１指示情報は、ダウンリンク信号を送信するための帯域幅部分ＢＷＰ、および、上記ＢＷＰが属する第２ＣＣを指示するために使用される、段階と、
上記第１指示情報を使用することによって指示される上記第２ＣＣおよび上記ＢＷＰに基づいて第１マッピング関係を決定する段階であって、上記第１マッピング関係は、少なくとも１つの伝送構成指示ＴＣＩ状態と少なくとも１つのＴＣＩ値との間の対応関係を指示するために使用される、段階と、
上記第１マッピング関係および受信されたＴＣＩに基づいてＴＣＩ状態を決定し、上記ＴＣＩ状態に基づいて、上記ダウンリンク信号を受信するための受信ビームを決定する段階と、
上記受信ビームを使用することによって、上記第２ＣＣ上の上記ＢＷＰにおいて上記ダウンリンク信号を受信する段階と
を備える方法。
（項目２）
上記第１指示情報を使用することによって指示される上記第２ＣＣおよび上記ＢＷＰに基づいて第１マッピング関係を決定する上記段階は、
複数の媒体アクセス制御（ＭＡＣ）制御要素（ＣＥ）を受信する段階であって、各ＭＡＣ  ＣＥは、マッピング関係および対応するＣＣ上のＢＷＰを指示するために使用される、段階と、
上記第１指示情報を使用することによって指示される上記第２ＣＣおよび上記ＢＷＰに基づいて、上記複数のＭＡＣ  ＣＥにおける第１ＭＡＣ  ＣＥを使用することによって指示されるマッピング関係を上記第１マッピング関係として決定する段階であって、上記第１ＭＡＣ  ＣＥによって指示されるＣＣの識別子は、上記第１指示情報を使用することによって指示される上記第２ＣＣの識別子と同一であり、上記第１ＭＡＣ  ＣＥによって指示されるＢＷＰの識別子は、上記第１指示情報を使用することによって指示される上記ＢＷＰの識別子と同一である、段階と
を含む、項目１に記載の方法。
（項目３）
上記第１指示情報を使用することによって指示される上記第２ＣＣおよび上記ＢＷＰに基づいて第１マッピング関係を決定する上記段階の前に、上記方法は更に、
第２指示情報を受信する段階であって、上記第２指示情報は、上記第２ＣＣおよび上記ＢＷＰに基づいて上記第１マッピング関係を決定することを指示するために使用される、段階
を含む、項目１または２に記載の方法。
（項目４）
上記第１指示情報を使用することによって指示される上記第２ＣＣおよび上記ＢＷＰに基づいて第１マッピング関係を決定する上記段階は、
上記第１ＣＣおよび上記第２ＣＣが第１事前設定条件を満たすとき、上記第１指示情報を使用することによって指示される上記第２ＣＣおよび上記ＢＷＰに基づいて上記第１マッピング関係を決定する段階
を含み、上記第１事前設定条件は、
上記第１ＣＣが低周波数帯域にあり、上記第２ＣＣが高周波数帯域にあること、
上記第１ＣＣが属する帯域ｂａｎｄが、上記第２ＣＣが属する帯域と異なること、または、
上記第１ＣＣおよび上記第２ＣＣが同一の帯域に属するが、上記第１ＣＣおよび上記第２ＣＣは周波数領域において非連続的であること
を含む、項目１または２に記載の方法。
（項目５）
上記ダウンリンク信号は、物理ダウンリンク共有チャネルで伝送され、上記第１指示情報はダウンリンク制御情報ＤＣＩに保持される、項目１から４のいずれか一項に記載の方法。
（項目６）
上記ＤＣＩは更に上記ＴＣＩを含み、上記ＴＣＩは選択されたＴＣＩ状態を指示するために使用される、項目５に記載の方法。
（項目７）
信号送信方法であって、
第１コンポーネントキャリア（ＣＣ）上で第１指示情報を送信する段階であって、上記第１指示情報は、ダウンリンク信号を送信するための帯域幅部分ＢＷＰ、および、上記ＢＷＰが属する第２ＣＣを指示するために使用される、段階と、
上記第２ＣＣおよび上記ＢＷＰに基づいて第１マッピング関係を決定する段階であって、上記第１マッピング関係は、少なくとも１つの伝送構成指示ＴＣＩ状態と、少なくとも１つＴＣＩ値との間の対応関係を指示するために使用される、段階と、
上記第１マッピング関係およびＴＣＩに基づいてＴＣＩ状態を決定し、上記ＴＣＩ状態に基づいて、上記ダウンリンク信号を送信するための送信ビームを決定する段階と、
上記送信ビームを使用することによって、上記第２ＣＣ上の上記ＢＷＰにおいて上記ダウンリンク信号を送信する段階と
を備える方法。
（項目８）
上記方法は更に、
複数の媒体アクセス制御（ＭＡＣ）制御要素（ＣＥ）を送信する段階であって、各ＭＡＣ  ＣＥは、マッピング関係および対応するＣＣ上のＢＷＰを指示するために使用され、複数の上記ＭＡＣ  ＣＥは第１ＭＡＣ  ＣＥを含み、上記第１ＭＡＣ  ＣＥによって指示されるＣＣの識別子は、上記第１指示情報を使用することによって指示される上記第２ＣＣの識別子と同一であり、上記第１ＭＡＣ  ＣＥによって指示されるＢＷＰの識別子は、上記第１指示情報を使用することによって指示される上記ＢＷＰの識別子と同一である、段階
を備える、項目７に記載の方法。
（項目９）
上記方法は更に、
上記第１マッピング関係を指示するための情報を受信する段階
を備える、項目７または８に記載の方法。
（項目１０）
上記方法は更に、
第２指示情報を送信する段階であって、上記第２指示情報は、上記第２ＣＣおよび上記ＢＷＰに基づいて上記第１マッピング関係を決定することを指示するために使用される、段階
を備える、項目７から９のいずれか一項に記載の方法。
（項目１１）
上記第１指示情報を使用することによって指示される上記第２ＣＣおよび上記ＢＷＰに基づいて第１マッピング関係を決定する上記段階は、
上記第１ＣＣおよび上記第２ＣＣが第１事前設定条件を満たすとき、上記第１指示情報を使用することによって指示される上記第２ＣＣおよび上記ＢＷＰに基づいて上記第１マッピング関係を決定する段階
を含み、上記第１事前設定条件は、
上記第１ＣＣが低周波数帯域にあり、上記第２ＣＣが高周波数帯域にあること、
上記第１ＣＣが属する帯域ｂａｎｄが、上記第２ＣＣが属する帯域と異なること、または、
上記第１ＣＣおよび上記第２ＣＣが同一の帯域に属するが、上記第１ＣＣおよび上記第２ＣＣは周波数領域において非連続的であること
を含む、項目７から９のいずれか一項に記載の方法。
（項目１２）
上記ダウンリンク信号は、物理ダウンリンク共有チャネルで伝送され、上記第１指示情報はダウンリンク制御情報ＤＣＩに保持される、項目７から１１のいずれか一項に記載の方法。
（項目１３）
上記ＤＣＩは更に上記ＴＣＩを含み、上記ＴＣＩは選択されたＴＣＩ状態を指示するために使用される、項目１２に記載の方法。
（項目１４）
通信機器であって、
第１コンポーネントキャリア（ＣＣ）上で第１指示情報を受信するよう構成される通信ユニットであって、上記第１指示情報は、ダウンリンク信号を送信するための帯域幅部分ＢＷＰ、および、上記ＢＷＰが属する第２ＣＣを指示するために使用される、通信ユニットと、
上記第１指示情報を使用することによって指示される上記第２ＣＣおよび上記ＢＷＰに基づいて第１マッピング関係を決定するよう構成される処理ユニットであって、上記第１マッピング関係は、少なくとも１つの伝送構成指示ＴＣＩ状態と少なくとも１つのＴＣＩ値との間の対応関係を指示するために使用され、上記処理ユニットは更に、上記第１マッピング関係および受信ＴＣＩに基づいてＴＣＩ状態を決定し、上記ＴＣＩ状態に基づいて、上記ダウンリンク信号を受信するための受信ビームを決定するよう構成される処理ユニットと
を備え、上記通信ユニットは更に、上記受信ビームを使用することによって、上記第２ＣＣ上の上記ＢＷＰにおいて上記ダウンリンク信号を受信するよう構成される、通史装置。
（項目１５）
上記通信ユニットは更に、複数の媒体アクセス制御（ＭＡＣ）制御要素（ＣＥ）を受信するよう構成され、各ＭＡＣ  ＣＥは、マッピング関係および対応するＣＣ上のＢＷＰを指示するために使用され、
上記処理ユニットは具体的には、上記第１指示情報を使用することによって指示される上記第２ＣＣおよび上記ＢＷＰに基づいて、上記複数のＭＡＣ  ＣＥにおける第１ＭＡＣ  ＣＥを使用することによって指示されるマッピング関係を上記第１マッピング関係として決定するよう構成され、上記第１ＭＡＣ  ＣＥによって指示されるＣＣの識別子は、上記第１指示情報を使用することによって指示される上記第２ＣＣの識別子と同一であり、上記第１ＭＡＣ  ＣＥによって指示されるＢＷＰの識別子は、上記第１指示情報を使用することによって指示される上記ＢＷＰの識別子と同一である、
項目１４に記載の通信機器。
（項目１６）
上記通信ユニットは更に、第２指示情報を受信するよう構成され、上記第２指示情報は、上記第２ＣＣおよび上記ＢＷＰに基づいて、上記第１マッピング関係を決定することを指示するために使用される、項目１４または１５に記載の通信機器。
（項目１７）
上記処理ユニットは具体的には、上記第１ＣＣおよび上記第２ＣＣが第１事前設定条件を満たすときに、上記第１指示情報を使用することによって指示される上記第２ＣＣおよび上記ＢＷＰに基づいて上記第１マッピング関係を決定するよう構成され、上記第１事前設定条件は、
上記第１ＣＣが低周波数帯域にあること、および、上記第２ＣＣが高周波数帯域にあること、
上記第１ＣＣが属する帯域ｂａｎｄが、上記第２ＣＣが属する帯域と異なること、または、
上記第１ＣＣおよび上記第２ＣＣが同一の帯域に属するが、上記第１ＣＣおよび上記第２ＣＣは周波数領域において非連続的であること
を含む、項目１４または１５に記載の通信機器。
（項目１８）
上記ダウンリンク信号は物理ダウンリンク共有チャネルで伝送され、上記第１指示情報はダウンリンク制御情報ＤＣＩに保持される、項目１４から１７のいずれか一項に記載の通信機器。
（項目１９）
上記ＤＣＩは更に上記ＴＣＩを含み、上記ＴＣＩは、選択されたＴＣＩ状態を指示するために使用される、項目１８に記載の通信機器。
（項目２０）
通信機器であって、
第１コンポーネントキャリア（ＣＣ）上で第１指示情報を送信するよう構成される通信ユニットであって、上記第１指示情報は、ダウンリンク信号を送信するための帯域幅部分ＢＷＰ、および、上記ＢＷＰが属する第２ＣＣを指示するために使用される、通信ユニットと
上記第２ＣＣおよび上記ＢＷＰに基づいて第１マッピング関係を決定するよう構成される処理ユニットであって、上記第１マッピング関係は、少なくとも１つの伝送構成指示ＴＣＩ状態と少なくとも１つのＴＣＩ値との間の対応関係を指示するために使用される、処理ユニットと
を備え、上記処理ユニットは更に、上記第１マッピング関係およびＴＣＩに基づいてＴＣＩ状態を決定し、上記ＴＣＩ状態に基づいて、上記ダウンリンク信号を送信するための送信ビームを決定するよう構成され、
上記通信ユニットは更に、上記送信ビームを使用することによって、上記第２ＣＣ上の上記ＢＷＰにおいて上記ダウンリンク信号を送信するよう構成される、
通信機器。
（項目２１）
上記通信ユニットは更に、複数の媒体アクセス制御（ＭＡＣ）制御要素（ＣＥ）を送信するよう構成され、各ＭＡＣ  ＣＥは、マッピング関係および対応するＣＣ上のＢＷＰを指示するために使用され、上記複数のＭＡＣ  ＣＥは、第１ＭＡＣ  ＣＥを含み、上記第１ＭＡＣ  ＣＥによって指示されるＣＣの識別子は、上記第１指示情報を使用することによって指示される上記第２ＣＣの識別子と同一であり、上記第１ＭＡＣ  ＣＥによって指示されるＢＷＰの識別子は、上記第１指示情報を使用することによって指示される上記ＢＷＰの識別子と同一である、
項目２０に記載の通信機器。
（項目２２）
上記通信ユニットは更に、上記第１マッピング関係を指示するための情報を受信するよう構成される、項目２０または２１に記載の通信機器。
（項目２３）
上記通信ユニットは更に、第２指示情報を送信するよう構成され、上記第２指示情報は、上記第２ＣＣおよび上記ＢＷＰに基づいて、上記第１マッピング関係を決定することを指示するために使用される、項目２０から２２のいずれか一項に記載の通信機器。
（項目２４）
上記処理ユニットは具体的には、上記第１ＣＣおよび上記第２ＣＣが第１事前設定条件を満たすときに、上記第１指示情報を使用することによって指示される上記第２ＣＣおよび上記ＢＷＰに基づいて上記第１マッピング関係を決定するよう構成され、上記第１事前設定条件は、
上記第１ＣＣが低周波数帯域にあること、および、上記第２ＣＣが高周波数帯域にあること、
上記第１ＣＣが属する帯域ｂａｎｄが、上記第２ＣＣが属する帯域と異なること、または、
上記第１ＣＣおよび上記第２ＣＣが同一の帯域に属するが、上記第１ＣＣおよび上記第２ＣＣは周波数領域において非連続的であること
を含む、項目２０から２２のいずれか一項に記載の通信機器。
（項目２５）
上記ダウンリンク信号は物理ダウンリンク共有チャネルで伝送され、上記第１指示情報はダウンリンク制御情報ＤＣＩに保持される、項目２０から２４のいずれか一項に記載の通信機器。
（項目２６）
上記ＤＣＩは更に上記ＴＣＩを含み、上記ＴＣＩは、選択されたＴＣＩ状態を指示するために使用される、項目２５に記載の通信機器。
（項目２７）
項目１から６のいずれか一項に記載の方法における決定段階を実行するよう構成されるプロセッサと、
項目１から６のいずれか一項に記載の方法における送信段階および／または受信段階を実行するよう構成される送受信機と
を備える通信機器。
（項目２８）
項目７から１３のいずれか一項に記載の方法における決定段階を実行するよう構成されるプロセッサと、
項目７から１３のいずれか一項に記載の方法における送信段階および／または受信段階を実行するよう構成される送受信機と
を備える通信機器。
（項目２９）
上記機器は項目１から６のいずれか一項に記載の方法を実装するよう構成される、通信機器。
（項目３０）
上記機器は項目７から１３のいずれか一項に記載の方法を実装するよう構成される、通信機器。
（項目３１）
プロセッサを備える処理機器であって、上記プロセッサは、メモリに格納されるコンピュータプログラムを実行するよう構成され、その結果、上記機器は、項目１から６のいずれか一項に記載の方法を実装する、処理機器。
（項目３２）
プロセッサを備える処理機器であって、上記プロセッサは、メモリに格納されるコンピュータプログラムを実行するよう構成され、その結果、上記機器は、項目７から１３のいずれか一項に記載の方法を実装する、処理機器。
（項目３３）
処理機器であって、
コンピュータプログラムを格納するよう構成されるメモリと、
上記メモリから上記コンピュータプログラムを呼び出し、上記コンピュータプログラムを動作させるよう構成されるプロセッサであって、その結果、上記機器は項目１から６のいずれか一項に記載の方法を実装する、プロセッサと
を備える処理機器。
（項目３４）
処理機器であって、
コンピュータプログラムを格納するよう構成されるメモリと、
上記メモリから上記コンピュータプログラムを呼び出し、上記コンピュータプログラムを動作させるよう構成されるプロセッサであって、その結果、上記機器は項目７から１３のいずれか一項に記載の方法を実装する、プロセッサと
を備える処理機器。
（項目３５）
コンピュータプログラムを含むコンピュータ可読媒体であって、上記コンピュータプログラムがコンピュータ上で動作するとき、上記コンピュータは、項目１から６のいずれか一項に記載の方法を実行することが可能となる、コンピュータ可読媒体。
（項目３６）
コンピュータプログラムを含むコンピュータ可読媒体であって、上記コンピュータプログラムがコンピュータ上で動作するとき、上記コンピュータは、項目７から１３のいずれか一項に記載の方法を実行することが可能となる、コンピュータ可読媒体。
（項目３７）
コンピュータプログラムプロダクトであって、コンピュータプログラムを含み、上記コンピュータプログラムは、コンピュータ上で動作するとき、上記コンピュータは、項目１から６のいずれか一項に記載の方法を実行することが可能となる、コンピュータプログラムプロダクト。
（項目３８）
コンピュータプログラムプロダクトであって、コンピュータプログラムを含み、上記コンピュータプログラムは、コンピュータ上で動作するとき、上記コンピュータは、項目７から１３のいずれか一項に記載の方法を実行することが可能となる、コンピュータプログラムプロダクト。
【図１】
2021532628.tif 000009
【図２】
2021532628.tif 000010
【図３】
2021532628.tif 000011
【図４】
2021532628.tif 000012
【図５】
2021532628.tif 000013
【図６】
2021532628.tif 000014
【図７】
2021532628.tif 000015
【図８】
2021532628.tif 000016
【図９】
2021532628.tif 000017
【図１０】
2021532628.tif 000018
【図１１】
2021532628.tif 000019
【図１２】
2021532628.tif 000020
【図１３】
2021532628.tif 000021
【図１４】
2021532628.tif 000022
【図１５】
2021532628.tif 000023
【国際調査報告】
2021532628.tif 000024
2021532628.tif 000025
2021532628.tif 000026
2021532628.tif 000027